(57)【要約】  動画像の高精細化を図ることができる画像表示装置および画像表示方法を提供する。画像プロセッサ（１０１）は、入力画像信号から内挿画像信号を生成する。表示パネル（１０５）は、表示領域（１０７）を有し、表示領域（１０７）に入力画像信号に基づく元画像および内挿画像信号に基づく補間画像を順次表示する。また、表示パネル（１０５）は、表示領域（１０７）における特定の区分領域、例えば表示領域（１０７）の下方領域においては、表示領域（１０７）における別の区分領域に比べて高いレートで画像を表示する。
2010095387.tif 000002
【特許請求の範囲】
【請求項１】
入力画像信号から内挿画像信号を生成する信号処理部と、
表示領域を有し、前記表示領域に、入力画像信号に基づく元画像および内挿画像信号に基づく補間画像の少なくとも一方を含む画像を順次表示する表示部と、を有し、
前記表示部は、前記表示領域における特定の区分領域においては、前記表示領域における別の区分領域に比べて高いレートで画像を表示する、
画像表示装置。
【請求項２】
前記特定の区分領域は、予め定められ、または、動き適応的に選択される、
請求項１記載の画像表示装置。
【請求項３】
前記特定の区分領域は、前記表示領域の下方領域を含む、
請求項１記載の画像表示装置。
【請求項４】
前記表示部は、複数の走査線を有し、
前記複数の走査線を走査することにより、前記表示領域に画像を表示させる走査部をさらに有し、
前記走査部は、別の区分領域に比べて高いレートで画像が表示される特定の区分領域である高レート領域については、同じ走査線の走査を均一時間間隔で行う、
請求項１記載の画像表示装置。
【請求項５】
前記表示部は、複数の走査線を有し、
前記複数の走査線を走査することにより、前記表示領域に画像を表示させる走査部をさらに有し、
前記走査部は、入力画像信号の１フレーム期間に相当する時間内に走査駆動動作を行い、前記走査駆動動作は、前記表示領域の一部または全体に対応する走査線群の走査を行う第１動作と、別の区分領域に比べて高いレートで画像が表示される特定の区分領域である高レート領域に対応する走査線群の走査を行う第２動作と、を含み、
前記表示領域の一部は前記高レート領域と前記高レート領域以外の区分領域とを含み、
前記走査部は、前記第１動作において、前記高レート領域に対応する走査線群の走査を、前記高レート領域以外の区分領域に対応する走査線群の走査に割り込ませる、
請求項１記載の画像表示装置。
【請求項６】
前記表示部は、複数の走査線を有し、
前記複数の走査線を走査することにより、前記表示領域に画像を表示させる走査部をさらに有し、
前記走査部は、入力画像信号の１フレーム期間に相当する時間内に走査駆動動作を行い、前記走査駆動動作は、前記表示領域の一部または全体に対応する走査線群の走査を行う第１動作と、別の区分領域に比べて高いレートで画像が表示される特定の区分領域である高レート領域に対応する走査線群の走査を行う第２動作と、を含み、
前記表示領域の一部は前記高レート領域と前記高レート領域以外の区分領域とを含み、
前記走査部は、前記第２動作を前記第１動作に割り込ませる、
請求項１記載の画像表示装置。
【請求項７】
前記信号処理部は、
先に入力された入力画像信号と後に入力された入力画像信号とから内挿画像信号を生成し、先に入力された入力画像信号と後に入力された入力画像信号とから生成された内挿画像信号を、後に入力された入力画像信号に内挿する、
請求項６記載の画像表示装置。
【請求項８】
前記表示部は、複数の走査線を有し、
前記複数の走査線を走査することにより、前記表示領域に画像を表示させる走査部をさらに有し、
前記走査部は、入力画像信号の１フレーム期間に相当する時間内に走査駆動動作を行い、前記走査駆動動作は、前記表示領域の一部または全体に対応する走査線群の走査を行う第１動作と、別の区分領域に比べて高いレートで画像が表示される特定の区分領域である高レート領域に対応する走査線群の走査を行う第２動作と、を含み、
前記表示領域の一部は前記高レート領域と前記高レート領域以外の区分領域とを含み、
前記走査部は、前記第１動作において最初に走査される走査線を、前記高レート領域に対応する走査線群に応じて設定する、
請求項１記載の画像表示装置。
【請求項９】
前記表示部は、複数の走査線を有し、
前記複数の走査線を走査することにより、前記表示領域に画像を表示させる走査部をさらに有し、
前記走査部は、入力画像信号の１フレーム期間に相当する時間内に走査駆動動作を行い、前記走査駆動動作は、前記表示領域の全体に入力画像信号に基づく元画像を表示させる第１動作と、別の区分領域に比べて高いレートで画像が表示される区分領域である高レート領域に内挿画像信号に基づく補間画像を表示させる第２動作と、を含み、
前記走査部は、前記第１動作においては、前記表示領域の全体に対応する走査線群を走査し、前記第２動作においては、前記高レート領域に対応する走査線群を走査する、
請求項１記載の画像表示装置。
【請求項１０】
前記第１動作は、前記表示領域の全体に対応する走査線群の１回の走査を含み、
前記第２動作は、前記高レート領域に対応する走査線群の１回以上の走査を含む、
請求項９記載の画像表示装置。
【請求項１１】
前記高レート領域は、相対的に高いレートで画像が表示される第１の高レート領域と、相対的に低いレートで画像が表示される第２の高レート領域と、を含む、
請求項９記載の画像表示装置。
【請求項１２】
前記表示部は、複数の走査線を有し、
前記複数の走査線を走査することにより、前記表示領域に画像を表示させる走査部をさらに有し、
前記走査部は、入力画像信号の１フレーム期間に相当する時間内に走査駆動動作を行い、前記走査駆動動作は、前記表示領域の全体に入力画像信号に基づく元画像を表示させる第１動作と、前記表示領域の全体に内挿画像信号に基づく補間画像を表示させる第２動作と、別の区分領域に比べて高いレートで画像が表示される区分領域である高レート領域に内挿画像信号に基づく補間画像を表示させる第３動作と、を含み、
前記走査部は、前記第１動作においては、前記表示領域の全体に対応する走査線群を走査し、前記第２動作においては、前記表示領域の全体に対応する走査線群を走査し、前記第３動作においては、前記高レート領域に対応する走査線群を走査する、
請求項１記載の画像表示装置。
【請求項１３】
前記表示部は、複数の走査線を有し、
前記複数の走査線を走査することにより、前記表示領域に画像を表示させる走査部をさらに有し、
前記走査部は、入力画像信号の１フレーム期間に相当する時間内に走査駆動動作を行い、前記走査駆動動作は、前記表示領域の一部に入力画像信号に基づく元画像を表示させる第１動作と、別の区分領域に比べて高いレートで画像が表示される区分領域である高レート領域に内挿画像信号に基づく補間画像を表示させる第２動作と、を含み、
前記走査部は、前記第１動作においては、前記表示領域の一部に対応する走査線群をＮ回（Ｎは１以上の整数）走査し、前記第２動作においては、前記高レート領域に対応する走査線群をＭ回（ＭはＮより大きい整数）走査し、
前記表示領域の一部は、前記高レート領域以外の区分領域を含む、
請求項１記載の画像表示装置。
【請求項１４】
前記表示部は、複数の走査線を有し、
前記複数の走査線を走査することにより、前記表示領域に画像を表示させる走査部をさらに有し、
前記走査部は、入力画像信号の１フレーム期間に相当する時間内に走査駆動動作を行い、前記走査駆動動作は、前記表示領域の一部に内挿画像信号に基づく補間画像を表示させる第１動作と、別の区分領域に比べて高いレートで画像が表示される区分領域である高レート領域に内挿画像信号に基づく補間画像を表示させる第２動作と、を含み、
前記走査部は、前記第１動作においては、前記表示領域の一部に対応する走査線群をＮ回（Ｎは１以上の整数）走査し、前記第２動作においては、前記高レート領域に対応する走査線群をＭ回（ＭはＮより大きい整数）走査し、
前記表示領域の一部は、前記高レート領域以外の区分領域を含む、
請求項１記載の画像表示装置。
【請求項１５】
表示領域を有する画像表示装置において、前記表示領域に入力画像信号に基づく元画像および内挿画像信号に基づく補間画像の少なくとも一方を含む画像を順次表示する画像表示方法であって、
前記表示領域における特定の区分領域においては、前記表示領域における別の区分領域に比べて高いレートで画像を表示する、
画像表示方法。
【発明の詳細な説明】
【技術分野】
【０００１】
本発明は、画像表示装置および画像表示方法に関する。
【背景技術】
【０００２】
アクティブ型液晶表示装置およびアクティブ型有機エレクトロルミネッセンス（ＥＬ）表示装置などのホールド型表示方式には、ＣＲＴ（cathode ray tube）表示装置などのインパルス型表示方式に比べて、ちらつきが少なく目が疲れにくいという利点がある。【０００３】
その一方で、ホールド型表示方式での動画表示に関しては、動画像がフレーム間で動く画素数にわたって積分された画像として知覚され、この画像の動きによって生じる積分が画像のぼけを発生させる、ということが報告されている（例えば、特許文献１および特許文献２参照）。その理由としては、人間の視覚特性では通常、数１０ミリ秒以内の光刺激がほぼ完全に積分されて知覚される点と、４〜５度／秒以内の動きは眼球運動のみで追従可能である点などが挙げられる。【０００４】
上記のような動画表示における画像の不自然さを改善する方式として、内挿画像信号を前後の入力画像信号から動き適応的に生成し、生成された内挿画像信号を当該２つの入力画像信号とともに順次使用して画像を表示する画像補間方式が、報告されている（例えば、特許文献１および特許文献３参照）。【０００５】
ここで、画像補間方式に基づく従来の画像表示方法について説明する。【０００６】
図１は、従来の画像表示方法の第１の例として、１０８０ラインの走査線を有する画像表示装置における２倍速駆動を示す。具体的には、表示フレームレートが入力フレームレートの２倍に高速化される２倍速線順次駆動を図１Ｂに示すとともに、比較のために、表示フレームレートが高速化されず入力フレームレートに等しい線順次駆動（以下「等速線順次駆動」という）を図１Ａに示す。なお、以下の説明において、入力フレームレートは、画像表示装置の画像プロセッサに入力される入力画像信号のレートをフレーム数単位で表すものであり、表示フレームレートは、画像表示装置の表示パネルから出力される画像のレートをフレーム数単位で表すものである。【０００７】
図１Ａに示される等速線順次駆動では、入力画像信号に基づく画像（以下「元画像」という）として複数のフレーム（第１フレームおよび第２フレーム）が順次表示される。これに対し図１Ｂに示される２倍速線順次駆動では、入力画像信号に基づく元画像として複数のフレーム（第１フレームおよび第２フレーム）が表示される。これに加えて、入力画像信号から得られた内挿画像信号に基づく画像（以下「補間画像」という）として中間フレーム（第１中間フレームおよび第２中間フレーム）がフレーム間に内挿されて表示される。【０００８】
このように、２倍速線順次駆動では、１フレームの元画像に対して１フレームの補間画像が追加的に表示されるので、表示フレームレートが入力フレームレートの２倍となる。したがって、例えば図２に示されるように、画面に表示されている動画像において●印が第１フレームと第２フレームとの間で５０ピクセル（pix）動く場合には、●印が第１フレームから２５ピクセルだけ動く第１中間フレームを内挿することにより、画像のぼけを低減することができる。【０００９】
図３は、従来の画像表示方法の第２の例として、１０８０ラインの走査線を有する画像表示装置における４倍速駆動を示す。具体的には、表示フレームレートが入力フレームレートの４倍に高速化される４倍速線順次駆動を図３Ｂに示すとともに、比較のために、等速線順次駆動を図３Ａに示す。【００１０】
図３Ａに示される等速線順次駆動では、元画像として複数のフレーム（第１フレームおよび第２フレーム）が順次表示される。これに対し図３Ｂに示される４倍速線順次駆動では、元画像として複数のフレーム（第１フレームおよび第２フレーム）が表示される。これに加えて、補間画像として複数の中間フレーム（第１１中間フレーム、第１２中間フレーム、第１３中間フレーム、第２１中間フレーム、第２２中間フレームおよび第２３中間フレーム）がフレーム間に内挿されて表示される。【００１１】
このように、４倍速線順次駆動では、１フレームの元画像に対して３フレームの補間画像が追加的に表示されるので、表示フレームレートが入力フレームレートの４倍となる。したがって、４倍速線順次駆動は、２倍速線順次駆動よりもさらに画像のぼけを低減することができる。
【先行技術文献】
【特許文献】
【００１２】
【特許文献１】特許第３２９５４３７号公報
【特許文献２】特開平９−３２５７１５号公報
【特許文献３】特許第３８８４８８５号公報
【発明の概要】
【発明が解決しようとする課題】
【００１３】
しかしながら、上記従来の画像表示方法において、入力フレームレートよりも高いフレームレートでの表示を実現するには、走査速度の高速化が必要となる。【００１４】
例えば、等速線順次駆動の場合、入力フレームレートが６０Ｈｚであると仮定すると、６０Ｈｚの垂直走査周波数で走査が行われる。よって、１０８０ラインの走査線を有する画像表示装置では、走査線１ラインあたりの走査時間であるライン走査周期は、約１５．４μｓとなる。【００１５】
これに対し、２倍速線順次駆動の場合、同一仮定条件下では、１２０Ｈｚの垂直走査周波数で走査を行う必要がある。よって、１０８０ラインの走査線を有する画像表示装置では、ライン走査周期は約７．７μｓとなる。【００１６】
同様に、４倍速線順次駆動の場合、同一仮定条件下では、２４０Ｈｚの垂直走査周波数で走査を行う必要がある。よって、１０８０ラインの走査線を有する画像表示装置では、ライン走査周期は約３．９μｓとなる。【００１７】
このように、表示フレームレートを２倍、４倍、さらにそれ以上へと高速化するためには、全ての走査線のライン走査周期を１／２倍、１／４倍、さらにそれ以下へと短縮化する必要がある。すなわち、フレームレートの倍数とライン走査周期とは反比例の関係にある。しかし、走査線の走査速度には、表示パネルの応答性に依存する限界値があり、限界値を超えた高速での走査は困難である。したがって、上記従来の画像表示方法で用いられる倍速線順次駆動では、高フレームレート駆動が実現困難であり、動画像のぼけ低減などの高精細化に一定の限界がある。【００１８】
本発明の目的は、動画像の高精細化を図ることができる画像表示装置および画像表示方法を提供することである。
【課題を解決するための手段】
【００１９】
本発明の画像表示装置は、入力画像信号から内挿画像信号を生成する信号処理部と、表示領域を有し、前記表示領域に、入力画像信号に基づく元画像および内挿画像信号に基づく補間画像の少なくとも一方を含む画像を順次表示する表示部と、を有し、前記表示部は、前記表示領域における特定の区分領域においては、前記表示領域における別の区分領域に比べて高いレートで画像を表示する。【００２０】
本発明の画像表示方法は、表示領域を有する画像表示装置において、前記表示領域に入力画像信号に基づく元画像および内挿画像信号に基づく補間画像の少なくとも一方を含む画像を順次表示する画像表示方法であって、前記表示領域における特定の区分領域においては、前記表示領域における別の区分領域に比べて高いレートで画像を表示する。
【発明の効果】
【００２１】
本発明によれば、動画像の高精細化を図ることができる。
【図面の簡単な説明】
【００２２】
【図１】図１Ａは、従来の等速線順次駆動を説明するための図、図２Ｂは、従来の２倍速線順次駆動を説明するための図
【図２】従来の２倍速線順次駆動に係る元画像と補間画像との関係を説明するための図
【図３】図３Ａは、従来の等速線順次駆動を説明するための図、図３Ｂは、従来の４倍速線順次駆動を説明するための図
【図４】本発明の実施の形態１に係る画像表示装置の構成を示すブロック図
【図５】本発明の実施の形態１に係る内挿画像信号処理を説明するためのフロー図
【図６】本発明の実施の形態１に係る走査駆動動作を説明するための図
【図７】図７Ａは、従来の走査駆動動作における走査速度を説明するための図、図７Ｂは、本発明の実施の形態１に係る走査駆動動作における走査速度を説明するための図
【図８】本発明の実施の形態１に係る元画像と補間画像との関係を説明するための図
【図９】本発明の実施の形態２に係る走査駆動動作を説明するための図
【図１０】図１０Ａは、従来の走査駆動動作における走査速度を説明するための図、図１０Ｂは、本発明の実施の形態２に係る走査駆動動作における走査速度を説明するための図
【図１１】本発明の実施の形態２に係る元画像と補間画像との関係を説明するための図
【図１２】本発明の実施の形態３に係る走査駆動動作を説明するための図
【図１３】図１３Ａは、従来の走査駆動動作における走査速度を説明するための図、図１３Ｂは、本発明の実施の形態３に係る走査駆動動作における走査速度を説明するための図
【図１４】図１４Ａは、本発明の実施の形態２に係る走査駆動動作の遅延時間を説明するための図、図１４Ｂは、本発明の実施の形態３に係る走査駆動動作の遅延時間を説明するための図
【図１５】本発明の実施の形態４に係る走査駆動動作を説明するための図
【図１６】図１６Ａは、従来の走査駆動動作における走査速度を説明するための図、図１６Ｂは、本発明の実施の形態４に係る走査駆動動作における走査速度を説明するための図
【図１７】本発明の実施の形態５に係る走査駆動動作を説明するための図
【図１８】本発明の実施の形態６に係る走査駆動動作を説明するための図
【図１９】図１９Ａは、従来の走査駆動動作における走査速度を説明するための図、図１９Ｂは、本発明の実施の形態６に係る走査駆動動作における走査速度を説明するための図
【図２０】本発明の実施の形態７に係る走査駆動動作を説明するための図
【図２１】図２１Ａは、従来の走査駆動動作における走査速度を説明するための図、図２１Ｂは、従来の３倍速線順次駆動における走査駆動動作における走査速度を説明するための図、図２１Ｃは、本発明の実施の形態７に係る走査駆動動作における走査速度を説明するための図
【図２２】本発明の実施の形態８に係る走査駆動動作を説明するための図
【図２３】本発明の実施の形態９に係る走査駆動動作を説明するための図
【図２４】本発明の実施の形態１０に係る走査駆動動作を説明するための図
【発明を実施するための形態】
【００２３】
以下、本発明の各実施の形態について、図面を参照して詳細に説明する。
【００２４】
（実施の形態１）
図４は、本発明の実施の形態１に係る画像表示装置の構成を示すブロック図である。
【００２５】
図４において、画像表示装置１００は、画像プロセッサ１０１、表示パネル制御回路１０２、ゲートドライバ１０３、ソースドライバ１０４および表示パネル１０５を有する。画像プロセッサ１０１は、内挿画像信号生成部１０６を有する。また、表示パネル１０５は、表示画面としての表示領域１０７、Ｎ本の走査線１０８−１、１０８−２、…、１０８−ＮおよびＭ本のデータ線１０９−１、１０９−２、…、１０９−Ｍを有する。
【００２６】
信号処理部としての画像プロセッサ１０１において、内挿画像信号生成部１０６は、順次入力される画像信号に対して内挿画像信号生成処理を行う。矢印Ｓ１は、画像プロセッサ１０１に画像信号を入力する信号線を示す。
【００２７】
ここで、内挿画像信号生成部１０６により行われる内挿画像信号生成処理の一例について、図５を参照して説明する。
【００２８】
ステップＳＴ１０１では、画像信号が順次入力される。入力画像信号は画像プロセッサ１０１内のメモリ（図示せず）に一時的に格納される。
【００２９】
ステップＳＴ１０２では、先に入力された入力画像信号とその入力画像信号の直後に入力された入力画像信号とから、１つ以上の内挿画像信号を生成する。各入力画像信号は、表示領域１０７の全体領域をカバーする情報量を有するが、そこから生成される内挿画像信号は、表示領域１０７の全体領域をカバーする情報量を有するものであっても一部領域のみをカバーする情報量を有するものであってもよい。
【００３０】
一部領域のみをカバーする情報量を有する内挿画像信号を生成する場合、各入力画像信号から、表示領域１０７の一部領域に対応する部分を抽出して、抽出された部分に含まれる情報に基づいて、その一部領域のみをカバーする情報量の内挿画像信号を生成する。あるいは、各入力画像信号から、全体領域をカバーする情報量の内挿画像信号を暫定的に生成し、そこから、表示領域１０７の一部領域に対応する部分を最終的な内挿画像信号として切り出す。
【００３１】
なお、内挿画像信号によりカバーされる、表示領域１０７の一部領域は、予め定められたものであってもよいし、動き適応的に選択されたものであってもよい。例えば、テレビ映像などにおいてテロップの出現頻度の高い、表示領域１０７の下方領域が少なくとも含まれるように、一部領域が設定される。
【００３２】
また、本実施の形態およびこれ以降の実施の形態の説明において、入力画像信号あるいは内挿画像信号の個数は、その信号に基づいて表示されるフレームの個数に相当する。つまり、上記の「２つの入力画像信号」は２フレーム分の入力画像信号を意味し、上記の「１つ以上の内挿画像信号」は１つ以上のフレーム分の内挿画像信号を意味する。
【００３３】
ステップＳＴ１０３では、生成された内挿画像信号を入力画像信号の所定位置に内挿することにより、表示データ信号を生成する。
【００３４】
ステップＳＴ１０４では、表示データ信号の生成結果に基づいて位相信号を生成する。ここで、位相信号は、上方の走査線から下方の走査線に向かって進む順次走査の開始位置を示すものである。例えば、第１ラインから走査を開始すべきであることが示されたり、第８１１ラインから走査を開始すべきであることが示されたりする。
【００３５】
ステップＳＴ１０５では、生成された表示データ信号および位相信号を表示パネル制御回路１０２に出力する。
【００３６】
このようにして、内挿画像信号生成部１０６により内挿画像信号生成処理が行われる。なお、上記内挿画像信号生成処理は、画像信号が入力される度に行われる。また、上記内挿画像信号生成処理は、予め記憶媒体（図示せず）に記憶された内挿画像信号生成プログラムを画像プロセッサ１０１に実行させることによって、実現される。
【００３７】
表示パネル制御回路１０２には、表示データ信号および位相信号が入力される。矢印Ｓ２は、表示パネル制御回路１０２に表示データ信号を入力する信号線を示し、矢印Ｓ３は、表示パネル制御回路１０２に位相信号を入力する信号線を示す。
【００３８】
表示パネル制御回路１０２は、表示データ信号に基づいてソースドライバ制御信号を生成し、生成されたソースドライバ制御信号をソースドライバ１０４に出力する。また、表示パネル制御回路１０２は、位相信号に基づいてゲートドライバ制御信号を生成し、生成されたゲートドライバ制御信号をゲートドライバ１０３に出力する。
【００３９】
ソースドライバ１０４には、ソースドライバ制御信号が入力される。矢印Ｓ４は、ソースドライバ１０４にソースドライバ制御信号を入力する信号線を示す。ソースドライバ１０４は、ソースドライバ制御信号に基づいてデータ線１０９−１〜１０９−Ｍを駆動する。
【００４０】
走査部としてのゲートドライバ１０３には、ゲートドライバ制御信号が入力される。矢印Ｓ５は、ゲートドライバ１０３にゲートドライバ制御信号を入力する信号線を示す。ゲートドライバ１０３は、ゲートドライバ制御信号に基づいて走査線１０８−１〜１０８−Ｎを駆動する。
【００４１】
表示部として表示パネル１０５は、液晶パネルである。より具体的には、表示パネル１０５は、互いに直交して配置された走査線１０８−１〜１０８−Ｎとデータ線１０９−１〜１０９−Ｍとの各交点に例えば薄膜トランジスタなどのアクティブ素子（図示せず）を介して画素電極（図示せず）が配置されたアレイ基板（図示せず）と、アレイ基板に対向する対向電極が形成された対向基板（図示せず）との間に、配向膜（図示せず）を介して液晶層（図示せず）が保持された構成を有する。走査線１０８−ｎ（ｎは１からＮまでの整数）がゲートドライバ１０３により走査されると、表示パネル１０５の表示領域１０７には、入力画像信号に基づく元画像としてのフレームおよび内挿画像信号に基づく補間画像としての中間フレームが表示される。
【００４２】
以上、本実施の形態の画像表示装置１００の構成について説明した。
【００４３】
次いで、画像表示装置１００のゲートドライバ１０３により実行される走査駆動動作について説明する。なお、本実施の形態およびこれ以降の実施の形態においては、説明の簡略化のため、走査線数Ｎ＝１０８０および入力フレームレート６０Ｈｚを前提条件とするが、本発明は別の条件下での走査駆動動作にも適用可能である。
【００４４】
図６は、本実施の形態の走査駆動動作の一例を説明するための図である。
【００４５】
図６に示す例では、表示領域内の２つの区分領域のうち一方の区分領域（高レート領域）が他方の区分領域に比べて高いリフレッシュレートで更新されることにより、表示フレームレートが高速化される。図６において、第２走査線群は、表示領域において内挿画像信号の情報がカバーする区分領域に対応する第８１１ラインから第１０８０ラインまでを含む走査線の集合である。第１走査線群は、表示領域におけるその他の領域に対応する第１ラインから第８１０ラインまでを含む走査線の集合である。
【００４６】
時刻ｔ１ａには、入力画像信号に基づく元画像として第１フレームを表示するための走査が、対応する位相信号に基づくゲートドライバ制御信号に従って、第１ラインから開始される。入力画像信号は、表示領域の全体領域をカバーする情報量を有するため、元画像表示のための走査は、第１ラインから第１０８０ラインまでの走査線、つまり全走査線の走査を必要とする。
【００４７】
なお、第１フレーム表示期間は、入力画像信号に基づく元画像として第１フレームを表示するための元画像表示期間であり、言い換えれば、第１フレームを表示するために、入力画像信号から導出されたソースドライバ制御信号に従ってデータ線が駆動される期間である。
【００４８】
時刻ｔ１ａにおける第１ラインの走査に続いて第１走査線群が順次走査され、時刻ｔ１ｂには、第１フレーム表示のための第１走査線群の走査が完了する。時刻ｔ１ｂからは、引き続き第１フレーム表示のための第２走査線群の走査が順次行われ、時刻ｔ１ｃにそれが完了する。すなわち、第１フレーム表示期間における全走査線の順次走査は途中で途切れることなく行われる。
【００４９】
時刻ｔ１ｃには、内挿画像信号に基づく補間画像として第１中間フレームを表示するための走査が、対応する位相信号に基づくゲートドライバ制御信号に従って、第８１１ラインから開始される。内挿画像信号は、表示領域の一部領域のみをカバーする情報量を有するため、補間画像表示のための走査は、カバーされる区分領域に対応する走査線（この例では第８１１ラインから第１０８０ラインまでの走査線）の走査を必要とする。
【００５０】
なお、第１中間フレーム表示期間は、内挿画像信号に基づく補間画像として第１中間フレームを表示するための補間画像表示期間である。言い換えれば、第１中間フレームを表示するために、内挿画像信号から導出されたソースドライバ制御信号に従ってデータ線が駆動される期間である。また、第１中間フレームのベースとなる内挿画像信号は、第１フレームと第２フレームとの間の動き補償のために、第１フレームの入力画像信号と第２フレームの入力画像信号とから生成され、それら２つの入力画像信号の間に内挿された信号である。
【００５１】
時刻ｔ１ｃにおける第８１１ラインの走査に続いて第２走査線群が順次走査され、時刻ｔ１ｄには、第１中間フレーム表示のための第２走査線群の走査が完了する。
【００５２】
そして、時刻ｔ１ｄには、入力画像信号に基づく元画像として第２フレームを表示するための走査が、対応する位相信号に基づくゲートドライバ制御信号に従って、第１ラインから開始される。第２フレーム表示期間は、入力画像信号に基づく元画像として第２フレームを表示するための元画像表示期間である。言い換えれば、第２フレームを表示するために、入力画像信号から導出されたソースドライバ制御信号に従ってデータ線が駆動される期間である。
【００５３】
時刻ｔ１ｄにおける第１ラインの走査に続いて第１走査線群が順次走査され、時刻ｔ１ｅには、第２フレーム表示のための第１走査線群の走査が完了する。時刻ｔ１ｅからは、引き続き第２フレーム表示のための第２走査線群の走査が順次行われ、時刻ｔ１ｆにそれが完了する。すなわち、第２フレーム表示期間における全走査線の順次走査は途中で途切れることなく行われる。
【００５４】
時刻ｔ１ｆには、内挿画像信号に基づく補間画像として第２中間フレームを表示するための走査が、対応する位相信号に基づくゲートドライバ制御信号に従って、第８１１ラインから開始される。第２中間フレーム表示期間は、内挿画像信号に基づく補間画像として第２中間フレームを表示するための補間画像表示期間である。言い換えれば、第２中間フレームを表示するために、内挿画像信号から導出されたソースドライバ制御信号に従ってデータ線が駆動される期間である。また、第２中間フレームのベースとなる内挿画像信号は、第２フレームと第３フレームとの間の動き補償のために、第２フレームの入力画像信号と第３フレームの入力画像信号とから生成され、それら２つの入力画像信号の間に内挿された信号である。
【００５５】
時刻ｔ１ｆにおける第８１１ラインの走査に続いて第２走査線群が順次走査され、時刻ｔ１ｇには、第２中間フレーム表示のための第２走査線群の走査が完了する。
【００５６】
上記走査駆動動作によれば、元画像表示は、全ての走査線の走査によって行われるのに対し、補間画像表示は、第２走査線群に含まれる走査線のみの走査によって行われる。このため、リフレッシュレートが、表示領域において第２走査線群に対応する区分領域については、入力フレームレートよりも高い値（交互に７５Ｈｚと３００Ｈｚ）となるのに対し、表示領域において第１走査線群に対応する区分領域については、入力フレームレートに等しい６０Ｈｚのままとなる。言い換えれば、垂直走査周波数が、第２走査線群については、入力フレームレートよりも高い値となるのに対し、第１走査線群については、入力フレームレートに等しい６０Ｈｚのままとなる。したがって、表示フレームレートが入力フレームレートに比べて高速化されるにもかかわらず、各走査線の走査速度の大幅な上昇を抑制することができる。
【００５７】
走査速度の大幅な上昇が抑制される効果は、図７を参照すれば明らかである。図７は、従来の走査駆動動作と本実施の形態の走査駆動動作とを比較するための図であり、前者は図７Ａに示され、後者は図７Ｂに示される。比較のために図７Ａに例示した従来技術は上記の等速線順次駆動であり、入力画像信号の１フレーム期間に相当する時間ごとに補間画像表示は行われず表示フレームレートは高速化されない。これに対し、本実施の形態では入力画像信号の１フレーム期間に相当する時間ごとに補間画像表示が行われて表示フレームレートが高速化される。このため、本実施の形態の走査速度を表す角度θ１は、従来技術の走査速度を表す角度θ０よりも大きくなる。しかし、補間画像表示のために繰り返し走査を行う範囲が一部の走査線のみに限られるため、角度θ１と角度θ０との間に大きな差異はない。上記前提条件に基づいて計算すると、本実施の形態のライン走査周期は約１２．３μｓとなる。これは、従来の等速線順次駆動のライン走査周期の約１５．４μｓよりも若干短いが、従来の２倍速線順次駆動のライン走査周期の約７．７μｓよりも大幅に長い。また、表示領域全体のリフレッシュレートが交互に７５Ｈｚと３００Ｈｚに切り替えられる線順次駆動を想定した場合でも、この駆動に必要な平均ライン走査周期と比べて、本実施の形態では十分に長いライン走査周期を確保することができる。このため、高フレームレート駆動が表示パネルの応答性によって阻害される可能性を低減することができる。すなわち、高フレームレート駆動を実現するとともに動き適応的に動画像のぼけを低減して、動画像の高精細化を図ることができる。
【００５８】
図８は、本実施の形態において表示される元画像と補間画像との関係を説明するための図である。
【００５９】
画像の動きによって生じる画像のぼけを低減することを目的として内挿画像信号を生成する場合は、元画像表示のための走査と補間画像表示のための走査との間の時間間隔を考慮する必要がある。ここで、図６を参照して第８１１ラインに注目すると、第１フレーム表示期間における走査から第１中間フレーム表示期間における走査までの時間間隔Ｉ１ｃ−１ｂは、第１中間フレーム表示期間における走査から第２フレーム表示期間における走査までの時間間隔Ｉ１ｅ−１ｃに比べて大幅に短い。具体的には、時間間隔Ｉ１ｃ−１ｂは約３．３ｍｓであり、時間間隔Ｉ１ｅ−１ｃは約１３．３ｍｓであるので、図８に示すように、第１フレームと第１中間フレームとの間での動き量が、第１フレームと第２フレームとの間での動き量の１／５となるように、内挿画像信号が生成される。この場合には、第８１１ラインから第１０８０ラインまでの領域における表示パネルのホールド時間は、最長で１３．３ｍｓとなり、従来の等速線順次駆動の場合の約１６．７ｍｓに比べて短くなるので、画像の動きによって生じる画像のぼけを低減することができる。
【００６０】
以上説明したように、本実施の形態によれば、表示領域内の限定された領域でのみリフレッシュレートを高速化することにより、表示フレームレートの高速化に伴う走査速度の大幅な高速化を抑制することができる。したがって、高フレームレート駆動が表示パネルの応答性によって阻害されることなく実現され、動画像のぼけが動き適応的に低減され、ひいては動画像の高精細化が実現される。
【００６１】
高速スクロールするテロップなどについては特に、この効果を視認することができるため、本実施の形態においては、横スクロールテロップの出現頻度が高い、表示画面下端部分に相当する下方領域が、高フレッシュレートの領域として設定されている。しかし、表示画面下端部分以外の領域を高フレッシュレートの領域として設定してもよい。また、本実施の形態においては、第８１１ラインから第１０８０までの２７０ラインを、高フレッシュレートの領域の幅として設定しているが、この幅も変更可能である。
【００６２】
（実施の形態２）
以下、本発明の実施の形態２に係る画像表示装置について説明する。本実施の形態の画像表示装置は構成上、実施の形態１の画像表示装置１００と同様である。よって、実施の形態１で説明したものと同一の構成要素に言及するときには、同一の参照番号を付すことにより、その構成要素についての詳細な説明を省略する。
【００６３】
本実施の形態は、内挿画像信号生成部１０６が表示データ信号を生成する際に、元画像表示のための一部の走査線の走査を同じ元画像表示のための他部の走査線の走査に割り込ませて一部の走査線群の走査の時間間隔を均一化する点において、実施の形態１と相違する。
【００６４】
図９は、本実施の形態の走査駆動動作の一例を説明するための図である。
【００６５】
図９に示す例では、表示領域内の２つの区分領域のうち一方の区分領域（高レート領域）が他方の区分領域に比べて高いリフレッシュレートで更新されることにより、表示フレームレートが高速化される。図９において、第２走査線群は、表示領域において内挿画像信号の情報がカバーする区分領域に対応する第８１１ラインから第１０８０ラインまでを含む走査線の集合である。第１走査線群は、表示領域におけるその他の領域に対応する第１ラインから第８１０ラインまでを含む走査線の集合である。
【００６６】
時刻ｔ２ａには、入力画像信号に基づく元画像として第１フレームを表示するための走査が、対応する位相信号に基づくゲートドライバ制御信号に従って、第１ラインから開始される。
【００６７】
時刻ｔ２ａにおける第１ラインの走査に続いて第１走査線群が順次走査される。そして、時刻ｔ２ｂに、第１フレーム表示のための第４０５ラインまでの走査が完了すると、対応する位相信号に基づくゲートドライバ制御信号に従って、第４０６ラインから第８１０ラインまでの走査をスキップして第８１１ラインからの走査が開始される。第８１１ラインの走査に続いて第２走査線群の走査が順次行われ、時刻ｔ２ｃにそれが完了する。時刻ｔ２ｃからは、さきほどスキップされた第４０６ラインから第８１０ラインまでの走査が順次行われ、時刻ｔ２ｄにそれが完了する。すなわち、第１フレーム表示期間における全走査線の順次走査は途中で途切れることなく行われる。ただし、第１フレーム表示期間における第２走査線群の走査が第１フレーム表示期間における第１走査線群の走査に割り込んでいる。
【００６８】
時刻ｔ２ｄには、内挿画像信号に基づく補間画像として第１中間フレームを表示するための走査が、対応する位相信号に基づくゲートドライバ制御信号に従って、第８１１ラインから開始される。
【００６９】
時刻ｔ２ｄにおける第８１１ラインの走査に続いて第２走査線群が順次走査され、時刻ｔ２ｅには、第１中間フレーム表示のための第２走査線群の走査が完了する。
【００７０】
そして、時刻ｔ２ｅには、入力画像信号に基づく元画像として第２フレームを表示するための走査が、対応する位相信号に基づくゲートドライバ制御信号に従って、第１ラインから開始される。
【００７１】
時刻ｔ２ｅにおける第１ラインの走査に続いて第１走査線群が順次走査される。そして、時刻ｔ２ｆに、第２フレーム表示のための第４０５ラインまでの走査が完了すると、対応する位相信号に基づくゲートドライバ制御信号に従って、第４０６ラインから第８１０ラインまでの走査をスキップして第８１１ラインからの走査が開始される。第８１１ラインの走査に続いて第２走査線群の走査が順次行われ、時刻ｔ２ｇにそれが完了する。時刻ｔ２ｇからは、さきほどスキップされた第４０６ラインから第８１０ラインまでの走査が順次行われ、時刻ｔ２ｈにそれが完了する。すなわち、第２フレーム表示期間における全走査線の順次走査は途中で途切れることなく行われる。ただし、第２フレーム表示期間における第２走査線群の走査が第２フレーム表示期間における第１走査線群の走査に割り込んでいる。
【００７２】
時刻ｔ２ｈには、内挿画像信号に基づく補間画像として第２中間フレームを表示するための走査が、対応する位相信号に基づくゲートドライバ制御信号に従って、第８１１ラインから開始される。
【００７３】
時刻ｔ２ｈにおける第８１１ラインの走査に続いて第２走査線群が順次走査され、時刻ｔ２ｉには、第２中間フレーム表示のための第２走査線群の走査が完了する。
【００７４】
上記走査駆動動作によれば、元画像表示は、全ての走査線の走査によって行われるのに対し、補間画像表示は、第２走査線群に含まれる走査線のみの走査によって行われる。このため、上記各実施の形態と同様に、各走査線の走査速度の大幅な上昇を抑制することができる。
【００７５】
走査速度の大幅な上昇が抑制される効果は、図１０を参照すれば明らかである。図１０は、従来の走査駆動動作と本実施の形態の走査駆動動作とを比較するための図であり、前者は図１０Ａに示され、後者は図１０Ｂに示される。比較のために図１０Ａに例示した従来技術は上記の等速線順次駆動であり、入力画像信号の１フレーム期間に相当する時間ごとに補間画像表示は行われず表示フレームレートは高速化されない。これに対し、本実施の形態では入力画像信号の１フレーム期間に相当する時間ごとに補間画像表示が行われて表示フレームレートが２倍に高速化される。このため、本実施の形態の走査速度を表す角度θ２は、従来技術の走査速度を表す角度θ０よりも大きくなる。しかし、補間画像表示のために繰り返し走査を行う範囲が一部の走査線のみに限られるため、角度θ２と角度θ０との間に大きな差異はない。上記前提条件に基づいて計算すると、本実施の形態のライン走査周期は約１２．３μｓとなる。これは、従来の等速線順次駆動のライン走査周期の約１５．４μｓよりも若干短いが、従来の２倍速線順次駆動のライン走査周期の約７．７μｓよりも大幅に長い。このように、本実施の形態では、前述の実施の形態１と同様に十分に長いライン走査周期を確保することができる。このため、高フレームレート駆動が表示パネルの応答性によって阻害される可能性を低減することができる。すなわち、高フレームレート駆動を実現するとともに動き適応的に動画像のぼけを低減して、動画像の高精細化を図ることができる。
【００７６】
図１１は、本実施の形態において表示される元画像と補間画像との関係を説明するための図である。
【００７７】
画像の動きによって生じる画像のぼけを低減することを目的として内挿画像信号を生成する場合は、元画像表示のための走査と補間画像表示のための走査との間の時間間隔を考慮する必要がある。ここで、図９を参照して第８１１ラインに注目すると、第１フレーム表示期間における走査から第１中間フレーム表示期間における走査までの時間間隔Ｉ２、第１中間フレーム表示期間における走査から第２フレーム表示期間における走査までの時間間隔Ｉ２、および第２フレーム表示期間における走査から第２中間フレーム表示期間における走査までの時間間隔Ｉ２は、互いに等しい。具体的には、時間間隔Ｉ２は約８．３ｍｓである。すなわち、第２走査線群の走査は均一時間間隔で行われる。
【００７８】
時間間隔Ｉ２の均一化は、元画像表示期間における第２走査線群の走査を元画像表示期間における第１走査線群の走査に割り込ませることによって、実現されている。
【００７９】
これに伴い、図１１に示すように、第１フレームと第１中間フレームとの間での動き量が、第１フレームと第２フレームとの間での動き量の１／２となるように、内挿画像信号が生成される。これにより、第１中間フレームは、その前後のフレーム（すなわち第１フレームおよび第２フレーム）の一方に偏った画像とならず丁度中間の画像となるため、実施の形態１と比べて、内挿画像信号生成のための演算が容易である。
【００８０】
さらに、本実施の形態の画像表示装置１００には、内挿画像信号生成の用途で広く用いられている既存のシステムを、大幅なプログラム変更を加えることなく適用することができる。２倍速駆動のための内挿画像信号を生成する既存のシステムは、前後２つのフレームの丁度中間の画像を中間フレームとして演算するようプログラムされているためである。
【００８１】
さらに、第８１１ラインから第１０８０ラインまでの領域における表示パネルのホールド時間は、最長で８．３ｍｓとなり、従来の等速線順次駆動の場合の約１６．７ｍｓに比べて短くなるので、画像の動きによって生じる画像のぼけを低減することができる。
【００８２】
以上説明したように、本実施の形態によれば、表示領域内の限定された領域でのみリフレッシュレートを高速化することにより、表示フレームレートの高速化に伴う走査速度の大幅な高速化を抑制することができる。したがって、高フレームレート駆動が表示パネルの応答性によって阻害されることなく実現され、動画像のぼけが動き適応的に低減され、ひいては動画像の高精細化が実現される。
【００８３】
（実施の形態３）
以下、本発明の実施の形態３に係る画像表示装置について説明する。本実施の形態の画像表示装置は構成上、実施の形態１の画像表示装置１００と同様である。よって、実施の形態１で説明したものと同一の構成要素に言及するときには、同一の参照番号を付すことにより、その構成要素についての詳細な説明を省略する。
【００８４】
本実施の形態は、内挿画像信号生成部１０６が表示データ信号を生成する際に、補間画像表示のための走査を１フレーム分の元画像表示のための走査に割り込ませて一部の走査線群の走査の時間間隔を均一化する点において、実施の形態１と相違する。
【００８５】
図１２は、本実施の形態の走査駆動動作の一例を説明するための図である。
【００８６】
図１２に示す例では、表示領域内の２つの区分領域のうち一方の区分領域（高レート領域）が他方の区分領域に比べて高いリフレッシュレートで更新されることにより、表示フレームレートが高速化される。図１２において、第２走査線群は、表示領域において内挿画像信号の情報がカバーする区分領域に対応する第８１１ラインから第１０８０ラインまでを含む走査線の集合であり、第１走査線群は、表示領域におけるその他の領域に対応する第１ラインから第８１０ラインまでを含む走査線の集合である。
【００８７】
時刻ｔ３ａには、入力画像信号に基づく元画像として第１フレームを表示するための走査が、対応する位相信号に基づくゲートドライバ制御信号に従って、第１ラインから開始される。時刻ｔ３ａにおける第１ラインの走査に続いて第１走査線群が順次走査される。そして、時刻ｔ３ｂに、第１フレーム表示のための第４０５ラインまでの走査が完了すると、第１フレーム表示のための走査が中断され、第４０６ラインから第１０８０ラインまでの走査がスキップされる。
【００８８】
時刻ｔ３ｂからは、内挿画像信号に基づく補間画像として第１中間フレームを表示するための走査が開始される。すなわち、対応する位相信号に基づくゲートドライバ制御信号に従って、第８１１ラインからの走査が開始される。第８１１ラインの走査に続いて第２走査線群の走査が順次行われ、時刻ｔ３ｃにそれが完了すると、第１中間フレーム表示のための走査が完了する。
【００８９】
時刻ｔ３ｃからは、さきほど中断された第１フレーム表示のための走査が再開される。すなわち、対応する位相信号に基づくゲートドライバ制御信号に従って、さきほどスキップされた第４０６ラインから第１０８０ラインまでの走査が順次行われ、時刻ｔ３ｅにそれが完了する。すなわち、第１フレーム表示期間における全走査線の順次走査の途中に、第１中間フレーム表示期間における第２走査線群の順次走査が割り込んでいる。
【００９０】
そして、時刻ｔ３ｅには、入力画像信号に基づく元画像として第２フレームを表示するための走査が、対応する位相信号に基づくゲートドライバ制御信号に従って、第１ラインから開始される。時刻ｔ３ｅにおける第１ラインの走査に続いて第１走査線群が順次走査される。そして、時刻ｔ３ｆに、第２フレーム表示のための第４０５ラインまでの走査が完了すると、第２フレーム表示のための走査が中断され、第４０６ラインから第１０８０ラインまでの走査がスキップされる。
【００９１】
時刻ｔ３ｆからは、内挿画像信号に基づく補間画像として第２中間フレームを表示するための走査が開始される。すなわち、対応する位相信号に基づくゲートドライバ制御信号に従って、第８１１ラインからの走査が開始される。第８１１ラインの走査に続いて第２走査線群の走査が順次行われ、時刻ｔ３ｇにそれが完了すると、第２中間フレーム表示のための走査が完了する。
【００９２】
時刻ｔ３ｇからは、さきほど中断された第２フレーム表示のための走査が再開される。すなわち、対応する位相信号に基づくゲートドライバ制御信号に従って、さきほどスキップされた第４０６ラインから第１０８０ラインまでの走査が順次行われ、時刻ｔ３ｉにそれが完了する。すなわち、第２フレーム表示期間における全走査線の順次走査の途中に、第２中間フレーム表示期間における第２走査線群の順次走査が割り込んでいる。
【００９３】
上記走査駆動動作によれば、元画像表示は、全ての走査線の走査によって行われるのに対し、補間画像表示は、第２走査線群に含まれる走査線のみの走査によって行われる。このため、上記各実施の形態と同様に、各走査線の走査速度の大幅な上昇を抑制することができる。
【００９４】
走査速度の大幅な上昇が抑制される効果は、図１３を参照すれば明らかである。図１３は、従来の走査駆動動作と本実施の形態の走査駆動動作とを比較するための図であり、前者は図１３Ａに示され、後者は図１３Ｂに示される。比較のために図１３Ａに例示した従来技術は上記の等速線順次駆動であり、入力画像信号の１フレーム期間に相当する時間ごとに補間画像表示は行われず表示フレームレートは高速化されない。これに対し、本実施の形態では入力画像信号の１フレーム期間に相当する時間ごとに補間画像表示が行われて表示フレームレートが２倍に高速化される。このため、本実施の形態の走査速度を表す角度θ３は、従来技術の走査速度を表す角度θ０よりも大きくなる。しかし、補間画像表示のために繰り返し走査を行う範囲が一部の走査線のみに限られるため、角度θ３と角度θ０との間に大きな差異はない。上記前提条件に基づいて計算すると、本実施の形態のライン走査周期は約１２．３μｓとなる。これは、従来の等速線順次駆動のライン走査周期の約１５．４μｓよりも若干短いが、従来の２倍速線順次駆動のライン走査周期の約７．７μｓよりも大幅に長い。このように、本実施の形態では、前述の各実施の形態と同様に十分に長いライン走査周期を確保することができる。このため、高フレームレート駆動が表示パネルの応答性によって阻害される可能性を低減することができる。すなわち、高フレームレート駆動を実現するとともに動き適応的に動画像のぼけを低減して、動画像の高精細化を図ることができる。
【００９５】
また、上記走査駆動動作によれば、補間画像表示期間における第２走査線群の走査を元画像表示期間における全ての走査線の走査に割り込ませている。これにより、図１２に示すように、第２走査線群の走査の時間間隔Ｉ３は均一化される。具体的には時間間隔Ｉ３は約８．３ｍｓである。したがって、実施の形態２で実現された特有の効果を本実施の形態においても実現することができる。
【００９６】
以上説明したように、本実施の形態によれば、表示領域内の限定された領域でのみリフレッシュレートを高速化することにより、表示フレームレートの高速化に伴う走査速度の大幅な高速化を抑制することができる。したがって、高フレームレート駆動が表示パネルの応答性によって阻害されることなく実現され、動画像のぼけが動き適応的に低減され、ひいては動画像の高精細化が実現される。
【００９７】
また、本実施の形態においては、遅延時間の点で、実施の形態２に比べてさらに有利な効果を実現することができる。その理由は下記のとおりである。
【００９８】
図１４は、実施の形態２の走査タイミングと実施の形態３の走査タイミングとを比較するための図であり、前者は図１４Ａに示され、後者は図１４Ｂに示される。
【００９９】
図１４Ａに示す実施の形態２においては、第１中間フレームは第１フレームと第２フレームとの間に内挿される。つまり、第１フレームのベースとなる入力画像信号と第２フレームのベースとなる入力画像信号とから生成された、第１中間フレームのベースとなる内挿画像信号は、それら２つの入力画像信号の間に内挿される。
【０１００】
これに対し、図１４Ｂに示す実施の形態３においては、第１フレームのベースとなる入力画像信号と第２フレームのベースとなる入力画像信号とから生成された内挿画像信号に基づく補間画像は、第２中間フレームである。したがって、図１４Ａに示す実施の形態２の第１中間フレーム表示期間に表示される第１中間フレームと、図１４Ｂに示す本実施の形態の第２中間フレーム表示期間に表示される第２中間フレームとは、同一の画像となる。実施の形態２の第１中間フレームのベースとなる内挿画像信号も、本実施の形態の第２中間フレームのベースとなる内挿画像信号も、２フレーム分の画像信号入力されるタイミング以降に生成可能となるため、これらの信号は互いに同じタイミングで生成することが可能である。
【０１０１】
そこで、それぞれの内挿画像信号が同時に生成されたと仮定して、図示されているように実施の形態２の第１中間フレームの走査タイミングと本実施の形態の第２中間フレームの走査タイミングとを合わせると、本実施の形態の各フレームの走査は、実施の形態２の各フレームの走査よりも時間差Ｄだけ早く行うことができる。この理由は次のとおりである。実施の形態２の場合は中間フレームの内挿画像信号が２フレーム分の入力画像信号の中間部に内挿される。これに対し、本実施の形態の場合は中間フレームの内挿画像信号が２フレーム分の入力画像信号の後方部、つまり第２フレームの入力画像信号に内挿される結果、本実施の形態の場合は相対的に早期に各フレームを表示することが可能となる。したがって、本実施の形態においては、実施の形態２と比べて、画像信号入力のタイミングから元画像表示のタイミングまでの遅延時間を短縮化することができる。
【０１０２】
このように、本実施の形態においては、遅延時間を短縮化することができるため、ビデオゲームのユーザ入力から画面表示までの応答を高速化したりリップシンク調整のための音声用遅延回路を小規模化したりする効果が得られる。
【０１０３】
（実施の形態４）
以下、本発明の実施の形態４に係る画像表示装置について説明する。本実施の形態の画像表示装置は構成上、実施の形態１の画像表示装置１００と同様である。よって、実施の形態１で説明したものと同一の構成要素に言及するときには、同一の参照番号を付すことにより、その構成要素についての詳細な説明を省略する。
【０１０４】
本実施の形態は、１フレーム分の元画像に対して複数フレーム分の補間画像が表示される点において、実施の形態１と相違する。
【０１０５】
図１５は、本実施の形態の走査駆動動作の一例を説明するための図である。
【０１０６】
図１５に示す例では、表示領域内の２つの区分領域のうち一方の区分領域（高レート領域）が他方の区分領域に比べて高いリフレッシュレートで更新されることにより、表示フレームレートが高速化される。図１５において、第２走査線群は、表示領域において内挿画像信号の情報がカバーする区分領域に対応する第９９１ラインから第１０８０ラインまでを含む走査線の集合である。第１走査線群は、表示領域におけるその他の領域に対応する第１ラインから第９９０ラインまでを含む走査線の集合である。
【０１０７】
時刻ｔ４ａには、入力画像信号に基づく元画像として第１フレームを表示するための走査が、対応する位相信号に基づくゲートドライバ制御信号に従って、第１ラインから開始される。
【０１０８】
時刻ｔ４ａにおける第１ラインの走査に続いて第１走査線群が順次走査され、時刻ｔ４ｂには、第１フレーム表示のための第１走査線群の走査が完了する。時刻ｔ４ｂからは、引き続き第１フレーム表示のための第２走査線群の走査が順次行われ、時刻ｔ４ｃにそれが完了する。すなわち、第１フレーム表示期間における全走査線の順次走査は途中で途切れることなく行われる。
【０１０９】
続いて、第１１中間フレーム、第１２中間フレームおよび第１３中間フレームを順次表示するための走査が行われる。第１１中間フレーム、第１２中間フレームおよび第１３中間フレームのそれぞれのベースとなる内挿画像信号は、第１フレームと第２フレームとの間の動き補償のために、第１フレームの入力画像信号と第２フレームの入力画像信号とから生成され、それら２つの入力画像信号の間に順次内挿されている。
【０１１０】
時刻ｔ４ｃには、内挿画像信号に基づく補間画像として第１１中間フレームを表示するための走査が、対応する位相信号に基づくゲートドライバ制御信号に従って、第９９１ラインから開始される。第９９１ラインの走査に続いて第２走査線群の走査が順次行われ、時刻ｔ４ｄに第１１中間フレーム表示のための第２走査線群の走査が完了する。
【０１１１】
時刻ｔ４ｄには、内挿画像信号に基づく補間画像として第１２中間フレームを表示するための走査が、対応する位相信号に基づくゲートドライバ制御信号に従って、第９９１ラインから開始される。第９９１ラインの走査に続いて第２走査線群の走査が順次行われ、時刻ｔ４ｅに第１２中間フレーム表示のための第２走査線群の走査が完了する。
【０１１２】
時刻ｔ４ｅには、内挿画像信号に基づく補間画像として第１３中間フレームを表示するための走査が、対応する位相信号に基づくゲートドライバ制御信号に従って、第９９１ラインから開始される。第９９１ラインの走査に続いて第２走査線群の走査が順次行われ、時刻ｔ４ｆに第１３中間フレーム表示のための第２走査線群の走査が完了する。
【０１１３】
そして、時刻ｔ４ｆには、入力画像信号に基づく元画像として第２フレームを表示するための走査が、対応する位相信号に基づくゲートドライバ制御信号に従って、第１ラインから開始される。
【０１１４】
時刻ｔ４ｆにおける第１ラインの走査に続いて第１走査線群が順次走査され、時刻ｔ４ｇには、第２フレーム表示のための第１走査線群の走査が完了する。時刻ｔ４ｇからは、引き続き第２フレーム表示のための第２走査線群の走査が順次行われ、時刻ｔ４ｈにそれが完了する。すなわち、第２フレーム表示期間における全走査線の順次走査は途中で途切れることなく行われる。
【０１１５】
続いて、第２１中間フレーム、第２２中間フレームおよび第２３中間フレームを順次表示するための走査が行われる。第２１中間フレーム、第２２中間フレームおよび第２３中間フレームのそれぞれのベースとなる内挿画像信号は、第２フレームと第３フレームとの間の動き補償のために、第２フレームの入力画像信号と第３フレームの入力画像信号とから生成され、それら２つの入力画像信号の間に順次内挿されている。
【０１１６】
時刻ｔ４ｈには、内挿画像信号に基づく補間画像として第２１中間フレームを表示するための走査が、対応する位相信号に基づくゲートドライバ制御信号に従って、第９９１ラインから開始される。第９９１ラインの走査に続いて第２走査線群の走査が順次行われ、時刻ｔ４ｉに第２１中間フレーム表示のための第２走査線群の走査が完了する。
【０１１７】
時刻ｔ４ｉには、内挿画像信号に基づく補間画像として第２２中間フレームを表示するための走査が、対応する位相信号に基づくゲートドライバ制御信号に従って、第９９１ラインから開始される。第９９１ラインの走査に続いて第２走査線群の走査が順次行われ、時刻ｔ４ｊに第２２中間フレーム表示のための第２走査線群の走査が完了する。
【０１１８】
時刻ｔ４ｊには、内挿画像信号に基づく補間画像として第２３中間フレームを表示するための走査が、対応する位相信号に基づくゲートドライバ制御信号に従って、第９９１ラインから開始される。第９９１ラインの走査に続いて第２走査線群の走査が順次行われ、時刻ｔ４ｋに第２３中間フレーム表示のための第２走査線群の走査が完了する。
【０１１９】
上記走査駆動動作によれば、元画像表示は、全ての走査線の走査によって行われるのに対し、補間画像表示は、第２走査線群に含まれる走査線のみの走査によって行われる。このため、上記各実施の形態と同様に、各走査線の走査速度の大幅な上昇を抑制することができる。
【０１２０】
走査速度の大幅な上昇が抑制される効果は、図１６を参照すれば明らかである。図１６は、従来の走査駆動動作と本実施の形態の走査駆動動作とを比較するための図であり、前者は図１６Ａに示され、後者は図１６Ｂに示される。比較のために図１６Ａに例示した従来技術は上記の等速線順次駆動であり、入力画像信号の１フレーム期間に相当する時間ごとに補間画像表示は行われず表示フレームレートは高速化されない。これに対し、本実施の形態では入力画像信号の１フレーム期間に相当する時間ごとに補間画像表示が行われて表示フレームレートが高速化される。このため、本実施の形態の走査速度を表す角度θ４は、従来技術の走査速度を表す角度θ０よりも大きくなる。しかし、補間画像表示のために繰り返し走査を行う範囲が一部の走査線のみに限られるため、角度θ４と角度θ０との間に大きな差異はない。上記前提条件に基づいて計算すると、本実施の形態のライン走査周期は約１２．３μｓとなり、したがって、前述の各実施の形態と同様に十分に長いライン走査周期を確保することができる。このため、高フレームレート駆動が表示パネルの応答性によって阻害される可能性を低減することができる。すなわち、高フレームレート駆動を実現するとともに動き適応的に動画像のぼけを低減して、動画像の高精細化を図ることができる。
【０１２１】
（実施の形態５）
以下、本発明の実施の形態５に係る画像表示装置について説明する。本実施の形態の画像表示装置は構成上、実施の形態１の画像表示装置１００と同様である。よって、実施の形態１で説明したものと同一の構成要素に言及するときには、同一の参照番号を付すことにより、その構成要素についての詳細な説明を省略する。
【０１２２】
本実施の形態は、１フレーム分の元画像に対して３フレーム分の補間画像が表示される点において、実施の形態１と相違する。さらに、本実施の形態は、内挿画像信号生成部１０６が表示データ信号を生成する際に、補間画像表示のための走査を１フレーム分の元画像表示のための走査に割り込ませて一部の走査線群の走査の時間間隔を均一化する点において、実施の形態１と相違する。
【０１２３】
図１７は、本実施の形態の走査駆動動作の一例を説明するための図である。
【０１２４】
図１７に示す例では、表示領域内の２つの区分領域のうち一方の区分領域（高レート領域）が他方の区分領域に比べて高いリフレッシュレートで更新されることにより、表示フレームレートが高速化される。図１７において、第２走査線群は、表示領域において内挿画像信号の情報がカバーする区分領域に対応する第９９１ラインから第１０８０ラインまでを含む走査線の集合である。第１走査線群は、表示領域におけるその他の領域に対応する第１ラインから第９９０ラインまでを含む走査線の集合である。
【０１２５】
時刻ｔ５ａには、入力画像信号に基づく元画像として第１フレームを表示するための走査が、対応する位相信号に基づくゲートドライバ制御信号に従って、第１ラインから開始される。
【０１２６】
時刻ｔ５ａにおける第１ラインの走査に続いて第１走査線群が順次走査され、時刻ｔ５ｂに第１フレーム表示のための走査が中断され、第２４９ラインから第１０８０ラインまでの走査がスキップされる。
【０１２７】
時刻ｔ５ｂからは、内挿画像信号に基づく補間画像として第１１中間フレームを表示するための走査が開始される。すなわち、対応する位相信号に基づくゲートドライバ制御信号に従って、第９９１ラインからの走査が開始される。第９９１ラインの走査に続いて第２走査線群の走査が順次行われ、時刻ｔ５ｃにそれが完了すると、第１１中間フレーム表示のための走査が完了する。
【０１２８】
時刻ｔ５ｃからは、さきほど中断された第１フレーム表示のための走査が再開される。すなわち、対応する位相信号に基づくゲートドライバ制御信号に従って、さきほどスキップされた第２４９ラインから走査が順次行われる。時刻ｔ５ｄには、第１フレーム表示のための走査が再度中断され、第４９７ラインから第１０８０ラインまでの走査がスキップされる。
【０１２９】
時刻ｔ５ｄからは、内挿画像信号に基づく補間画像として第１２中間フレームを表示するための走査が開始される。すなわち、対応する位相信号に基づくゲートドライバ制御信号に従って、第９９１ラインからの走査が開始される。第９９１ラインの走査に続いて第２走査線群の走査が順次行われ、時刻ｔ５ｅにそれが完了すると、第１２中間フレーム表示のための走査が完了する。
【０１３０】
時刻ｔ５ｅからは、さきほど中断された第１フレーム表示のための走査が再開される。すなわち、対応する位相信号に基づくゲートドライバ制御信号に従って、さきほどスキップされた第４９７ラインから走査が順次行われる。時刻ｔ５ｆには、第１フレーム表示のための走査が再度中断され、第７４５ラインから第１０８０ラインまでの走査がスキップされる。
【０１３１】
時刻ｔ５ｆからは、内挿画像信号に基づく補間画像として第１３中間フレームを表示するための走査が開始される。すなわち、対応する位相信号に基づくゲートドライバ制御信号に従って、第９９１ラインからの走査が開始される。第９９１ラインの走査に続いて第２走査線群の走査が順次行われ、時刻ｔ５ｇにそれが完了すると、第１３中間フレーム表示のための走査が完了する。
【０１３２】
時刻ｔ５ｇからは、さきほど中断された第１フレーム表示のための走査が再開される。すなわち、対応する位相信号に基づくゲートドライバ制御信号に従って、さきほどスキップされた第７４５ラインから走査が順次行われる。
【０１３３】
時刻ｔ５ｈには、第１フレーム表示のための第１走査線群の走査が完了し、時刻ｔ５ｈからは、引き続き第１フレーム表示のための第２走査線群の走査が順次行われ、時刻ｔ５ｉにそれが完了する。
【０１３４】
このように、第１フレーム表示期間における全走査線の順次走査の途中に、第１１中間フレーム表示期間、第１２中間フレーム表示期間および第１３中間フレーム表示期間における第２走査線群の順次走査が割り込んでいる。
【０１３５】
そして、時刻ｔ５ｉには、入力画像信号に基づく元画像として第２フレームを表示するための走査が、対応する位相信号に基づくゲートドライバ制御信号に従って、第１ラインから開始される。
【０１３６】
時刻ｔ５ｉにおける第１ラインの走査に続いて第１走査線群が順次走査され、時刻ｔ５ｊに第２フレーム表示のための走査が中断され、第２４９ラインから第１０８０ラインまでの走査がスキップされる。
【０１３７】
時刻ｔ５ｊからは、内挿画像信号に基づく補間画像として第２１中間フレームを表示するための走査が開始される。すなわち、対応する位相信号に基づくゲートドライバ制御信号に従って、第９９１ラインからの走査が開始される。第９９１ラインの走査に続いて第２走査線群の走査が順次行われ、時刻ｔ５ｋにそれが完了すると、第２１中間フレーム表示のための走査が完了する。
【０１３８】
時刻ｔ５ｋからは、さきほど中断された第２フレーム表示のための走査が再開される。すなわち、対応する位相信号に基づくゲートドライバ制御信号に従って、さきほどスキップされた第２４９ラインから走査が順次行われる。時刻ｔ５ｌには、第２フレーム表示のための走査が再度中断され、第４９７ラインから第１０８０ラインまでの走査がスキップされる。
【０１３９】
時刻ｔ５ｌからは、内挿画像信号に基づく補間画像として第２２中間フレームを表示するための走査が開始される。すなわち、対応する位相信号に基づくゲートドライバ制御信号に従って、第９９１ラインからの走査が開始される。第９９１ラインの走査に続いて第２走査線群の走査が順次行われ、時刻ｔ５ｍにそれが完了すると、第２２中間フレーム表示のための走査が完了する。
【０１４０】
時刻ｔ５ｍからは、さきほど中断された第２フレーム表示のための走査が再開される。すなわち、対応する位相信号に基づくゲートドライバ制御信号に従って、さきほどスキップされた第４９７ラインから走査が順次行われる。時刻ｔ５ｎには、第２フレーム表示のための走査が再度中断され、第７４５ラインから第１０８０ラインまでの走査がスキップされる。
【０１４１】
時刻ｔ５ｎからは、内挿画像信号に基づく補間画像として第２３中間フレームを表示するための走査が開始される。すなわち、対応する位相信号に基づくゲートドライバ制御信号に従って、第９９１ラインからの走査が開始される。第９９１ラインの走査に続いて第２走査線群の走査が順次行われ、時刻ｔ５ｏにそれが完了すると、第２３中間フレーム表示のための走査が完了する。
【０１４２】
時刻ｔ５ｏからは、さきほど中断された第２フレーム表示のための走査が再開される。すなわち、対応する位相信号に基づくゲートドライバ制御信号に従って、さきほどスキップされた第７４５ラインから走査が順次行われる。
【０１４３】
時刻ｔ５ｐには、第２フレーム表示のための第１走査線群の走査が完了し、時刻ｔ５ｐからは、引き続き第２フレーム表示のための第２走査線群の走査が順次行われ、時刻ｔ５ｑにそれが完了する。
【０１４４】
このように、第２フレーム表示期間における全走査線の順次走査の途中に、第２１中間フレーム表示期間、第２２中間フレーム表示期間および第２３中間フレーム表示期間における第２走査線群の順次走査が割り込んでいる。
【０１４５】
上記走査駆動動作によれば、元画像表示は、全ての走査線の走査によって行われるのに対し、補間画像表示は、第２走査線群に含まれる走査線のみの走査によって行われる。このため、図１７において角度θ５で表される各走査線の走査速度は、上記各実施の形態と同様に大幅な上昇が抑制される。
【０１４６】
また、上記走査駆動動作によれば、補間画像表示期間における第２走査線群の走査を元画像表示期間における全ての走査線の走査に割り込ませている。これにより、図１７に示すように、時間間隔Ｉ５は互いに等しくなる。すなわち、第２走査線群の走査が均一時間間隔で行われる。したがって、実施の形態２で実現された特有の効果を本実施の形態においても実現することができる。
【０１４７】
（実施の形態６）
以下、本発明の実施の形態６に係る画像表示装置について説明する。本実施の形態の画像表示装置は構成上、実施の形態１の画像表示装置１００と同様である。よって、実施の形態１で説明したものと同一の構成要素に言及するときには、同一の参照番号を付すことにより、その構成要素についての詳細な説明を省略する。
【０１４８】
本実施の形態は、補間画像表示期間において別々の走査線群が異なる回数走査される点において、実施の形態１と相違する。
【０１４９】
図１８は、本実施の形態の走査駆動動作の一例を説明するための図である。
【０１５０】
図１８に示す例では、表示領域内の４つの区分領域のうち中央領域（第１の高レート領域）が最も高いリフレッシュレートで更新され、表示領域内の４つの区分領域のうち下方領域（第２の高レート領域）がその次に高いリフレッシュレートで更新されることにより、表示フレームレートが高速化される。図１８において、第２走査線群は、表示領域において内挿画像信号の情報がカバーする区分領域に対応する第３０１ラインから第３９０ラインまでを含む走査線の集合である。第３走査線群は、表示領域において内挿画像信号の情報がカバーする区分領域に対応する第９９１ラインから第１０８０ラインまでを含む走査線の集合である。第１走査線群は、表示領域におけるその他の領域に対応する第１ラインから第３００ラインまでと第３９１ラインから第９９０ラインまでとを含む走査線の集合である。
【０１５１】
時刻ｔ６ａには、入力画像信号に基づく元画像として第１フレームを表示するための走査が、対応する位相信号に基づくゲートドライバ制御信号に従って、第１ラインから開始される。
【０１５２】
時刻ｔ６ａにおける第１ラインの走査に続いて第１走査線群（第１ラインから第３００ライン）、第２走査線群（第３０１ラインから第３９０ライン）、第１走査線群（第３９１ラインから第９９０ライン）および第３走査線群（第９９１ラインから第１０８０ライン）が順次走査され、時刻ｔ６ｂにそれが完了する。すなわち、第１フレーム表示期間における全走査線の順次走査は途中で途切れることなく行われる。
【０１５３】
時刻ｔ６ｂには、内挿画像信号に基づく補間画像として第１１中間フレームを表示するための走査が、対応する位相信号に基づくゲートドライバ制御信号に従って、第３０１ラインから開始される。時刻ｔ６ｂにおける第３０１ラインの走査に続いて第２走査線群が順次走査され、時刻ｔ６ｃには第１１中間フレーム表示のための第２走査線群の走査が完了する。
【０１５４】
時刻ｔ６ｃには、内挿画像信号に基づく補間画像として第１２中間フレームを表示するための走査が、対応する位相信号に基づくゲートドライバ制御信号に従って、第９９１ラインから開始される。時刻ｔ６ｃにおける第９９１ラインの走査に続いて第３走査線群が順次走査され、時刻ｔ６ｄには第１２中間フレーム表示のための第３走査線群の走査が完了する。
【０１５５】
時刻ｔ６ｄには、内挿画像信号に基づく補間画像として第１３中間フレームを表示するための走査が、対応する位相信号に基づくゲートドライバ制御信号に従って、第３０１ラインから開始される。時刻ｔ６ｄにおける第３０１ラインの走査に続いて第２走査線群が順次走査され、時刻ｔ６ｅには第１３中間フレーム表示のための第２走査線群の走査が完了する。
【０１５６】
そして、時刻ｔ６ｅには、入力画像信号に基づく元画像として第２フレームを表示するための走査が、対応する位相信号に基づくゲートドライバ制御信号に従って、第１ラインから開始される。
【０１５７】
時刻ｔ６ｅにおける第１ラインの走査に続いて第１走査線群（第１ラインから第３００ライン）、第２走査線群（第３０１ラインから第３９０ライン）、第１走査線群（第３９１ラインから第９９０ライン）および第３走査線群（第９９１ラインから第１０８０ライン）が順次走査され、時刻ｔ６ｆにそれが完了する。すなわち、第２フレーム表示期間における全走査線の順次走査は途中で途切れることなく行われる。
【０１５８】
時刻ｔ６ｆには、内挿画像信号に基づく補間画像として第２１中間フレームを表示するための走査が、対応する位相信号に基づくゲートドライバ制御信号に従って、第３０１ラインから開始される。時刻ｔ６ｆにおける第３０１ラインの走査に続いて第２走査線群が順次走査され、時刻ｔ６ｇには第２１中間フレーム表示のための第２走査線群の走査が完了する。
【０１５９】
時刻ｔ６ｇには、内挿画像信号に基づく補間画像として第２２中間フレームを表示するための走査が、対応する位相信号に基づくゲートドライバ制御信号に従って、第９９１ラインから開始される。時刻ｔ６ｇにおける第９９１ラインの走査に続いて第３走査線群が順次走査され、時刻ｔ６ｈには第２２中間フレーム表示のための第３走査線群の走査が完了する。
【０１６０】
時刻ｔ６ｈには、内挿画像信号に基づく補間画像として第２３中間フレームを表示するための走査が、対応する位相信号に基づくゲートドライバ制御信号に従って、第３０１ラインから開始される。時刻ｔ６ｈにおける第３０１ラインの走査に続いて第２走査線群が順次走査され、時刻ｔ６ｉには第２３中間フレーム表示のための第２走査線群の走査が完了する。
【０１６１】
上記走査駆動動作によれば、元画像表示は、全ての走査線の走査によって行われるのに対し、補間画像表示は、第２走査線群および第３走査線群に含まれる走査線のみの走査によって行われる。このため、上記各実施の形態と同様に、各走査線の走査速度の大幅な上昇を抑制することができる。
【０１６２】
また、第２走査線群は第１フレーム表示期間と第２フレーム表示期間との間に２回走査され、第３走査線群は第１フレーム表示期間と第２フレーム表示期間との間に１回走査される。これにより、より一層の高精細化を実現することができる。
【０１６３】
走査速度の大幅な上昇が抑制される効果は、図１９を参照すれば明らかである。図１９は、従来の走査駆動動作と本実施の形態の走査駆動動作とを比較するための図であり、前者は図１９Ａに示され、後者は図１９Ｂに示される。比較のために図１９Ａに例示した従来技術は上記の等速線順次駆動であり、入力画像信号の１フレーム期間に相当する時間ごとに補間画像表示は行われず表示フレームレートは高速化されない。これに対し、本実施の形態では入力画像信号の１フレーム期間に相当する時間ごとに補間画像表示が行われて表示フレームレートが高速化される。このため、本実施の形態の走査速度を表す角度θ６は、従来技術の走査速度を表す角度θ０よりも大きくなる。しかし、補間画像表示のために繰り返し走査を行う範囲が一部の走査線のみに限られるため、角度θ６と角度θ０との間に大きな差異はない。上記前提条件に基づいて計算すると、本実施の形態のライン走査周期は約１２．３μｓとなり、したがって、前述の各実施の形態と同様に十分に長いライン走査周期を確保することができる。このため、高フレームレート駆動が表示パネルの応答性によって阻害される可能性を低減することができる。すなわち、高フレームレート駆動を実現するとともに動き適応的に動画像のぼけを低減して、動画像の高精細化を図ることができる。
【０１６４】
なお、本実施の形態において、第２走査線群と第３走査線群の走査順は、これに限られない。例えば、第１フレーム表示期間の後第３走査線群を走査し、その後第２走査線群を２回走査するようにしてもよい。また、第１フレーム表示期間の後第２走査線群を２回走査し、その後第３走査線群を走査するようにしてもよい。
【０１６５】
（実施の形態７）
以下、本発明の実施の形態７に係る画像表示装置について説明する。本実施の形態の画像表示装置は構成上、実施の形態１の画像表示装置１００と同様である。よって、実施の形態１で説明したものと同一の構成要素に言及するときには、同一の参照番号を付すことにより、その構成要素についての詳細な説明を省略する。
【０１６６】
本実施の形態は、補間画像表示期間において、走査線が全て走査されたり一部のみ走査されたりする点において、実施の形態１と相違する。
【０１６７】
図２０は、本実施の形態の走査駆動動作の一例を説明するための図である。
【０１６８】
図２０に示す例では、表示領域内の２つの区分領域の一方の区分領域（高レート領域）が他方の区分領域に比べて高いリフレッシュレートで更新されることにより、表示フレームレートが高速化される。図２０において、第１走査線群は、第１ラインから第２７０ラインまでと第８１１ラインから第１０８０ラインまでとを含む走査線の集合であり、第２走査線群は、その他の走査線、つまり第２７１ラインから第８１０ラインまでを含む走査線の集合である。
【０１６９】
時刻ｔ７ａには、入力画像信号に基づく元画像として第１フレームを表示するための走査が、対応する位相信号に基づくゲートドライバ制御信号に従って、第１ラインから開始される。
【０１７０】
時刻ｔ７ａにおける第１ラインの走査に続いて第１走査線群の一部、第２走査線群および第１走査線群の残余部が順次走査され、時刻ｔ７ｂにそれが完了する。すなわち、第１フレーム表示期間における全走査線の順次走査は途中で途切れることなく行われる。
【０１７１】
続いて、第１１中間フレーム、第１２中間フレームおよび第１３中間フレームを順次表示するための走査が行われる。ここで、第１１中間フレーム、第１２中間フレームおよび第１３中間フレームのベースとなる内挿画像信号は、第１フレームと第２フレームとの間の動き補償のために、第１フレームの入力画像信号と第２フレームの入力画像信号とから生成され、それら２つの入力画像信号の間に順次内挿されている。また、第１２中間フレームのベースとなる内挿画像信号は、表示領域の全体領域をカバーする情報量を有する。第１１中間フレームおよび第１３中間フレームのベースとなる内挿画像信号は、表示領域の一部領域のみをカバーする情報量を有する。
【０１７２】
時刻ｔ７ｂには、内挿画像信号に基づく補間画像として第１１中間フレームを表示するための走査が、対応する位相信号に基づくゲートドライバ制御信号に従って、第２７１ラインから開始される。時刻ｔ７ｂにおける第２７１ラインの走査に続いて第２走査線群が順次走査され、時刻ｔ７ｃには第１１中間フレーム表示のための走査が完了する。
【０１７３】
時刻ｔ７ｃには、内挿画像信号に基づく補間画像として第１２中間フレームを表示するための走査が、対応する位相信号に基づくゲートドライバ制御信号に従って、第１ラインから開始される。時刻ｔ７ｃにおける第１ラインの走査に続いて第１走査線群の一部、第２走査線群および第１走査線群の残余部が順次走査され、時刻ｔ７ｄには第１２中間フレーム表示のための走査が完了する。
【０１７４】
時刻ｔ７ｄには、内挿画像信号に基づく補間画像として第１３中間フレームを表示するための走査が、対応する位相信号に基づくゲートドライバ制御信号に従って、第２７１ラインから開始される。時刻ｔ７ｄにおける第２７１ラインの走査に続いて第２走査線群が順次走査され、時刻ｔ７ｅには第１３中間フレーム表示のための走査が完了する。
【０１７５】
そして、時刻ｔ７ｅには、入力画像信号に基づく元画像として第２フレームを表示するための走査が、対応する位相信号に基づくゲートドライバ制御信号に従って、第１ラインから開始される。
【０１７６】
時刻ｔ７ｅにおける第１ラインの走査に続いて第１走査線群の一部、第２走査線群および第１走査線群の残余部が順次走査され、時刻ｔ７ｆにそれが完了する。すなわち、第２フレーム表示期間における全走査線の順次走査は途中で途切れることなく行われる。
【０１７７】
続いて、第２１中間フレーム、第２２中間フレームおよび第２３中間フレームを順次表示するための走査が行われる。ここで、第２１中間フレーム、第２２中間フレームおよび第２３中間フレームのベースとなる内挿画像信号は、第２フレームと第３フレームとの間の動き補償のために、第２フレームの入力画像信号と第３フレームの入力画像信号とから生成され、それら２つの入力画像信号の間に順次内挿されている。また、第２２中間フレームのベースとなる内挿画像信号は、表示領域の全体領域をカバーする情報量を有する。第２１中間フレームおよび第２３中間フレームのベースとなる内挿画像信号は、表示領域の一部領域のみをカバーする情報量を有する。
【０１７８】
時刻ｔ７ｆには、内挿画像信号に基づく補間画像として第２１中間フレームを表示するための走査が、対応する位相信号に基づくゲートドライバ制御信号に従って、第２７１ラインから開始される。時刻ｔ７ｆにおける第２７１ラインの走査に続いて第２走査線群が順次走査され、時刻ｔ７ｇには第２１中間フレーム表示のための走査が完了する。
【０１７９】
時刻ｔ７ｇには、内挿画像信号に基づく補間画像として第２２中間フレームを表示するための走査が、対応する位相信号に基づくゲートドライバ制御信号に従って、第１ラインから開始される。時刻ｔ７ｇにおける第１ラインの走査に続いて第１走査線群の一部、第２走査線群および第１走査線群の残余部が順次走査され、時刻ｔ７ｈには第２２中間フレーム表示のための走査が完了する。
【０１８０】
時刻ｔ７ｈには、内挿画像信号に基づく補間画像として第２３中間フレームを表示するための走査が、対応する位相信号に基づくゲートドライバ制御信号に従って、第２７１ラインから開始される。時刻ｔ７ｈにおける第２７１ラインの走査に続いて第２走査線群が順次走査され、時刻ｔ７ｉには第２３中間フレーム表示のための走査が完了する。
【０１８１】
上記走査駆動動作によれば、元画像の表示は、全ての走査線の走査によって行われ、一部の補間画像の表示は、元画像の表示と同様に全ての走査線の走査によって行われ、その他の補間画像の表示は、第２走査線群に含まれる走査線のみの走査によって行われる。このため、上記各実施の形態と同様に、各走査線の走査速度の大幅な上昇を抑制することができる。
【０１８２】
また、一部の補間画像の表示は元画像の表示と同様に全ての走査線の走査によって行われるため、第１走査線群によって走査される表示領域においては、従来の２倍速線順次駆動と同様の効果を得ることができ、第２走査線群によって走査される表示領域においては、従来の４倍速線順次駆動と同様の効果を得ることができる。
【０１８３】
走査速度の大幅な上昇が抑制される効果は、図２１を参照すれば明らかである。図２１は、従来の走査駆動動作と本実施の形態の走査駆動動作とを比較するための図であり、前者は図２１Ａに示され、後者は図２１Ｃに示される。比較のために図２１Ｂに例示した従来技術は３倍速線順次駆動であり、入力画像信号の１フレーム期間に相当する時間ごとに補間画像表示が行われて表示フレームレートが３倍に高速化される。これに対し、本実施の形態では入力画像信号の１フレーム期間に相当する時間ごとに補間画像表示が行われて表示フレームレートがそれ以上に高速化される。本実施の形態では、従来技術に比べてさらに高速化されているにもかかわらず、走査速度を表す角度θ７が、従来技術の走査速度を表す角度θ’０に等しい値となっていることは明らかである。したがって、高フレームレート駆動が表示パネルの応答性によって阻害される可能性を低減することができる。すなわち、高フレームレート駆動を実現するとともに動き適応的に動画像のぼけを低減して、動画像の高精細化を図ることができる。
【０１８４】
なお、本実施の形態において、元画像の表示は、入力画像信号の１フレーム期間に相当する時間において１回しか行うことができない。しかし、元画像と同様に全ての走査線の走査によって行われる補間画像の表示は、同時間において１回以上行うことができる。一部の走査線群に含まれる走査線のみの走査によって行われる補間画像の表示も、同時間において１回以上行うことができる。
【０１８５】
（実施の形態８）
以下、本発明の実施の形態８に係る画像表示装置について説明する。本実施の形態の画像表示装置は構成上、実施の形態１の画像表示装置１００と同様である。よって、実施の形態１で説明したものと同一の構成要素に言及するときには、同一の参照番号を付すことにより、その構成要素についての詳細な説明を省略する。
【０１８６】
本実施の形態は、元画像の表示期間および元画像と同じく全体領域をカバーする情報量を有する補間画像の表示期間における各フレームの走査が必ずしも第１ラインから走査されない点において、実施の形態７と相違する。
【０１８７】
図２２は、本実施の形態の走査駆動動作の一例を説明するための図である。
【０１８８】
図２２に示す例では、表示領域内の２つの区分領域の一方の区分領域（高レート領域）が他方の区分領域に比べて高いリフレッシュレートで更新されることにより、表示フレームレートが高速化される。図２２において、第１走査線群は、第１ラインから第５４０ラインまでを含む走査線の集合であり、第２走査線群は、その他の走査線、つまり第５４１ラインから第１０８０ラインまでを含む走査線の集合である。
【０１８９】
時刻ｔ８ａには、入力画像信号に基づく元画像として第１フレームを表示するための走査が、対応する位相信号に基づくゲートドライバ制御信号に従って、第２７１ラインから開始される。
【０１９０】
時刻ｔ８ａにおける第２７１ラインの走査に続いて第１走査線群および第２走査線群が順次走査され、時刻ｔ８ｂに第１０８０ラインまでが完了する。さらに第１走査線群の第１ラインから第２７０ラインが走査され、時刻ｔ８ｃにそれが完了する。すなわち、第１フレーム表示期間における全走査線の順次走査は第２７１ラインから始まり第１０８０ラインおよび第１ラインを経由して第２７０ラインまでの走査が途中で途切れることなく行われる。
【０１９１】
続いて、第１１中間フレーム、第１２中間フレームおよび第１３中間フレームを順次表示するための走査が行われる。ここで、第１１中間フレーム、第１２中間フレームおよび第１３中間フレームのベースとなる内挿画像信号は、第１フレームと第２フレームとの間の動き補償のために、第１フレームの入力画像信号と第２フレームの入力画像信号とから生成され、それら２つの入力画像信号の間に順次内挿されている。また、第１２中間フレームのベースとなる内挿画像信号は、表示領域の全体領域をカバーする情報量を有する。第１１中間フレームおよび第１３中間フレームのベースとなる内挿画像信号は、表示領域の一部領域のみをカバーする情報量を有する。
【０１９２】
時刻ｔ８ｃには、内挿画像信号に基づく補間画像として第１１中間フレームを表示するための走査が、対応する位相信号に基づくゲートドライバ制御信号に従って、第５４１ラインから開始される。時刻ｔ８ｃにおける第５４１ラインの走査に続いて第２走査線群が順次走査され、時刻ｔ８ｄには第１１中間フレーム表示のための走査が完了する。
【０１９３】
時刻ｔ８ｄには、内挿画像信号に基づく補間画像として第１２中間フレームを表示するための走査が、対応する位相信号に基づくゲートドライバ制御信号に従って、第２７１ラインから開始される。時刻ｔ８ｄにおける第２７１ラインの走査に続いて第１走査線群および第２走査線群が順次走査され、時刻ｔ８ｅに第１０８０ラインまでが完了する。さらに第１走査線群の第１ラインから第２７０ラインが走査され、時刻ｔ８ｆには第１２中間フレーム表示のための走査が完了する。
【０１９４】
時刻ｔ８ｆには、内挿画像信号に基づく補間画像として第１３中間フレームを表示するための走査が、対応する位相信号に基づくゲートドライバ制御信号に従って、第５４１ラインから開始される。時刻ｔ８ｆにおける第５４１ラインの走査に続いて第２走査線群が順次走査され、時刻ｔ８ｇには第１３中間フレーム表示のための走査が完了する。
【０１９５】
そして、時刻ｔ８ｇには、入力画像信号に基づく元画像として第２フレームを表示するための走査が、対応する位相信号に基づくゲートドライバ制御信号に従って、第２７１ラインから開始される。
【０１９６】
時刻ｔ８ｇにおける第２７１ラインの走査に続いて第１走査線群および第２走査線群が順次走査され、時刻ｔ８ｈに第１０８０ラインまでが完了する。さらに第１走査線群の第１ラインから第２７０ラインが走査され、時刻ｔ８ｉにそれが完了する。すなわち、第２フレーム表示期間における全走査線の順次走査は第２７１ラインから始まり第１０８０ラインおよび第１ラインを経由して第２７０ラインまでの走査が途中で途切れることなく行われる。
【０１９７】
続いて、第２１中間フレーム、第２２中間フレームおよび第２３中間フレームを順次表示するための走査が行われる。ここで、第２１中間フレーム、第２２中間フレームおよび第２３中間フレームのベースとなる内挿画像信号は、第２フレームと第３フレームとの間の動き補償のために、第２フレームの入力画像信号と第３フレームの入力画像信号とから生成され、それら２つの入力画像信号の間に順次内挿されている。また、第２２中間フレームのベースとなる内挿画像信号は、表示領域の全体領域をカバーする情報量を有する。第２１中間フレームおよび第２３中間フレームのベースとなる内挿画像信号は、表示領域の一部領域のみをカバーする情報量を有する。
【０１９８】
時刻ｔ８ｉには、内挿画像信号に基づく補間画像として第２１中間フレームを表示するための走査が、対応する位相信号に基づくゲートドライバ制御信号に従って、第５４１ラインから開始される。時刻ｔ８ｉにおける第５４１ラインの走査に続いて第２走査線群が順次走査され、時刻ｔ８ｊには第２１中間フレーム表示のための走査が完了する。
【０１９９】
時刻ｔ８ｊには、内挿画像信号に基づく補間画像として第２２中間フレームを表示するための走査が、対応する位相信号に基づくゲートドライバ制御信号に従って、第２７１ラインから開始される。時刻ｔ８ｊにおける第２７１ラインの走査に続いて第１走査線群および第２走査線群が順次走査され、時刻ｔ８ｋに第１０８０ラインまでが完了する。さらに第１走査線群の第１ラインから第２７０ラインが走査され、時刻ｔ８ｌには第２２中間フレーム表示のための走査が完了する。
【０２００】
時刻ｔ８ｌには、内挿画像信号に基づく補間画像として第２３中間フレームを表示するための走査が、対応する位相信号に基づくゲートドライバ制御信号に従って、第５４１ラインから開始される。時刻ｔ８ｌにおける第５４１ラインの走査に続いて第２走査線群が順次走査され、時刻ｔ８ｍには第２３中間フレーム表示のための走査が完了する。
【０２０１】
上記走査駆動動作によれば、元画像の表示は、全ての走査線の走査によって行われ、一部の補間画像の表示は、元画像の表示と同様に全ての走査線の走査によって行われ、その他の補間画像の表示は、第２走査線群に含まれる走査線のみの走査によって行われる。このため、実施の形態７と同様に、各走査線の走査速度の大幅な上昇を抑制することができる。
【０２０２】
また、上記走査駆動動作によれば、元画像の表示期間および元画像と同じく全体領域をカバーする情報量を有する補間画像の表示期間において、各フレームの走査を第２７１ラインから走査している。
【０２０３】
これにより、図に示すように、第２走査線群の走査の時間間隔Ｉ８は均一化される。具体的には時間間隔Ｉ８は約４．２ｍｓである。
【０２０４】
元画像の表示期間および元画像と同じく全体領域をカバーする情報量を有する補間画像の表示期間において、各フレームの走査を開始する適切なラインは例えば次の通り算出が可能である。
【０２０５】
全体領域のライン数をＡ、高レート領域のライン数をＢ、高レート領域における先頭のラインをＣとする。この場合、元画像および元画像と同様の全体領域をカバーする補間画像のための走査開始位置（走査開始ライン）は、Ｃ＞（Ａ−Ｂ）÷２を満たす場合には第（Ｃ−０．５×（Ａ−Ｂ））ラインと設定されることが望ましい。また、Ｃ≦（Ａ−Ｂ）÷２を満たす場合には第（Ｃ＋０．５×（Ａ＋Ｂ））ラインと設定されることが望ましい。すなわち、高レート領域に対応する走査線群のライン数および先頭ラインに基づいて、元画像および元画像と同様に全体領域をカバーする補間画像のための走査開始ラインを設定する。高レート領域が例えば動き適応的に変更された場合には、走査開始ラインは上記計算に従って再設定される。
【０２０６】
なお、演算で少数点以下の端数が発生する場合には解がＡ以下の正の整数になるよう任意に丸めることが可能である。
【０２０７】
したがって、本実施の形態によれば任意の位置に設定される第２走査線群に対して高フレームレート駆動が表示パネルの応答性によって阻害される可能性を低減することができる。すなわち、高フレームレート駆動を実現するとともに動き適応的に動画像のぼけを低減して、動画像の高精細化を図ることができる。
【０２０８】
本実施の形態における特徴、特に、元画像および元画像と同様に全体領域をカバーする補間画像のための走査開始ラインを可変設定することは、上記各実施の形態における特徴と適宜組み合わせて実施することができる。
【０２０９】
（実施の形態９）
以下、本発明の実施の形態に係る画像表示装置について説明する。本実施の形態の画像表示装置は構成上、実施の形態１の画像表示装置１００と同様である。よって、実施の形態１で説明したものと同一の構成要素に言及するときには、同一の参照番号を付すことにより、その構成要素についての詳細な説明を省略する。
【０２１０】
本実施の形態は、内挿画像信号生成部１０６が表示データ信号を生成する際に、補間画像表示のための走査を元画像表示のための走査に割り込ませて一部の走査線群の走査の時間間隔を均一化する点において、実施の形態３と類似する。しかし、本実施の形態は、一部表示領域に対しては元画像表示のための走査を行わず、前記一部表示領域に対しては補間画像表示のための走査のみを行う点において、実施の形態３と相違する。また、本実施の形態は、元画像が全体領域をカバーしないという点で、上記各実施の形態と相違する。
【０２１１】
図２３は、本実施の形態の走査駆動動作の一例を説明するための図である。
【０２１２】
図２３に示す例では、表示領域内の２つの区分領域のうち一方の区分領域（高レート領域）が他方の区分領域に比べて高いリフレッシュレートで更新されることにより、表示フレームレートが高速化される。図２３において、第２走査線群は、表示領域において内挿画像信号の情報がカバーする区分領域に対応する第８１１ラインから第１０８０ラインまでを含む走査線の集合である。第１走査線群は、表示領域におけるその他の領域に対応する第１ラインから第８１０ラインまでを含む走査線の集合である。
【０２１３】
時刻ｔ９ａには、入力画像信号に基づく元画像として第１フレームを表示するための走査が、対応する位相信号に基づくゲートドライバ制御信号に従って、第１ラインから開始される。時刻ｔ９ａにおける第１ラインの走査に続いて第１走査線群が順次走査される。そして、時刻ｔ９ｂに、第１フレーム表示のための第４０５ラインまでの走査が完了すると、第１フレーム表示のための走査が中断され、第４０６ラインから第８１０ラインまでの走査がスキップされる。
【０２１４】
時刻ｔ９ｂからは、内挿画像信号に基づく補間画像として第１１中間フレームを表示するための走査が開始される。すなわち、対応する位相信号に基づくゲートドライバ制御信号に従って、第８１１ラインからの走査が開始される。第８１１ラインの走査に続いて第２走査線群の走査が順次行われ、時刻ｔ９ｃにそれが完了すると、第１１中間フレーム表示のための走査が完了する。
【０２１５】
時刻ｔ９ｃからは、さきほど中断された第１フレーム表示のための走査が再開される。すなわち、対応する位相信号に基づくゲートドライバ制御信号に従って、さきほどスキップされた第４０６ラインから第８１０ラインまでの走査が順次行われ、時刻ｔ９ｄにそれが完了する。すなわち、第１フレーム表示期間における第１ラインから第８１０ラインまでの順次走査の途中に、第１１中間フレーム表示期間における第２走査線群の順次走査が割り込んでいる。また第２走査線群において元画像である第１フレーム表示のための走査は行われない。
【０２１６】
時刻ｔ９ｄからは、内挿画像信号に基づく補間画像として第１２中間フレームを表示するための走査が開始される。すなわち、対応する位相信号に基づくゲートドライバ制御信号に従って、第８１１ラインからの走査が開始される。第８１１ラインの走査に続いて第２走査線群の走査が順次行われ、時刻ｔ９ｅにそれが完了すると、第１２中間フレーム表示のための走査が完了する。
【０２１７】
そして、時刻ｔ９ｅには、入力画像信号に基づく元画像として第２フレームを表示するための走査が、対応する位相信号に基づくゲートドライバ制御信号に従って、第１ラインから開始される。時刻ｔ９ｅにおける第１ラインの走査に続いて第１走査線群が順次走査される。そして、時刻ｔ９ｆに、第２フレーム表示のための第４０５ラインまでの走査が完了すると、第２フレーム表示のための走査が中断され、第４０６ラインから第８１０ラインまでの走査がスキップされる。
【０２１８】
時刻ｔ９ｆからは、内挿画像信号に基づく補間画像として第２１中間フレームを表示するための走査が開始される。すなわち、対応する位相信号に基づくゲートドライバ制御信号に従って、第８１１ラインからの走査が開始される。第８１１ラインの走査に続いて第２走査線群の走査が順次行われ、時刻ｔ９ｇにそれが完了すると、第２１中間フレーム表示のための走査が完了する。
【０２１９】
時刻ｔ９ｇからは、さきほど中断された第２フレーム表示のための走査が再開される。すなわち、対応する位相信号に基づくゲートドライバ制御信号に従って、さきほどスキップされた第４０６ラインから第８１０ラインまでの走査が順次行われ、時刻ｔ９ｈにそれが完了する。すなわち、第２フレーム表示期間における第１ラインから第８１０ラインまでの順次走査の途中に、第２１中間フレーム表示期間における第２走査線群の順次走査が割り込んでいる。また第２走査線群において元画像である第２フレーム表示のための走査は行われない。
【０２２０】
時刻ｔ９ｈからは、内挿画像信号に基づく補間画像として第２２中間フレームを表示するための走査が開始される。すなわち、対応する位相信号に基づくゲートドライバ制御信号に従って、第８１１ラインからの走査が開始される。第８１１ラインの走査に続いて第２走査線群の走査が順次行われ、時刻ｔ９ｉにそれが完了すると、第２２中間フレーム表示のための走査が完了する。
【０２２１】
なお、上記走査駆動動作において元画像表示のための第２走査線群の走査を回避するために、入力画像信号は、表示領域の一部領域のみをカバーする情報量を有するように処理されてもよい。
【０２２２】
上記走査駆動動作によれば、補間画像表示が一部の走査線群である第２走査線群に含まれる走査線のみの走査によって行われる。しかも、入力画像信号の１フレーム期間に相当する時間内に、元画像のフレームをＮ回（Ｎは１以上の整数）走査するのに対して補間画像のフレームをＭ回（ＭはＮより大きい整数）走査する。これに伴い、元画像表示は、第２走査線群を除く一部の走査線群である第１走査線群に含まれる走査線のみの走査によって行われる。したがって、上記各実施の形態と同様に、各走査線の走査速度の大幅な上昇を抑制することができる。
【０２２３】
また、上記走査駆動動作によれば、補間画像表示期間における第２走査線群の走査を元画像表示期間における第１走査線群の走査に割り込ませている。
【０２２４】
各ラインにおいては走査表示される時刻から次に同ラインが走査表示される時刻までの時間間隔は等しいことが望ましい。例えば図２３において第８１１ラインに注目すると、時間間隔Ｉ９−１と時間間隔Ｉ９−２とは等しいことが望ましい。また、前記実施の形態１の図８および前記実施の形態２の図１１で説明したとおり、各補間画像は走査表示される時間間隔に応じて内挿画像信号を生成する。
【０２２５】
上記割り込みを導入して第２走査線群の走査の時間間隔を均一化することにより、実施の形態２で実現された特有の効果を本実施の形態においても実現することができる。
【０２２６】
なお、本実施の形態における特徴、特に、一部の走査線群に含まれる走査線のみの走査によって元画像表示を行うことは、上記各実施の形態における特徴と適宜組み合わせて実施することができる。
【０２２７】
（実施の形態１０）
以下、本発明の実施の形態に係る画像表示装置について説明する。本実施の形態の画像表示装置は構成上、実施の形態１の画像表示装置１００と同様である。よって、実施の形態１で説明したものと同一の構成要素に言及するときには、同一の参照番号を付すことにより、その構成要素についての詳細な説明を省略する。
【０２２８】
本実施の形態は、内挿画像信号生成部１０６が表示データ信号を生成する際に、一画像の表示のための走査を他画像の表示のための走査に割り込ませて一部の走査線群の走査の時間間隔を均一化する点において、実施の形態３と類似する。しかし、本実施の形態は、元画像表示を行わず、補間画像表示のみを行う点において、実施の形態３と相違する。
【０２２９】
図２４は、本実施の形態の走査駆動動作の一例を説明するための図である。
【０２３０】
図２４に示す例では、表示領域内の２つの区分領域のうち一方の区分領域（高レート領域）が他方の区分領域に比べて高いリフレッシュレートで更新されることにより、表示フレームレートが高速化される。図２４において、第２走査線群は、第８１１ラインから第１０８０ラインまでを含む走査線の集合であり、第１走査線群は、その他の走査線、つまり第１ラインから第８１０ラインまでを含む走査線の集合である。
【０２３１】
時刻ｔ１０ａには、内挿画像信号に基づく補間画像として第１１中間フレームを表示するための走査が、対応する位相信号に基づくゲートドライバ制御信号に従って、第１ラインから開始される。時刻ｔ１０ａにおける第１ラインの走査に続いて第１走査線群が順次走査される。そして、時刻ｔ１０ｂに、第１１中間フレーム表示のための第４０５ラインまでの走査が完了すると、第１１中間フレーム表示のための走査が中断され、第４０６ラインから第８１０ラインまでの走査がスキップされる。
【０２３２】
時刻ｔ１０ｂからは、内挿画像信号に基づく補間画像として第１２中間フレームを表示するための走査が開始される。すなわち、対応する位相信号に基づくゲートドライバ制御信号に従って、第８１１ラインからの走査が開始される。第８１１ラインの走査に続いて第２走査線群の走査が順次行われ、時刻ｔ１０ｃにそれが完了すると、第１２中間フレーム表示のための走査が完了する。
【０２３３】
時刻ｔ１０ｃからは、さきほど中断された第１１中間フレーム表示のための走査が再開される。すなわち、対応する位相信号に基づくゲートドライバ制御信号に従って、さきほどスキップされた第４０６ラインから第８１０ラインまでの走査が順次行われ、時刻ｔ１０ｄにそれが完了する。すなわち、第１１中間フレーム表示期間における第１ラインから第８１０ラインまでの順次走査の途中に、第１２中間フレーム表示期間における第２走査線群の順次走査が割り込んでいる。
【０２３４】
時刻ｔ１０ｄからは、内挿画像信号に基づく補間画像として第１３中間フレームを表示するための走査が開始される。すなわち、対応する位相信号に基づくゲートドライバ制御信号に従って、第８１１ラインからの走査が開始される。第８１１ラインの走査に続いて第２走査線群の走査が順次行われ、時刻ｔ１０ｅにそれが完了すると、第１３中間フレーム表示のための走査が完了する。
【０２３５】
そして、時刻ｔ１０ｅには、内挿画像信号に基づく補間画像として第２１中間フレームを表示するための走査が、対応する位相信号に基づくゲートドライバ制御信号に従って、第１ラインから開始される。時刻ｔ１０ｅにおける第１ラインの走査に続いて第１走査線群が順次走査される。そして、時刻ｔ１０ｆに、第２１中間フレーム表示のための第４０５ラインまでの走査が完了すると、第２１中間フレームのための走査が中断され、第４０６ラインから第８１０ラインまでの走査がスキップされる。
【０２３６】
時刻ｔ１０ｆからは、内挿画像信号に基づく補間画像として第２２中間フレームを表示するための走査が開始される。すなわち、対応する位相信号に基づくゲートドライバ制御信号に従って、第８１１ラインからの走査が開始される。第８１１ラインの走査に続いて第２走査線群の走査が順次行われ、時刻ｔ１０ｇにそれが完了すると、第２２中間フレーム表示のための走査が完了する。
【０２３７】
時刻ｔ１０ｇからは、さきほど中断された第２１中間フレーム表示のための走査が再開される。すなわち、対応する位相信号に基づくゲートドライバ制御信号に従って、さきほどスキップされた第４０６ラインから第８１０ラインまでの走査が順次行われ、時刻ｔ１０ｈにそれが完了する。すなわち、第２１中間フレーム表示期間における第１ラインから第８１０ラインまでの順次走査の途中に、第２２中間フレーム表示期間における第２走査線群の順次走査が割り込んでいる。
【０２３８】
時刻ｔ１０ｈからは、内挿画像信号に基づく補間画像として第２３中間フレームを表示するための走査が開始される。すなわち、対応する位相信号に基づくゲートドライバ制御信号に従って、第８１１ラインからの走査が開始される。第８１１ラインの走査に続いて第２走査線群の走査が順次行われ、時刻ｔ１０ｉにそれが完了すると、第２３中間フレーム表示のための走査が完了する。
【０２３９】
上記走査駆動動作によれば、特定の補間画像の表示が一部の走査線群である第２走査線群に含まれる走査線のみの走査によって行われる。しかも、入力画像信号の１フレーム期間に相当する時間内に、別の補間画像のフレームをＮ回走査するのに対して、特定の補間画像のフレームをＭ回走査する。これに伴い、別の補間画像の表示は、第２走査線群を除く一部の走査線群である第１走査線群に含まれる走査線のみの走査によって行われる。さらに、このように特定の補間画像と別の補間画像とで相補的に表示領域全体がカバーされることより一定の画質が確保されるため、元画像の表示が省かれる。したがって、上記各実施の形態と同様に、各走査線の走査速度の大幅な上昇を抑制することができる。
【０２４０】
また、上記走査駆動動作によれば、特定の補間画像の表示期間における第２走査線群の走査を別の補間画像の表示期間における第１走査線群の走査に割り込ませている。
【０２４１】
各ラインにおいては走査表示される時刻から次に同ラインが走査表示される時刻までの時間間隔は等しいことが望ましい。例えば図２４において第８１１ラインに注目すると、時間間隔Ｉ１０−１と時間間隔Ｉ１０−２とは等しいことが望ましい。また、前記実施の形態１の図８および前記実施の形態２の図１１で説明したとおり、各補間画像は走査表示される時間間隔に応じて内挿画像信号を生成する。
【０２４２】
上記割り込みを導入して第２走査線群の走査の時間間隔を均一化することにより、実施の形態２で実現された特有の効果を本実施の形態においても実現することができる。
【０２４３】
なお、本実施の形態における特徴、特に、元画像の表示を省くことは、上記各実施の形態における特徴と適宜組み合わせて実施することができる。
【０２４４】
以上、本発明の各実施の形態について説明した。
【０２４５】
なお、以上の説明は本発明の好適な実施の形態の例証であり、本発明の範囲はこれに限定されない。つまり、上記装置の構成及び動作等についての説明は例であり、本発明の範囲においてこれらの例に対する様々な変更及び追加が可能であることは明らかである。
【０２４６】
例えば、上記各実施の形態では、液晶パネルを用いる液晶表示装置を画像表示装置の例として説明したが、有機ＥＬパネルを用いる有機ＥＬ表示装置など、様々なアクティブマトリクス型表示装置にも、本願発明は適用可能である。
【０２４７】
２００９年２月１９日出願の特願２００９−０３６９２３の日本出願に含まれる明細書、図面及び要約書の開示内容は、すべて本願に援用される。
【産業上の利用可能性】
【０２４８】
本発明に係る画像表示装置および画像表示方法は、動画像の高精細化を図ることができ、動画像を表示する画像表示装置および画像表示方法として有用である。
【符号の説明】
【０２４９】
１００  画像表示装置
１０１  画像プロセッサ
１０２  表示パネル制御回路
１０３  ゲートドライバ
１０４  ソースドライバ
１０５  表示パネル
１０６  内挿画像信号生成部
１０７  表示領域
１０８−１、１０８−２、１０８−ｎ、１０８−Ｎ  走査線
１０９−１、１０９−２、１０９−ｍ、１０９−Ｍ  データ線
【図１】
2010095387.tif 000003
【図２】
2010095387.tif 000004
【図３】
2010095387.tif 000005
【図４】
2010095387.tif 000006
【図５】
2010095387.tif 000007
【図６】
2010095387.tif 000008
【図７】
2010095387.tif 000009
【図８】
2010095387.tif 000010
【図９】
2010095387.tif 000011
【図１０】
2010095387.tif 000012
【図１１】
2010095387.tif 000013
【図１２】
2010095387.tif 000014
【図１３】
2010095387.tif 000015
【図１４】
2010095387.tif 000016
【図１５】
2010095387.tif 000017
【図１６】
2010095387.tif 000018
【図１７】
2010095387.tif 000019
【図１８】
2010095387.tif 000020
【図１９】
2010095387.tif 000021
【図２０】
2010095387.tif 000022
【図２１】
2010095387.tif 000023
【図２２】
2010095387.tif 000024
【図２３】
2010095387.tif 000025
【図２４】
2010095387.tif 000026
【手続補正書】
【提出日】平成22年4月27日(2010.4.27)
【手続補正１】
【補正対象書類名】明細書
【補正対象項目名】全文
【補正方法】変更
【補正の内容】
【発明の詳細な説明】
【技術分野】
【０００１】
本発明は、画像表示装置および画像表示方法に関する。
【背景技術】
【０００２】
アクティブ型液晶表示装置およびアクティブ型有機エレクトロルミネッセンス（ＥＬ）表示装置などのホールド型表示方式には、ＣＲＴ（cathode ray tube）表示装置などのインパルス型表示方式に比べて、ちらつきが少なく目が疲れにくいという利点がある。
【０００３】
その一方で、ホールド型表示方式での動画表示に関しては、動画像がフレーム間で動く画素数にわたって積分された画像として知覚され、この画像の動きによって生じる積分が画像のぼけを発生させる、ということが報告されている（例えば、特許文献１および特許文献２参照）。その理由としては、人間の視覚特性では通常、数１０ミリ秒以内の光刺激がほぼ完全に積分されて知覚される点と、４〜５度／秒以内の動きは眼球運動のみで追従可能である点などが挙げられる。
【０００４】
上記のような動画表示における画像の不自然さを改善する方式として、内挿画像信号を前後の入力画像信号から動き適応的に生成し、生成された内挿画像信号を当該２つの入力画像信号とともに順次使用して画像を表示する画像補間方式が、報告されている（例えば、特許文献１および特許文献３参照）。
【０００５】
ここで、画像補間方式に基づく従来の画像表示方法について説明する。
【０００６】
図１は、従来の画像表示方法の第１の例として、１０８０ラインの走査線を有する画像表示装置における２倍速駆動を示す。具体的には、表示フレームレートが入力フレームレートの２倍に高速化される２倍速線順次駆動を図１Ｂに示すとともに、比較のために、表示フレームレートが高速化されず入力フレームレートに等しい線順次駆動（以下「等速線順次駆動」という）を図１Ａに示す。なお、以下の説明において、入力フレームレートは、画像表示装置の画像プロセッサに入力される入力画像信号のレートをフレーム数単位で表すものであり、表示フレームレートは、画像表示装置の表示パネルから出力される画像のレートをフレーム数単位で表すものである。
【０００７】
図１Ａに示される等速線順次駆動では、入力画像信号に基づく画像（以下「元画像」という）として複数のフレーム（第１フレームおよび第２フレーム）が順次表示される。これに対し図１Ｂに示される２倍速線順次駆動では、入力画像信号に基づく元画像として複数のフレーム（第１フレームおよび第２フレーム）が表示される。これに加えて、入力画像信号から得られた内挿画像信号に基づく画像（以下「補間画像」という）として中間フレーム（第１中間フレームおよび第２中間フレーム）がフレーム間に内挿されて表示される。
【０００８】
このように、２倍速線順次駆動では、１フレームの元画像に対して１フレームの補間画像が追加的に表示されるので、表示フレームレートが入力フレームレートの２倍となる。したがって、例えば図２に示されるように、画面に表示されている動画像において●印が第１フレームと第２フレームとの間で５０ピクセル（pix）動く場合には、●印が第１フレームから２５ピクセルだけ動く第１中間フレームを内挿することにより、画像のぼけを低減することができる。
【０００９】
図３は、従来の画像表示方法の第２の例として、１０８０ラインの走査線を有する画像表示装置における４倍速駆動を示す。具体的には、表示フレームレートが入力フレームレートの４倍に高速化される４倍速線順次駆動を図３Ｂに示すとともに、比較のために、等速線順次駆動を図３Ａに示す。
【００１０】
図３Ａに示される等速線順次駆動では、元画像として複数のフレーム（第１フレームおよび第２フレーム）が順次表示される。これに対し図３Ｂに示される４倍速線順次駆動では、元画像として複数のフレーム（第１フレームおよび第２フレーム）が表示される。これに加えて、補間画像として複数の中間フレーム（第１１中間フレーム、第１２中間フレーム、第１３中間フレーム、第２１中間フレーム、第２２中間フレームおよび第２３中間フレーム）がフレーム間に内挿されて表示される。
【００１１】
このように、４倍速線順次駆動では、１フレームの元画像に対して３フレームの補間画像が追加的に表示されるので、表示フレームレートが入力フレームレートの４倍となる。したがって、４倍速線順次駆動は、２倍速線順次駆動よりもさらに画像のぼけを低減することができる。
【先行技術文献】
【特許文献】
【００１２】
【特許文献１】特許第３２９５４３７号公報
【特許文献２】特開平９−３２５７１５号公報
【特許文献３】特許第３８８４８８５号公報
【発明の概要】
【発明が解決しようとする課題】
【００１３】
しかしながら、上記従来の画像表示方法において、入力フレームレートよりも高いフレームレートでの表示を実現するには、走査速度の高速化が必要となる。
【００１４】
例えば、等速線順次駆動の場合、入力フレームレートが６０Ｈｚであると仮定すると、６０Ｈｚの垂直走査周波数で走査が行われる。よって、１０８０ラインの走査線を有する画像表示装置では、走査線１ラインあたりの走査時間であるライン走査周期は、約１５．４μｓとなる。
【００１５】
これに対し、２倍速線順次駆動の場合、同一仮定条件下では、１２０Ｈｚの垂直走査周波数で走査を行う必要がある。よって、１０８０ラインの走査線を有する画像表示装置では、ライン走査周期は約７．７μｓとなる。
【００１６】
同様に、４倍速線順次駆動の場合、同一仮定条件下では、２４０Ｈｚの垂直走査周波数で走査を行う必要がある。よって、１０８０ラインの走査線を有する画像表示装置では、ライン走査周期は約３．９μｓとなる。
【００１７】
このように、表示フレームレートを２倍、４倍、さらにそれ以上へと高速化するためには、全ての走査線のライン走査周期を１／２倍、１／４倍、さらにそれ以下へと短縮化する必要がある。すなわち、フレームレートの倍数とライン走査周期とは反比例の関係にある。しかし、走査線の走査速度には、表示パネルの応答性に依存する限界値があり、限界値を超えた高速での走査は困難である。したがって、上記従来の画像表示方法で用いられる倍速線順次駆動では、高フレームレート駆動が実現困難であり、動画像のぼけ低減などの高精細化に一定の限界がある。
【００１８】
本発明の目的は、動画像の高精細化を図ることができる画像表示装置および画像表示方法を提供することである。
【課題を解決するための手段】
【００１９】
本発明の画像表示装置は、入力画像信号から内挿画像信号を生成する信号処理部と、表示領域を有し、前記表示領域に、入力画像信号に基づく元画像および内挿画像信号に基づく補間画像の少なくとも一方を含む画像を順次表示する表示部と、を有し、前記表示部は、前記表示領域における特定の区分領域においては、前記入力画像信号の入力フレームレート以上のレートで画像を表示する前記表示領域における別の区分領域に比べて、高いレートで画像を表示する。
【００２０】
本発明の画像表示方法は、表示領域を有する画像表示装置において、前記表示領域に入力画像信号に基づく元画像および内挿画像信号に基づく補間画像の少なくとも一方を含む画像を順次表示する画像表示方法であって、前記表示領域における特定の区分領域においては、前記入力画像信号の入力フレームレート以上のレートで画像を表示する前記表示領域における別の区分領域に比べて、高いレートで画像を表示する。
【発明の効果】
【００２１】
本発明によれば、動画像の高精細化を図ることができる。
【図面の簡単な説明】
【００２２】
【図１】図１Ａは、従来の等速線順次駆動を説明するための図、図２Ｂは、従来の２倍速線順次駆動を説明するための図
【図２】従来の２倍速線順次駆動に係る元画像と補間画像との関係を説明するための図
【図３】図３Ａは、従来の等速線順次駆動を説明するための図、図３Ｂは、従来の４倍速線順次駆動を説明するための図
【図４】本発明の実施の形態１に係る画像表示装置の構成を示すブロック図
【図５】本発明の実施の形態１に係る内挿画像信号処理を説明するためのフロー図
【図６】本発明の実施の形態１に係る走査駆動動作を説明するための図
【図７】図７Ａは、従来の走査駆動動作における走査速度を説明するための図、図７Ｂは、本発明の実施の形態１に係る走査駆動動作における走査速度を説明するための図
【図８】本発明の実施の形態１に係る元画像と補間画像との関係を説明するための図
【図９】本発明の実施の形態２に係る走査駆動動作を説明するための図
【図１０】図１０Ａは、従来の走査駆動動作における走査速度を説明するための図、図１０Ｂは、本発明の実施の形態２に係る走査駆動動作における走査速度を説明するための図
【図１１】本発明の実施の形態２に係る元画像と補間画像との関係を説明するための図
【図１２】本発明の実施の形態３に係る走査駆動動作を説明するための図
【図１３】図１３Ａは、従来の走査駆動動作における走査速度を説明するための図、図１３Ｂは、本発明の実施の形態３に係る走査駆動動作における走査速度を説明するための図
【図１４】図１４Ａは、本発明の実施の形態２に係る走査駆動動作の遅延時間を説明するための図、図１４Ｂは、本発明の実施の形態３に係る走査駆動動作の遅延時間を説明するための図
【図１５】本発明の実施の形態４に係る走査駆動動作を説明するための図
【図１６】図１６Ａは、従来の走査駆動動作における走査速度を説明するための図、図１６Ｂは、本発明の実施の形態４に係る走査駆動動作における走査速度を説明するための図
【図１７】本発明の実施の形態５に係る走査駆動動作を説明するための図
【図１８】本発明の実施の形態６に係る走査駆動動作を説明するための図
【図１９】図１９Ａは、従来の走査駆動動作における走査速度を説明するための図、図１９Ｂは、本発明の実施の形態６に係る走査駆動動作における走査速度を説明するための図
【図２０】本発明の実施の形態７に係る走査駆動動作を説明するための図
【図２１】図２１Ａは、従来の走査駆動動作における走査速度を説明するための図、図２１Ｂは、従来の３倍速線順次駆動における走査駆動動作における走査速度を説明するための図、図２１Ｃは、本発明の実施の形態７に係る走査駆動動作における走査速度を説明するための図
【図２２】本発明の実施の形態８に係る走査駆動動作を説明するための図
【図２３】本発明の実施の形態９に係る走査駆動動作を説明するための図
【図２４】本発明の実施の形態１０に係る走査駆動動作を説明するための図
【発明を実施するための形態】
【００２３】
以下、本発明の各実施の形態について、図面を参照して詳細に説明する。
【００２４】
（実施の形態１）
図４は、本発明の実施の形態１に係る画像表示装置の構成を示すブロック図である。
【００２５】
図４において、画像表示装置１００は、画像プロセッサ１０１、表示パネル制御回路１０２、ゲートドライバ１０３、ソースドライバ１０４および表示パネル１０５を有する。画像プロセッサ１０１は、内挿画像信号生成部１０６を有する。また、表示パネル１０５は、表示画面としての表示領域１０７、Ｎ本の走査線１０８−１、１０８−２、…、１０８−ＮおよびＭ本のデータ線１０９−１、１０９−２、…、１０９−Ｍを有する。
【００２６】
信号処理部としての画像プロセッサ１０１において、内挿画像信号生成部１０６は、順次入力される画像信号に対して内挿画像信号生成処理を行う。矢印Ｓ１は、画像プロセッサ１０１に画像信号を入力する信号線を示す。
【００２７】
ここで、内挿画像信号生成部１０６により行われる内挿画像信号生成処理の一例について、図５を参照して説明する。
【００２８】
ステップＳＴ１０１では、画像信号が順次入力される。入力画像信号は画像プロセッサ１０１内のメモリ（図示せず）に一時的に格納される。
【００２９】
ステップＳＴ１０２では、先に入力された入力画像信号とその入力画像信号の直後に入力された入力画像信号とから、１つ以上の内挿画像信号を生成する。各入力画像信号は、表示領域１０７の全体領域をカバーする情報量を有するが、そこから生成される内挿画像信号は、表示領域１０７の全体領域をカバーする情報量を有するものであっても一部領域のみをカバーする情報量を有するものであってもよい。
【００３０】
一部領域のみをカバーする情報量を有する内挿画像信号を生成する場合、各入力画像信号から、表示領域１０７の一部領域に対応する部分を抽出して、抽出された部分に含まれる情報に基づいて、その一部領域のみをカバーする情報量の内挿画像信号を生成する。あるいは、各入力画像信号から、全体領域をカバーする情報量の内挿画像信号を暫定的に生成し、そこから、表示領域１０７の一部領域に対応する部分を最終的な内挿画像信号として切り出す。
【００３１】
なお、内挿画像信号によりカバーされる、表示領域１０７の一部領域は、予め定められたものであってもよいし、動き適応的に選択されたものであってもよい。例えば、テレビ映像などにおいてテロップの出現頻度の高い、表示領域１０７の下方領域が少なくとも含まれるように、一部領域が設定される。
【００３２】
また、本実施の形態およびこれ以降の実施の形態の説明において、入力画像信号あるいは内挿画像信号の個数は、その信号に基づいて表示されるフレームの個数に相当する。つまり、上記の「２つの入力画像信号」は２フレーム分の入力画像信号を意味し、上記の「１つ以上の内挿画像信号」は１つ以上のフレーム分の内挿画像信号を意味する。
【００３３】
ステップＳＴ１０３では、生成された内挿画像信号を入力画像信号の所定位置に内挿することにより、表示データ信号を生成する。
【００３４】
ステップＳＴ１０４では、表示データ信号の生成結果に基づいて位相信号を生成する。ここで、位相信号は、上方の走査線から下方の走査線に向かって進む順次走査の開始位置を示すものである。例えば、第１ラインから走査を開始すべきであることが示されたり、第８１１ラインから走査を開始すべきであることが示されたりする。
【００３５】
ステップＳＴ１０５では、生成された表示データ信号および位相信号を表示パネル制御回路１０２に出力する。
【００３６】
このようにして、内挿画像信号生成部１０６により内挿画像信号生成処理が行われる。なお、上記内挿画像信号生成処理は、画像信号が入力される度に行われる。また、上記内挿画像信号生成処理は、予め記憶媒体（図示せず）に記憶された内挿画像信号生成プログラムを画像プロセッサ１０１に実行させることによって、実現される。
【００３７】
表示パネル制御回路１０２には、表示データ信号および位相信号が入力される。矢印Ｓ２は、表示パネル制御回路１０２に表示データ信号を入力する信号線を示し、矢印Ｓ３は、表示パネル制御回路１０２に位相信号を入力する信号線を示す。
【００３８】
表示パネル制御回路１０２は、表示データ信号に基づいてソースドライバ制御信号を生成し、生成されたソースドライバ制御信号をソースドライバ１０４に出力する。また、表示パネル制御回路１０２は、位相信号に基づいてゲートドライバ制御信号を生成し、生成されたゲートドライバ制御信号をゲートドライバ１０３に出力する。
【００３９】
ソースドライバ１０４には、ソースドライバ制御信号が入力される。矢印Ｓ４は、ソースドライバ１０４にソースドライバ制御信号を入力する信号線を示す。ソースドライバ１０４は、ソースドライバ制御信号に基づいてデータ線１０９−１〜１０９−Ｍを駆動する。
【００４０】
走査部としてのゲートドライバ１０３には、ゲートドライバ制御信号が入力される。矢印Ｓ５は、ゲートドライバ１０３にゲートドライバ制御信号を入力する信号線を示す。ゲートドライバ１０３は、ゲートドライバ制御信号に基づいて走査線１０８−１〜１０８−Ｎを駆動する。
【００４１】
表示部として表示パネル１０５は、液晶パネルである。より具体的には、表示パネル１０５は、互いに直交して配置された走査線１０８−１〜１０８−Ｎとデータ線１０９−１〜１０９−Ｍとの各交点に例えば薄膜トランジスタなどのアクティブ素子（図示せず）を介して画素電極（図示せず）が配置されたアレイ基板（図示せず）と、アレイ基板に対向する対向電極が形成された対向基板（図示せず）との間に、配向膜（図示せず）を介して液晶層（図示せず）が保持された構成を有する。走査線１０８−ｎ（ｎは１からＮまでの整数）がゲートドライバ１０３により走査されると、表示パネル１０５の表示領域１０７には、入力画像信号に基づく元画像としてのフレームおよび内挿画像信号に基づく補間画像としての中間フレームが表示される。
【００４２】
以上、本実施の形態の画像表示装置１００の構成について説明した。
【００４３】
次いで、画像表示装置１００のゲートドライバ１０３により実行される走査駆動動作について説明する。なお、本実施の形態およびこれ以降の実施の形態においては、説明の簡略化のため、走査線数Ｎ＝１０８０および入力フレームレート６０Ｈｚを前提条件とするが、本発明は別の条件下での走査駆動動作にも適用可能である。
【００４４】
図６は、本実施の形態の走査駆動動作の一例を説明するための図である。
【００４５】
図６に示す例では、表示領域内の２つの区分領域のうち一方の区分領域（高レート領域）が他方の区分領域に比べて高いリフレッシュレートで更新されることにより、表示フレームレートが高速化される。図６において、第２走査線群は、表示領域において内挿画像信号の情報がカバーする区分領域に対応する第８１１ラインから第１０８０ラインまでを含む走査線の集合である。第１走査線群は、表示領域におけるその他の領域に対応する第１ラインから第８１０ラインまでを含む走査線の集合である。
【００４６】
時刻ｔ１ａには、入力画像信号に基づく元画像として第１フレームを表示するための走査が、対応する位相信号に基づくゲートドライバ制御信号に従って、第１ラインから開始される。入力画像信号は、表示領域の全体領域をカバーする情報量を有するため、元画像表示のための走査は、第１ラインから第１０８０ラインまでの走査線、つまり全走査線の走査を必要とする。
【００４７】
なお、第１フレーム表示期間は、入力画像信号に基づく元画像として第１フレームを表示するための元画像表示期間であり、言い換えれば、第１フレームを表示するために、入力画像信号から導出されたソースドライバ制御信号に従ってデータ線が駆動される期間である。
【００４８】
時刻ｔ１ａにおける第１ラインの走査に続いて第１走査線群が順次走査され、時刻ｔ１ｂには、第１フレーム表示のための第１走査線群の走査が完了する。時刻ｔ１ｂからは、引き続き第１フレーム表示のための第２走査線群の走査が順次行われ、時刻ｔ１ｃにそれが完了する。すなわち、第１フレーム表示期間における全走査線の順次走査は途中で途切れることなく行われる。
【００４９】
時刻ｔ１ｃには、内挿画像信号に基づく補間画像として第１中間フレームを表示するための走査が、対応する位相信号に基づくゲートドライバ制御信号に従って、第８１１ラインから開始される。内挿画像信号は、表示領域の一部領域のみをカバーする情報量を有するため、補間画像表示のための走査は、カバーされる区分領域に対応する走査線（この例では第８１１ラインから第１０８０ラインまでの走査線）の走査を必要とする。
【００５０】
なお、第１中間フレーム表示期間は、内挿画像信号に基づく補間画像として第１中間フレームを表示するための補間画像表示期間である。言い換えれば、第１中間フレームを表示するために、内挿画像信号から導出されたソースドライバ制御信号に従ってデータ線が駆動される期間である。また、第１中間フレームのベースとなる内挿画像信号は、第１フレームと第２フレームとの間の動き補償のために、第１フレームの入力画像信号と第２フレームの入力画像信号とから生成され、それら２つの入力画像信号の間に内挿された信号である。
【００５１】
時刻ｔ１ｃにおける第８１１ラインの走査に続いて第２走査線群が順次走査され、時刻ｔ１ｄには、第１中間フレーム表示のための第２走査線群の走査が完了する。
【００５２】
そして、時刻ｔ１ｄには、入力画像信号に基づく元画像として第２フレームを表示するための走査が、対応する位相信号に基づくゲートドライバ制御信号に従って、第１ラインから開始される。第２フレーム表示期間は、入力画像信号に基づく元画像として第２フレームを表示するための元画像表示期間である。言い換えれば、第２フレームを表示するために、入力画像信号から導出されたソースドライバ制御信号に従ってデータ線が駆動される期間である。
【００５３】
時刻ｔ１ｄにおける第１ラインの走査に続いて第１走査線群が順次走査され、時刻ｔ１ｅには、第２フレーム表示のための第１走査線群の走査が完了する。時刻ｔ１ｅからは、引き続き第２フレーム表示のための第２走査線群の走査が順次行われ、時刻ｔ１ｆにそれが完了する。すなわち、第２フレーム表示期間における全走査線の順次走査は途中で途切れることなく行われる。
【００５４】
時刻ｔ１ｆには、内挿画像信号に基づく補間画像として第２中間フレームを表示するための走査が、対応する位相信号に基づくゲートドライバ制御信号に従って、第８１１ラインから開始される。第２中間フレーム表示期間は、内挿画像信号に基づく補間画像として第２中間フレームを表示するための補間画像表示期間である。言い換えれば、第２中間フレームを表示するために、内挿画像信号から導出されたソースドライバ制御信号に従ってデータ線が駆動される期間である。また、第２中間フレームのベースとなる内挿画像信号は、第２フレームと第３フレームとの間の動き補償のために、第２フレームの入力画像信号と第３フレームの入力画像信号とから生成され、それら２つの入力画像信号の間に内挿された信号である。
【００５５】
時刻ｔ１ｆにおける第８１１ラインの走査に続いて第２走査線群が順次走査され、時刻ｔ１ｇには、第２中間フレーム表示のための第２走査線群の走査が完了する。
【００５６】
上記走査駆動動作によれば、元画像表示は、全ての走査線の走査によって行われるのに対し、補間画像表示は、第２走査線群に含まれる走査線のみの走査によって行われる。このため、リフレッシュレートが、表示領域において第２走査線群に対応する区分領域については、入力フレームレートよりも高い値（交互に７５Ｈｚと３００Ｈｚ）となるのに対し、表示領域において第１走査線群に対応する区分領域については、入力フレームレートに等しい６０Ｈｚのままとなる。言い換えれば、垂直走査周波数が、第２走査線群については、入力フレームレートよりも高い値となるのに対し、第１走査線群については、入力フレームレートに等しい６０Ｈｚのままとなる。したがって、表示フレームレートが入力フレームレートに比べて高速化されるにもかかわらず、各走査線の走査速度の大幅な上昇を抑制することができる。
【００５７】
走査速度の大幅な上昇が抑制される効果は、図７を参照すれば明らかである。図７は、従来の走査駆動動作と本実施の形態の走査駆動動作とを比較するための図であり、前者は図７Ａに示され、後者は図７Ｂに示される。比較のために図７Ａに例示した従来技術は上記の等速線順次駆動であり、入力画像信号の１フレーム期間に相当する時間ごとに補間画像表示は行われず表示フレームレートは高速化されない。これに対し、本実施の形態では入力画像信号の１フレーム期間に相当する時間ごとに補間画像表示が行われて表示フレームレートが高速化される。このため、本実施の形態の走査速度を表す角度θ１は、従来技術の走査速度を表す角度θ０よりも大きくなる。しかし、補間画像表示のために繰り返し走査を行う範囲が一部の走査線のみに限られるため、角度θ１と角度θ０との間に大きな差異はない。上記前提条件に基づいて計算すると、本実施の形態のライン走査周期は約１２．３μｓとなる。これは、従来の等速線順次駆動のライン走査周期の約１５．４μｓよりも若干短いが、従来の２倍速線順次駆動のライン走査周期の約７．７μｓよりも大幅に長い。また、表示領域全体のリフレッシュレートが交互に７５Ｈｚと３００Ｈｚに切り替えられる線順次駆動を想定した場合でも、この駆動に必要な平均ライン走査周期と比べて、本実施の形態では十分に長いライン走査周期を確保することができる。このため、高フレームレート駆動が表示パネルの応答性によって阻害される可能性を低減することができる。すなわち、高フレームレート駆動を実現するとともに動き適応的に動画像のぼけを低減して、動画像の高精細化を図ることができる。
【００５８】
図８は、本実施の形態において表示される元画像と補間画像との関係を説明するための図である。
【００５９】
画像の動きによって生じる画像のぼけを低減することを目的として内挿画像信号を生成する場合は、元画像表示のための走査と補間画像表示のための走査との間の時間間隔を考慮する必要がある。ここで、図６を参照して第８１１ラインに注目すると、第１フレーム表示期間における走査から第１中間フレーム表示期間における走査までの時間間隔Ｉ１ｃ−１ｂは、第１中間フレーム表示期間における走査から第２フレーム表示期間における走査までの時間間隔Ｉ１ｅ−１ｃに比べて大幅に短い。具体的には、時間間隔Ｉ１ｃ−１ｂは約３．３ｍｓであり、時間間隔Ｉ１ｅ−１ｃは約１３．３ｍｓであるので、図８に示すように、第１フレームと第１中間フレームとの間での動き量が、第１フレームと第２フレームとの間での動き量の１／５となるように、内挿画像信号が生成される。この場合には、第８１１ラインから第１０８０ラインまでの領域における表示パネルのホールド時間は、最長で１３．３ｍｓとなり、従来の等速線順次駆動の場合の約１６．７ｍｓに比べて短くなるので、画像の動きによって生じる画像のぼけを低減することができる。
【００６０】
以上説明したように、本実施の形態によれば、表示領域内の限定された領域でのみリフレッシュレートを高速化することにより、表示フレームレートの高速化に伴う走査速度の大幅な高速化を抑制することができる。したがって、高フレームレート駆動が表示パネルの応答性によって阻害されることなく実現され、動画像のぼけが動き適応的に低減され、ひいては動画像の高精細化が実現される。
【００６１】
高速スクロールするテロップなどについては特に、この効果を視認することができるため、本実施の形態においては、横スクロールテロップの出現頻度が高い、表示画面下端部分に相当する下方領域が、高フレッシュレートの領域として設定されている。しかし、表示画面下端部分以外の領域を高フレッシュレートの領域として設定してもよい。また、本実施の形態においては、第８１１ラインから第１０８０までの２７０ラインを、高フレッシュレートの領域の幅として設定しているが、この幅も変更可能である。
【００６２】
（実施の形態２）
以下、本発明の実施の形態２に係る画像表示装置について説明する。本実施の形態の画像表示装置は構成上、実施の形態１の画像表示装置１００と同様である。よって、実施の形態１で説明したものと同一の構成要素に言及するときには、同一の参照番号を付すことにより、その構成要素についての詳細な説明を省略する。
【００６３】
本実施の形態は、内挿画像信号生成部１０６が表示データ信号を生成する際に、元画像表示のための一部の走査線の走査を同じ元画像表示のための他部の走査線の走査に割り込ませて一部の走査線群の走査の時間間隔を均一化する点において、実施の形態１と相違する。
【００６４】
図９は、本実施の形態の走査駆動動作の一例を説明するための図である。
【００６５】
図９に示す例では、表示領域内の２つの区分領域のうち一方の区分領域（高レート領域）が他方の区分領域に比べて高いリフレッシュレートで更新されることにより、表示フレームレートが高速化される。図９において、第２走査線群は、表示領域において内挿画像信号の情報がカバーする区分領域に対応する第８１１ラインから第１０８０ラインまでを含む走査線の集合である。第１走査線群は、表示領域におけるその他の領域に対応する第１ラインから第８１０ラインまでを含む走査線の集合である。
【００６６】
時刻ｔ２ａには、入力画像信号に基づく元画像として第１フレームを表示するための走査が、対応する位相信号に基づくゲートドライバ制御信号に従って、第１ラインから開始される。
【００６７】
時刻ｔ２ａにおける第１ラインの走査に続いて第１走査線群が順次走査される。そして、時刻ｔ２ｂに、第１フレーム表示のための第４０５ラインまでの走査が完了すると、対応する位相信号に基づくゲートドライバ制御信号に従って、第４０６ラインから第８１０ラインまでの走査をスキップして第８１１ラインからの走査が開始される。第８１１ラインの走査に続いて第２走査線群の走査が順次行われ、時刻ｔ２ｃにそれが完了する。時刻ｔ２ｃからは、さきほどスキップされた第４０６ラインから第８１０ラインまでの走査が順次行われ、時刻ｔ２ｄにそれが完了する。すなわち、第１フレーム表示期間における全走査線の順次走査は途中で途切れることなく行われる。ただし、第１フレーム表示期間における第２走査線群の走査が第１フレーム表示期間における第１走査線群の走査に割り込んでいる。
【００６８】
時刻ｔ２ｄには、内挿画像信号に基づく補間画像として第１中間フレームを表示するための走査が、対応する位相信号に基づくゲートドライバ制御信号に従って、第８１１ラインから開始される。
【００６９】
時刻ｔ２ｄにおける第８１１ラインの走査に続いて第２走査線群が順次走査され、時刻ｔ２ｅには、第１中間フレーム表示のための第２走査線群の走査が完了する。
【００７０】
そして、時刻ｔ２ｅには、入力画像信号に基づく元画像として第２フレームを表示するための走査が、対応する位相信号に基づくゲートドライバ制御信号に従って、第１ラインから開始される。
【００７１】
時刻ｔ２ｅにおける第１ラインの走査に続いて第１走査線群が順次走査される。そして、時刻ｔ２ｆに、第２フレーム表示のための第４０５ラインまでの走査が完了すると、対応する位相信号に基づくゲートドライバ制御信号に従って、第４０６ラインから第８１０ラインまでの走査をスキップして第８１１ラインからの走査が開始される。第８１１ラインの走査に続いて第２走査線群の走査が順次行われ、時刻ｔ２ｇにそれが完了する。時刻ｔ２ｇからは、さきほどスキップされた第４０６ラインから第８１０ラインまでの走査が順次行われ、時刻ｔ２ｈにそれが完了する。すなわち、第２フレーム表示期間における全走査線の順次走査は途中で途切れることなく行われる。ただし、第２フレーム表示期間における第２走査線群の走査が第２フレーム表示期間における第１走査線群の走査に割り込んでいる。
【００７２】
時刻ｔ２ｈには、内挿画像信号に基づく補間画像として第２中間フレームを表示するための走査が、対応する位相信号に基づくゲートドライバ制御信号に従って、第８１１ラインから開始される。
【００７３】
時刻ｔ２ｈにおける第８１１ラインの走査に続いて第２走査線群が順次走査され、時刻ｔ２ｉには、第２中間フレーム表示のための第２走査線群の走査が完了する。
【００７４】
上記走査駆動動作によれば、元画像表示は、全ての走査線の走査によって行われるのに対し、補間画像表示は、第２走査線群に含まれる走査線のみの走査によって行われる。このため、上記各実施の形態と同様に、各走査線の走査速度の大幅な上昇を抑制することができる。
【００７５】
走査速度の大幅な上昇が抑制される効果は、図１０を参照すれば明らかである。図１０は、従来の走査駆動動作と本実施の形態の走査駆動動作とを比較するための図であり、前者は図１０Ａに示され、後者は図１０Ｂに示される。比較のために図１０Ａに例示した従来技術は上記の等速線順次駆動であり、入力画像信号の１フレーム期間に相当する時間ごとに補間画像表示は行われず表示フレームレートは高速化されない。これに対し、本実施の形態では入力画像信号の１フレーム期間に相当する時間ごとに補間画像表示が行われて表示フレームレートが２倍に高速化される。このため、本実施の形態の走査速度を表す角度θ２は、従来技術の走査速度を表す角度θ０よりも大きくなる。しかし、補間画像表示のために繰り返し走査を行う範囲が一部の走査線のみに限られるため、角度θ２と角度θ０との間に大きな差異はない。上記前提条件に基づいて計算すると、本実施の形態のライン走査周期は約１２．３μｓとなる。これは、従来の等速線順次駆動のライン走査周期の約１５．４μｓよりも若干短いが、従来の２倍速線順次駆動のライン走査周期の約７．７μｓよりも大幅に長い。このように、本実施の形態では、前述の実施の形態１と同様に十分に長いライン走査周期を確保することができる。このため、高フレームレート駆動が表示パネルの応答性によって阻害される可能性を低減することができる。すなわち、高フレームレート駆動を実現するとともに動き適応的に動画像のぼけを低減して、動画像の高精細化を図ることができる。
【００７６】
図１１は、本実施の形態において表示される元画像と補間画像との関係を説明するための図である。
【００７７】
画像の動きによって生じる画像のぼけを低減することを目的として内挿画像信号を生成する場合は、元画像表示のための走査と補間画像表示のための走査との間の時間間隔を考慮する必要がある。ここで、図９を参照して第８１１ラインに注目すると、第１フレーム表示期間における走査から第１中間フレーム表示期間における走査までの時間間隔Ｉ２、第１中間フレーム表示期間における走査から第２フレーム表示期間における走査までの時間間隔Ｉ２、および第２フレーム表示期間における走査から第２中間フレーム表示期間における走査までの時間間隔Ｉ２は、互いに等しい。具体的には、時間間隔Ｉ２は約８．３ｍｓである。すなわち、第２走査線群の走査は均一時間間隔で行われる。
【００７８】
時間間隔Ｉ２の均一化は、元画像表示期間における第２走査線群の走査を元画像表示期間における第１走査線群の走査に割り込ませることによって、実現されている。
【００７９】
これに伴い、図１１に示すように、第１フレームと第１中間フレームとの間での動き量が、第１フレームと第２フレームとの間での動き量の１／２となるように、内挿画像信号が生成される。これにより、第１中間フレームは、その前後のフレーム（すなわち第１フレームおよび第２フレーム）の一方に偏った画像とならず丁度中間の画像となるため、実施の形態１と比べて、内挿画像信号生成のための演算が容易である。
【００８０】
さらに、本実施の形態の画像表示装置１００には、内挿画像信号生成の用途で広く用いられている既存のシステムを、大幅なプログラム変更を加えることなく適用することができる。２倍速駆動のための内挿画像信号を生成する既存のシステムは、前後２つのフレームの丁度中間の画像を中間フレームとして演算するようプログラムされているためである。
【００８１】
さらに、第８１１ラインから第１０８０ラインまでの領域における表示パネルのホールド時間は、最長で８．３ｍｓとなり、従来の等速線順次駆動の場合の約１６．７ｍｓに比べて短くなるので、画像の動きによって生じる画像のぼけを低減することができる。
【００８２】
以上説明したように、本実施の形態によれば、表示領域内の限定された領域でのみリフレッシュレートを高速化することにより、表示フレームレートの高速化に伴う走査速度の大幅な高速化を抑制することができる。したがって、高フレームレート駆動が表示パネルの応答性によって阻害されることなく実現され、動画像のぼけが動き適応的に低減され、ひいては動画像の高精細化が実現される。
【００８３】
（実施の形態３）
以下、本発明の実施の形態３に係る画像表示装置について説明する。本実施の形態の画像表示装置は構成上、実施の形態１の画像表示装置１００と同様である。よって、実施の形態１で説明したものと同一の構成要素に言及するときには、同一の参照番号を付すことにより、その構成要素についての詳細な説明を省略する。
【００８４】
本実施の形態は、内挿画像信号生成部１０６が表示データ信号を生成する際に、補間画像表示のための走査を１フレーム分の元画像表示のための走査に割り込ませて一部の走査線群の走査の時間間隔を均一化する点において、実施の形態１と相違する。
【００８５】
図１２は、本実施の形態の走査駆動動作の一例を説明するための図である。
【００８６】
図１２に示す例では、表示領域内の２つの区分領域のうち一方の区分領域（高レート領域）が他方の区分領域に比べて高いリフレッシュレートで更新されることにより、表示フレームレートが高速化される。図１２において、第２走査線群は、表示領域において内挿画像信号の情報がカバーする区分領域に対応する第８１１ラインから第１０８０ラインまでを含む走査線の集合であり、第１走査線群は、表示領域におけるその他の領域に対応する第１ラインから第８１０ラインまでを含む走査線の集合である。
【００８７】
時刻ｔ３ａには、入力画像信号に基づく元画像として第１フレームを表示するための走査が、対応する位相信号に基づくゲートドライバ制御信号に従って、第１ラインから開始される。時刻ｔ３ａにおける第１ラインの走査に続いて第１走査線群が順次走査される。そして、時刻ｔ３ｂに、第１フレーム表示のための第４０５ラインまでの走査が完了すると、第１フレーム表示のための走査が中断され、第４０６ラインから第１０８０ラインまでの走査がスキップされる。
【００８８】
時刻ｔ３ｂからは、内挿画像信号に基づく補間画像として第１中間フレームを表示するための走査が開始される。すなわち、対応する位相信号に基づくゲートドライバ制御信号に従って、第８１１ラインからの走査が開始される。第８１１ラインの走査に続いて第２走査線群の走査が順次行われ、時刻ｔ３ｃにそれが完了すると、第１中間フレーム表示のための走査が完了する。
【００８９】
時刻ｔ３ｃからは、さきほど中断された第１フレーム表示のための走査が再開される。すなわち、対応する位相信号に基づくゲートドライバ制御信号に従って、さきほどスキップされた第４０６ラインから第１０８０ラインまでの走査が順次行われ、時刻ｔ３ｅにそれが完了する。すなわち、第１フレーム表示期間における全走査線の順次走査の途中に、第１中間フレーム表示期間における第２走査線群の順次走査が割り込んでいる。
【００９０】
そして、時刻ｔ３ｅには、入力画像信号に基づく元画像として第２フレームを表示するための走査が、対応する位相信号に基づくゲートドライバ制御信号に従って、第１ラインから開始される。時刻ｔ３ｅにおける第１ラインの走査に続いて第１走査線群が順次走査される。そして、時刻ｔ３ｆに、第２フレーム表示のための第４０５ラインまでの走査が完了すると、第２フレーム表示のための走査が中断され、第４０６ラインから第１０８０ラインまでの走査がスキップされる。
【００９１】
時刻ｔ３ｆからは、内挿画像信号に基づく補間画像として第２中間フレームを表示するための走査が開始される。すなわち、対応する位相信号に基づくゲートドライバ制御信号に従って、第８１１ラインからの走査が開始される。第８１１ラインの走査に続いて第２走査線群の走査が順次行われ、時刻ｔ３ｇにそれが完了すると、第２中間フレーム表示のための走査が完了する。
【００９２】
時刻ｔ３ｇからは、さきほど中断された第２フレーム表示のための走査が再開される。すなわち、対応する位相信号に基づくゲートドライバ制御信号に従って、さきほどスキップされた第４０６ラインから第１０８０ラインまでの走査が順次行われ、時刻ｔ３ｉにそれが完了する。すなわち、第２フレーム表示期間における全走査線の順次走査の途中に、第２中間フレーム表示期間における第２走査線群の順次走査が割り込んでいる。
【００９３】
上記走査駆動動作によれば、元画像表示は、全ての走査線の走査によって行われるのに対し、補間画像表示は、第２走査線群に含まれる走査線のみの走査によって行われる。このため、上記各実施の形態と同様に、各走査線の走査速度の大幅な上昇を抑制することができる。
【００９４】
走査速度の大幅な上昇が抑制される効果は、図１３を参照すれば明らかである。図１３は、従来の走査駆動動作と本実施の形態の走査駆動動作とを比較するための図であり、前者は図１３Ａに示され、後者は図１３Ｂに示される。比較のために図１３Ａに例示した従来技術は上記の等速線順次駆動であり、入力画像信号の１フレーム期間に相当する時間ごとに補間画像表示は行われず表示フレームレートは高速化されない。これに対し、本実施の形態では入力画像信号の１フレーム期間に相当する時間ごとに補間画像表示が行われて表示フレームレートが２倍に高速化される。このため、本実施の形態の走査速度を表す角度θ３は、従来技術の走査速度を表す角度θ０よりも大きくなる。しかし、補間画像表示のために繰り返し走査を行う範囲が一部の走査線のみに限られるため、角度θ３と角度θ０との間に大きな差異はない。上記前提条件に基づいて計算すると、本実施の形態のライン走査周期は約１２．３μｓとなる。これは、従来の等速線順次駆動のライン走査周期の約１５．４μｓよりも若干短いが、従来の２倍速線順次駆動のライン走査周期の約７．７μｓよりも大幅に長い。このように、本実施の形態では、前述の各実施の形態と同様に十分に長いライン走査周期を確保することができる。このため、高フレームレート駆動が表示パネルの応答性によって阻害される可能性を低減することができる。すなわち、高フレームレート駆動を実現するとともに動き適応的に動画像のぼけを低減して、動画像の高精細化を図ることができる。
【００９５】
また、上記走査駆動動作によれば、補間画像表示期間における第２走査線群の走査を元画像表示期間における全ての走査線の走査に割り込ませている。これにより、図１２に示すように、第２走査線群の走査の時間間隔Ｉ３は均一化される。具体的には時間間隔Ｉ３は約８．３ｍｓである。したがって、実施の形態２で実現された特有の効果を本実施の形態においても実現することができる。
【００９６】
以上説明したように、本実施の形態によれば、表示領域内の限定された領域でのみリフレッシュレートを高速化することにより、表示フレームレートの高速化に伴う走査速度の大幅な高速化を抑制することができる。したがって、高フレームレート駆動が表示パネルの応答性によって阻害されることなく実現され、動画像のぼけが動き適応的に低減され、ひいては動画像の高精細化が実現される。
【００９７】
また、本実施の形態においては、遅延時間の点で、実施の形態２に比べてさらに有利な効果を実現することができる。その理由は下記のとおりである。
【００９８】
図１４は、実施の形態２の走査タイミングと実施の形態３の走査タイミングとを比較するための図であり、前者は図１４Ａに示され、後者は図１４Ｂに示される。
【００９９】
図１４Ａに示す実施の形態２においては、第１中間フレームは第１フレームと第２フレームとの間に内挿される。つまり、第１フレームのベースとなる入力画像信号と第２フレームのベースとなる入力画像信号とから生成された、第１中間フレームのベースとなる内挿画像信号は、それら２つの入力画像信号の間に内挿される。
【０１００】
これに対し、図１４Ｂに示す実施の形態３においては、第１フレームのベースとなる入力画像信号と第２フレームのベースとなる入力画像信号とから生成された内挿画像信号に基づく補間画像は、第２中間フレームである。したがって、図１４Ａに示す実施の形態２の第１中間フレーム表示期間に表示される第１中間フレームと、図１４Ｂに示す本実施の形態の第２中間フレーム表示期間に表示される第２中間フレームとは、同一の画像となる。実施の形態２の第１中間フレームのベースとなる内挿画像信号も、本実施の形態の第２中間フレームのベースとなる内挿画像信号も、２フレーム分の画像信号入力されるタイミング以降に生成可能となるため、これらの信号は互いに同じタイミングで生成することが可能である。
【０１０１】
そこで、それぞれの内挿画像信号が同時に生成されたと仮定して、図示されているように実施の形態２の第１中間フレームの走査タイミングと本実施の形態の第２中間フレームの走査タイミングとを合わせると、本実施の形態の各フレームの走査は、実施の形態２の各フレームの走査よりも時間差Ｄだけ早く行うことができる。この理由は次のとおりである。実施の形態２の場合は中間フレームの内挿画像信号が２フレーム分の入力画像信号の中間部に内挿される。これに対し、本実施の形態の場合は中間フレームの内挿画像信号が２フレーム分の入力画像信号の後方部、つまり第２フレームの入力画像信号に内挿される結果、本実施の形態の場合は相対的に早期に各フレームを表示することが可能となる。したがって、本実施の形態においては、実施の形態２と比べて、画像信号入力のタイミングから元画像表示のタイミングまでの遅延時間を短縮化することができる。
【０１０２】
このように、本実施の形態においては、遅延時間を短縮化することができるため、ビデオゲームのユーザ入力から画面表示までの応答を高速化したりリップシンク調整のための音声用遅延回路を小規模化したりする効果が得られる。
【０１０３】
（実施の形態４）
以下、本発明の実施の形態４に係る画像表示装置について説明する。本実施の形態の画像表示装置は構成上、実施の形態１の画像表示装置１００と同様である。よって、実施の形態１で説明したものと同一の構成要素に言及するときには、同一の参照番号を付すことにより、その構成要素についての詳細な説明を省略する。
【０１０４】
本実施の形態は、１フレーム分の元画像に対して複数フレーム分の補間画像が表示される点において、実施の形態１と相違する。
【０１０５】
図１５は、本実施の形態の走査駆動動作の一例を説明するための図である。
【０１０６】
図１５に示す例では、表示領域内の２つの区分領域のうち一方の区分領域（高レート領域）が他方の区分領域に比べて高いリフレッシュレートで更新されることにより、表示フレームレートが高速化される。図１５において、第２走査線群は、表示領域において内挿画像信号の情報がカバーする区分領域に対応する第９９１ラインから第１０８０ラインまでを含む走査線の集合である。第１走査線群は、表示領域におけるその他の領域に対応する第１ラインから第９９０ラインまでを含む走査線の集合である。
【０１０７】
時刻ｔ４ａには、入力画像信号に基づく元画像として第１フレームを表示するための走査が、対応する位相信号に基づくゲートドライバ制御信号に従って、第１ラインから開始される。
【０１０８】
時刻ｔ４ａにおける第１ラインの走査に続いて第１走査線群が順次走査され、時刻ｔ４ｂには、第１フレーム表示のための第１走査線群の走査が完了する。時刻ｔ４ｂからは、引き続き第１フレーム表示のための第２走査線群の走査が順次行われ、時刻ｔ４ｃにそれが完了する。すなわち、第１フレーム表示期間における全走査線の順次走査は途中で途切れることなく行われる。
【０１０９】
続いて、第１１中間フレーム、第１２中間フレームおよび第１３中間フレームを順次表示するための走査が行われる。第１１中間フレーム、第１２中間フレームおよび第１３中間フレームのそれぞれのベースとなる内挿画像信号は、第１フレームと第２フレームとの間の動き補償のために、第１フレームの入力画像信号と第２フレームの入力画像信号とから生成され、それら２つの入力画像信号の間に順次内挿されている。
【０１１０】
時刻ｔ４ｃには、内挿画像信号に基づく補間画像として第１１中間フレームを表示するための走査が、対応する位相信号に基づくゲートドライバ制御信号に従って、第９９１ラインから開始される。第９９１ラインの走査に続いて第２走査線群の走査が順次行われ、時刻ｔ４ｄに第１１中間フレーム表示のための第２走査線群の走査が完了する。
【０１１１】
時刻ｔ４ｄには、内挿画像信号に基づく補間画像として第１２中間フレームを表示するための走査が、対応する位相信号に基づくゲートドライバ制御信号に従って、第９９１ラインから開始される。第９９１ラインの走査に続いて第２走査線群の走査が順次行われ、時刻ｔ４ｅに第１２中間フレーム表示のための第２走査線群の走査が完了する。
【０１１２】
時刻ｔ４ｅには、内挿画像信号に基づく補間画像として第１３中間フレームを表示するための走査が、対応する位相信号に基づくゲートドライバ制御信号に従って、第９９１ラインから開始される。第９９１ラインの走査に続いて第２走査線群の走査が順次行われ、時刻ｔ４ｆに第１３中間フレーム表示のための第２走査線群の走査が完了する。
【０１１３】
そして、時刻ｔ４ｆには、入力画像信号に基づく元画像として第２フレームを表示するための走査が、対応する位相信号に基づくゲートドライバ制御信号に従って、第１ラインから開始される。
【０１１４】
時刻ｔ４ｆにおける第１ラインの走査に続いて第１走査線群が順次走査され、時刻ｔ４ｇには、第２フレーム表示のための第１走査線群の走査が完了する。時刻ｔ４ｇからは、引き続き第２フレーム表示のための第２走査線群の走査が順次行われ、時刻ｔ４ｈにそれが完了する。すなわち、第２フレーム表示期間における全走査線の順次走査は途中で途切れることなく行われる。
【０１１５】
続いて、第２１中間フレーム、第２２中間フレームおよび第２３中間フレームを順次表示するための走査が行われる。第２１中間フレーム、第２２中間フレームおよび第２３中間フレームのそれぞれのベースとなる内挿画像信号は、第２フレームと第３フレームとの間の動き補償のために、第２フレームの入力画像信号と第３フレームの入力画像信号とから生成され、それら２つの入力画像信号の間に順次内挿されている。
【０１１６】
時刻ｔ４ｈには、内挿画像信号に基づく補間画像として第２１中間フレームを表示するための走査が、対応する位相信号に基づくゲートドライバ制御信号に従って、第９９１ラインから開始される。第９９１ラインの走査に続いて第２走査線群の走査が順次行われ、時刻ｔ４ｉに第２１中間フレーム表示のための第２走査線群の走査が完了する。
【０１１７】
時刻ｔ４ｉには、内挿画像信号に基づく補間画像として第２２中間フレームを表示するための走査が、対応する位相信号に基づくゲートドライバ制御信号に従って、第９９１ラインから開始される。第９９１ラインの走査に続いて第２走査線群の走査が順次行われ、時刻ｔ４ｊに第２２中間フレーム表示のための第２走査線群の走査が完了する。
【０１１８】
時刻ｔ４ｊには、内挿画像信号に基づく補間画像として第２３中間フレームを表示するための走査が、対応する位相信号に基づくゲートドライバ制御信号に従って、第９９１ラインから開始される。第９９１ラインの走査に続いて第２走査線群の走査が順次行われ、時刻ｔ４ｋに第２３中間フレーム表示のための第２走査線群の走査が完了する。
【０１１９】
上記走査駆動動作によれば、元画像表示は、全ての走査線の走査によって行われるのに対し、補間画像表示は、第２走査線群に含まれる走査線のみの走査によって行われる。このため、上記各実施の形態と同様に、各走査線の走査速度の大幅な上昇を抑制することができる。
【０１２０】
走査速度の大幅な上昇が抑制される効果は、図１６を参照すれば明らかである。図１６は、従来の走査駆動動作と本実施の形態の走査駆動動作とを比較するための図であり、前者は図１６Ａに示され、後者は図１６Ｂに示される。比較のために図１６Ａに例示した従来技術は上記の等速線順次駆動であり、入力画像信号の１フレーム期間に相当する時間ごとに補間画像表示は行われず表示フレームレートは高速化されない。これに対し、本実施の形態では入力画像信号の１フレーム期間に相当する時間ごとに補間画像表示が行われて表示フレームレートが高速化される。このため、本実施の形態の走査速度を表す角度θ４は、従来技術の走査速度を表す角度θ０よりも大きくなる。しかし、補間画像表示のために繰り返し走査を行う範囲が一部の走査線のみに限られるため、角度θ４と角度θ０との間に大きな差異はない。上記前提条件に基づいて計算すると、本実施の形態のライン走査周期は約１２．３μｓとなり、したがって、前述の各実施の形態と同様に十分に長いライン走査周期を確保することができる。このため、高フレームレート駆動が表示パネルの応答性によって阻害される可能性を低減することができる。すなわち、高フレームレート駆動を実現するとともに動き適応的に動画像のぼけを低減して、動画像の高精細化を図ることができる。
【０１２１】
（実施の形態５）
以下、本発明の実施の形態５に係る画像表示装置について説明する。本実施の形態の画像表示装置は構成上、実施の形態１の画像表示装置１００と同様である。よって、実施の形態１で説明したものと同一の構成要素に言及するときには、同一の参照番号を付すことにより、その構成要素についての詳細な説明を省略する。
【０１２２】
本実施の形態は、１フレーム分の元画像に対して３フレーム分の補間画像が表示される点において、実施の形態１と相違する。さらに、本実施の形態は、内挿画像信号生成部１０６が表示データ信号を生成する際に、補間画像表示のための走査を１フレーム分の元画像表示のための走査に割り込ませて一部の走査線群の走査の時間間隔を均一化する点において、実施の形態１と相違する。
【０１２３】
図１７は、本実施の形態の走査駆動動作の一例を説明するための図である。
【０１２４】
図１７に示す例では、表示領域内の２つの区分領域のうち一方の区分領域（高レート領域）が他方の区分領域に比べて高いリフレッシュレートで更新されることにより、表示フレームレートが高速化される。図１７において、第２走査線群は、表示領域において内挿画像信号の情報がカバーする区分領域に対応する第９９１ラインから第１０８０ラインまでを含む走査線の集合である。第１走査線群は、表示領域におけるその他の領域に対応する第１ラインから第９９０ラインまでを含む走査線の集合である。
【０１２５】
時刻ｔ５ａには、入力画像信号に基づく元画像として第１フレームを表示するための走査が、対応する位相信号に基づくゲートドライバ制御信号に従って、第１ラインから開始される。
【０１２６】
時刻ｔ５ａにおける第１ラインの走査に続いて第１走査線群が順次走査され、時刻ｔ５ｂに第１フレーム表示のための走査が中断され、第２４９ラインから第１０８０ラインまでの走査がスキップされる。
【０１２７】
時刻ｔ５ｂからは、内挿画像信号に基づく補間画像として第１１中間フレームを表示するための走査が開始される。すなわち、対応する位相信号に基づくゲートドライバ制御信号に従って、第９９１ラインからの走査が開始される。第９９１ラインの走査に続いて第２走査線群の走査が順次行われ、時刻ｔ５ｃにそれが完了すると、第１１中間フレーム表示のための走査が完了する。
【０１２８】
時刻ｔ５ｃからは、さきほど中断された第１フレーム表示のための走査が再開される。すなわち、対応する位相信号に基づくゲートドライバ制御信号に従って、さきほどスキップされた第２４９ラインから走査が順次行われる。時刻ｔ５ｄには、第１フレーム表示のための走査が再度中断され、第４９７ラインから第１０８０ラインまでの走査がスキップされる。
【０１２９】
時刻ｔ５ｄからは、内挿画像信号に基づく補間画像として第１２中間フレームを表示するための走査が開始される。すなわち、対応する位相信号に基づくゲートドライバ制御信号に従って、第９９１ラインからの走査が開始される。第９９１ラインの走査に続いて第２走査線群の走査が順次行われ、時刻ｔ５ｅにそれが完了すると、第１２中間フレーム表示のための走査が完了する。
【０１３０】
時刻ｔ５ｅからは、さきほど中断された第１フレーム表示のための走査が再開される。すなわち、対応する位相信号に基づくゲートドライバ制御信号に従って、さきほどスキップされた第４９７ラインから走査が順次行われる。時刻ｔ５ｆには、第１フレーム表示のための走査が再度中断され、第７４５ラインから第１０８０ラインまでの走査がスキップされる。
【０１３１】
時刻ｔ５ｆからは、内挿画像信号に基づく補間画像として第１３中間フレームを表示するための走査が開始される。すなわち、対応する位相信号に基づくゲートドライバ制御信号に従って、第９９１ラインからの走査が開始される。第９９１ラインの走査に続いて第２走査線群の走査が順次行われ、時刻ｔ５ｇにそれが完了すると、第１３中間フレーム表示のための走査が完了する。
【０１３２】
時刻ｔ５ｇからは、さきほど中断された第１フレーム表示のための走査が再開される。すなわち、対応する位相信号に基づくゲートドライバ制御信号に従って、さきほどスキップされた第７４５ラインから走査が順次行われる。
【０１３３】
時刻ｔ５ｈには、第１フレーム表示のための第１走査線群の走査が完了し、時刻ｔ５ｈからは、引き続き第１フレーム表示のための第２走査線群の走査が順次行われ、時刻ｔ５ｉにそれが完了する。
【０１３４】
このように、第１フレーム表示期間における全走査線の順次走査の途中に、第１１中間フレーム表示期間、第１２中間フレーム表示期間および第１３中間フレーム表示期間における第２走査線群の順次走査が割り込んでいる。
【０１３５】
そして、時刻ｔ５ｉには、入力画像信号に基づく元画像として第２フレームを表示するための走査が、対応する位相信号に基づくゲートドライバ制御信号に従って、第１ラインから開始される。
【０１３６】
時刻ｔ５ｉにおける第１ラインの走査に続いて第１走査線群が順次走査され、時刻ｔ５ｊに第２フレーム表示のための走査が中断され、第２４９ラインから第１０８０ラインまでの走査がスキップされる。
【０１３７】
時刻ｔ５ｊからは、内挿画像信号に基づく補間画像として第２１中間フレームを表示するための走査が開始される。すなわち、対応する位相信号に基づくゲートドライバ制御信号に従って、第９９１ラインからの走査が開始される。第９９１ラインの走査に続いて第２走査線群の走査が順次行われ、時刻ｔ５ｋにそれが完了すると、第２１中間フレーム表示のための走査が完了する。
【０１３８】
時刻ｔ５ｋからは、さきほど中断された第２フレーム表示のための走査が再開される。すなわち、対応する位相信号に基づくゲートドライバ制御信号に従って、さきほどスキップされた第２４９ラインから走査が順次行われる。時刻ｔ５ｌには、第２フレーム表示のための走査が再度中断され、第４９７ラインから第１０８０ラインまでの走査がスキップされる。
【０１３９】
時刻ｔ５ｌからは、内挿画像信号に基づく補間画像として第２２中間フレームを表示するための走査が開始される。すなわち、対応する位相信号に基づくゲートドライバ制御信号に従って、第９９１ラインからの走査が開始される。第９９１ラインの走査に続いて第２走査線群の走査が順次行われ、時刻ｔ５ｍにそれが完了すると、第２２中間フレーム表示のための走査が完了する。
【０１４０】
時刻ｔ５ｍからは、さきほど中断された第２フレーム表示のための走査が再開される。すなわち、対応する位相信号に基づくゲートドライバ制御信号に従って、さきほどスキップされた第４９７ラインから走査が順次行われる。時刻ｔ５ｎには、第２フレーム表示のための走査が再度中断され、第７４５ラインから第１０８０ラインまでの走査がスキップされる。
【０１４１】
時刻ｔ５ｎからは、内挿画像信号に基づく補間画像として第２３中間フレームを表示するための走査が開始される。すなわち、対応する位相信号に基づくゲートドライバ制御信号に従って、第９９１ラインからの走査が開始される。第９９１ラインの走査に続いて第２走査線群の走査が順次行われ、時刻ｔ５ｏにそれが完了すると、第２３中間フレーム表示のための走査が完了する。
【０１４２】
時刻ｔ５ｏからは、さきほど中断された第２フレーム表示のための走査が再開される。すなわち、対応する位相信号に基づくゲートドライバ制御信号に従って、さきほどスキップされた第７４５ラインから走査が順次行われる。
【０１４３】
時刻ｔ５ｐには、第２フレーム表示のための第１走査線群の走査が完了し、時刻ｔ５ｐからは、引き続き第２フレーム表示のための第２走査線群の走査が順次行われ、時刻ｔ５ｑにそれが完了する。
【０１４４】
このように、第２フレーム表示期間における全走査線の順次走査の途中に、第２１中間フレーム表示期間、第２２中間フレーム表示期間および第２３中間フレーム表示期間における第２走査線群の順次走査が割り込んでいる。
【０１４５】
上記走査駆動動作によれば、元画像表示は、全ての走査線の走査によって行われるのに対し、補間画像表示は、第２走査線群に含まれる走査線のみの走査によって行われる。このため、図１７において角度θ５で表される各走査線の走査速度は、上記各実施の形態と同様に大幅な上昇が抑制される。
【０１４６】
また、上記走査駆動動作によれば、補間画像表示期間における第２走査線群の走査を元画像表示期間における全ての走査線の走査に割り込ませている。これにより、図１７に示すように、時間間隔Ｉ５は互いに等しくなる。すなわち、第２走査線群の走査が均一時間間隔で行われる。したがって、実施の形態２で実現された特有の効果を本実施の形態においても実現することができる。
【０１４７】
（実施の形態６）
以下、本発明の実施の形態６に係る画像表示装置について説明する。本実施の形態の画像表示装置は構成上、実施の形態１の画像表示装置１００と同様である。よって、実施の形態１で説明したものと同一の構成要素に言及するときには、同一の参照番号を付すことにより、その構成要素についての詳細な説明を省略する。
【０１４８】
本実施の形態は、補間画像表示期間において別々の走査線群が異なる回数走査される点において、実施の形態１と相違する。
【０１４９】
図１８は、本実施の形態の走査駆動動作の一例を説明するための図である。
【０１５０】
図１８に示す例では、表示領域内の４つの区分領域のうち中央領域（第１の高レート領域）が最も高いリフレッシュレートで更新され、表示領域内の４つの区分領域のうち下方領域（第２の高レート領域）がその次に高いリフレッシュレートで更新されることにより、表示フレームレートが高速化される。図１８において、第２走査線群は、表示領域において内挿画像信号の情報がカバーする区分領域に対応する第３０１ラインから第３９０ラインまでを含む走査線の集合である。第３走査線群は、表示領域において内挿画像信号の情報がカバーする区分領域に対応する第９９１ラインから第１０８０ラインまでを含む走査線の集合である。第１走査線群は、表示領域におけるその他の領域に対応する第１ラインから第３００ラインまでと第３９１ラインから第９９０ラインまでとを含む走査線の集合である。
【０１５１】
時刻ｔ６ａには、入力画像信号に基づく元画像として第１フレームを表示するための走査が、対応する位相信号に基づくゲートドライバ制御信号に従って、第１ラインから開始される。
【０１５２】
時刻ｔ６ａにおける第１ラインの走査に続いて第１走査線群（第１ラインから第３００ライン）、第２走査線群（第３０１ラインから第３９０ライン）、第１走査線群（第３９１ラインから第９９０ライン）および第３走査線群（第９９１ラインから第１０８０ライン）が順次走査され、時刻ｔ６ｂにそれが完了する。すなわち、第１フレーム表示期間における全走査線の順次走査は途中で途切れることなく行われる。
【０１５３】
時刻ｔ６ｂには、内挿画像信号に基づく補間画像として第１１中間フレームを表示するための走査が、対応する位相信号に基づくゲートドライバ制御信号に従って、第３０１ラインから開始される。時刻ｔ６ｂにおける第３０１ラインの走査に続いて第２走査線群が順次走査され、時刻ｔ６ｃには第１１中間フレーム表示のための第２走査線群の走査が完了する。
【０１５４】
時刻ｔ６ｃには、内挿画像信号に基づく補間画像として第１２中間フレームを表示するための走査が、対応する位相信号に基づくゲートドライバ制御信号に従って、第９９１ラインから開始される。時刻ｔ６ｃにおける第９９１ラインの走査に続いて第３走査線群が順次走査され、時刻ｔ６ｄには第１２中間フレーム表示のための第３走査線群の走査が完了する。
【０１５５】
時刻ｔ６ｄには、内挿画像信号に基づく補間画像として第１３中間フレームを表示するための走査が、対応する位相信号に基づくゲートドライバ制御信号に従って、第３０１ラインから開始される。時刻ｔ６ｄにおける第３０１ラインの走査に続いて第２走査線群が順次走査され、時刻ｔ６ｅには第１３中間フレーム表示のための第２走査線群の走査が完了する。
【０１５６】
そして、時刻ｔ６ｅには、入力画像信号に基づく元画像として第２フレームを表示するための走査が、対応する位相信号に基づくゲートドライバ制御信号に従って、第１ラインから開始される。
【０１５７】
時刻ｔ６ｅにおける第１ラインの走査に続いて第１走査線群（第１ラインから第３００ライン）、第２走査線群（第３０１ラインから第３９０ライン）、第１走査線群（第３９１ラインから第９９０ライン）および第３走査線群（第９９１ラインから第１０８０ライン）が順次走査され、時刻ｔ６ｆにそれが完了する。すなわち、第２フレーム表示期間における全走査線の順次走査は途中で途切れることなく行われる。
【０１５８】
時刻ｔ６ｆには、内挿画像信号に基づく補間画像として第２１中間フレームを表示するための走査が、対応する位相信号に基づくゲートドライバ制御信号に従って、第３０１ラインから開始される。時刻ｔ６ｆにおける第３０１ラインの走査に続いて第２走査線群が順次走査され、時刻ｔ６ｇには第２１中間フレーム表示のための第２走査線群の走査が完了する。
【０１５９】
時刻ｔ６ｇには、内挿画像信号に基づく補間画像として第２２中間フレームを表示するための走査が、対応する位相信号に基づくゲートドライバ制御信号に従って、第９９１ラインから開始される。時刻ｔ６ｇにおける第９９１ラインの走査に続いて第３走査線群が順次走査され、時刻ｔ６ｈには第２２中間フレーム表示のための第３走査線群の走査が完了する。
【０１６０】
時刻ｔ６ｈには、内挿画像信号に基づく補間画像として第２３中間フレームを表示するための走査が、対応する位相信号に基づくゲートドライバ制御信号に従って、第３０１ラインから開始される。時刻ｔ６ｈにおける第３０１ラインの走査に続いて第２走査線群が順次走査され、時刻ｔ６ｉには第２３中間フレーム表示のための第２走査線群の走査が完了する。
【０１６１】
上記走査駆動動作によれば、元画像表示は、全ての走査線の走査によって行われるのに対し、補間画像表示は、第２走査線群および第３走査線群に含まれる走査線のみの走査によって行われる。このため、上記各実施の形態と同様に、各走査線の走査速度の大幅な上昇を抑制することができる。
【０１６２】
また、第２走査線群は第１フレーム表示期間と第２フレーム表示期間との間に２回走査され、第３走査線群は第１フレーム表示期間と第２フレーム表示期間との間に１回走査される。これにより、より一層の高精細化を実現することができる。
【０１６３】
走査速度の大幅な上昇が抑制される効果は、図１９を参照すれば明らかである。図１９は、従来の走査駆動動作と本実施の形態の走査駆動動作とを比較するための図であり、前者は図１９Ａに示され、後者は図１９Ｂに示される。比較のために図１９Ａに例示した従来技術は上記の等速線順次駆動であり、入力画像信号の１フレーム期間に相当する時間ごとに補間画像表示は行われず表示フレームレートは高速化されない。これに対し、本実施の形態では入力画像信号の１フレーム期間に相当する時間ごとに補間画像表示が行われて表示フレームレートが高速化される。このため、本実施の形態の走査速度を表す角度θ６は、従来技術の走査速度を表す角度θ０よりも大きくなる。しかし、補間画像表示のために繰り返し走査を行う範囲が一部の走査線のみに限られるため、角度θ６と角度θ０との間に大きな差異はない。上記前提条件に基づいて計算すると、本実施の形態のライン走査周期は約１２．３μｓとなり、したがって、前述の各実施の形態と同様に十分に長いライン走査周期を確保することができる。このため、高フレームレート駆動が表示パネルの応答性によって阻害される可能性を低減することができる。すなわち、高フレームレート駆動を実現するとともに動き適応的に動画像のぼけを低減して、動画像の高精細化を図ることができる。
【０１６４】
なお、本実施の形態において、第２走査線群と第３走査線群の走査順は、これに限られない。例えば、第１フレーム表示期間の後第３走査線群を走査し、その後第２走査線群を２回走査するようにしてもよい。また、第１フレーム表示期間の後第２走査線群を２回走査し、その後第３走査線群を走査するようにしてもよい。
【０１６５】
（実施の形態７）
以下、本発明の実施の形態７に係る画像表示装置について説明する。本実施の形態の画像表示装置は構成上、実施の形態１の画像表示装置１００と同様である。よって、実施の形態１で説明したものと同一の構成要素に言及するときには、同一の参照番号を付すことにより、その構成要素についての詳細な説明を省略する。
【０１６６】
本実施の形態は、補間画像表示期間において、走査線が全て走査されたり一部のみ走査されたりする点において、実施の形態１と相違する。
【０１６７】
図２０は、本実施の形態の走査駆動動作の一例を説明するための図である。
【０１６８】
図２０に示す例では、表示領域内の２つの区分領域の一方の区分領域（高レート領域）が他方の区分領域に比べて高いリフレッシュレートで更新されることにより、表示フレームレートが高速化される。図２０において、第１走査線群は、第１ラインから第２７０ラインまでと第８１１ラインから第１０８０ラインまでとを含む走査線の集合であり、第２走査線群は、その他の走査線、つまり第２７１ラインから第８１０ラインまでを含む走査線の集合である。
【０１６９】
時刻ｔ７ａには、入力画像信号に基づく元画像として第１フレームを表示するための走査が、対応する位相信号に基づくゲートドライバ制御信号に従って、第１ラインから開始される。
【０１７０】
時刻ｔ７ａにおける第１ラインの走査に続いて第１走査線群の一部、第２走査線群および第１走査線群の残余部が順次走査され、時刻ｔ７ｂにそれが完了する。すなわち、第１フレーム表示期間における全走査線の順次走査は途中で途切れることなく行われる。
【０１７１】
続いて、第１１中間フレーム、第１２中間フレームおよび第１３中間フレームを順次表示するための走査が行われる。ここで、第１１中間フレーム、第１２中間フレームおよび第１３中間フレームのベースとなる内挿画像信号は、第１フレームと第２フレームとの間の動き補償のために、第１フレームの入力画像信号と第２フレームの入力画像信号とから生成され、それら２つの入力画像信号の間に順次内挿されている。また、第１２中間フレームのベースとなる内挿画像信号は、表示領域の全体領域をカバーする情報量を有する。第１１中間フレームおよび第１３中間フレームのベースとなる内挿画像信号は、表示領域の一部領域のみをカバーする情報量を有する。
【０１７２】
時刻ｔ７ｂには、内挿画像信号に基づく補間画像として第１１中間フレームを表示するための走査が、対応する位相信号に基づくゲートドライバ制御信号に従って、第２７１ラインから開始される。時刻ｔ７ｂにおける第２７１ラインの走査に続いて第２走査線群が順次走査され、時刻ｔ７ｃには第１１中間フレーム表示のための走査が完了する。
【０１７３】
時刻ｔ７ｃには、内挿画像信号に基づく補間画像として第１２中間フレームを表示するための走査が、対応する位相信号に基づくゲートドライバ制御信号に従って、第１ラインから開始される。時刻ｔ７ｃにおける第１ラインの走査に続いて第１走査線群の一部、第２走査線群および第１走査線群の残余部が順次走査され、時刻ｔ７ｄには第１２中間フレーム表示のための走査が完了する。
【０１７４】
時刻ｔ７ｄには、内挿画像信号に基づく補間画像として第１３中間フレームを表示するための走査が、対応する位相信号に基づくゲートドライバ制御信号に従って、第２７１ラインから開始される。時刻ｔ７ｄにおける第２７１ラインの走査に続いて第２走査線群が順次走査され、時刻ｔ７ｅには第１３中間フレーム表示のための走査が完了する。
【０１７５】
そして、時刻ｔ７ｅには、入力画像信号に基づく元画像として第２フレームを表示するための走査が、対応する位相信号に基づくゲートドライバ制御信号に従って、第１ラインから開始される。
【０１７６】
時刻ｔ７ｅにおける第１ラインの走査に続いて第１走査線群の一部、第２走査線群および第１走査線群の残余部が順次走査され、時刻ｔ７ｆにそれが完了する。すなわち、第２フレーム表示期間における全走査線の順次走査は途中で途切れることなく行われる。
【０１７７】
続いて、第２１中間フレーム、第２２中間フレームおよび第２３中間フレームを順次表示するための走査が行われる。ここで、第２１中間フレーム、第２２中間フレームおよび第２３中間フレームのベースとなる内挿画像信号は、第２フレームと第３フレームとの間の動き補償のために、第２フレームの入力画像信号と第３フレームの入力画像信号とから生成され、それら２つの入力画像信号の間に順次内挿されている。また、第２２中間フレームのベースとなる内挿画像信号は、表示領域の全体領域をカバーする情報量を有する。第２１中間フレームおよび第２３中間フレームのベースとなる内挿画像信号は、表示領域の一部領域のみをカバーする情報量を有する。
【０１７８】
時刻ｔ７ｆには、内挿画像信号に基づく補間画像として第２１中間フレームを表示するための走査が、対応する位相信号に基づくゲートドライバ制御信号に従って、第２７１ラインから開始される。時刻ｔ７ｆにおける第２７１ラインの走査に続いて第２走査線群が順次走査され、時刻ｔ７ｇには第２１中間フレーム表示のための走査が完了する。
【０１７９】
時刻ｔ７ｇには、内挿画像信号に基づく補間画像として第２２中間フレームを表示するための走査が、対応する位相信号に基づくゲートドライバ制御信号に従って、第１ラインから開始される。時刻ｔ７ｇにおける第１ラインの走査に続いて第１走査線群の一部、第２走査線群および第１走査線群の残余部が順次走査され、時刻ｔ７ｈには第２２中間フレーム表示のための走査が完了する。
【０１８０】
時刻ｔ７ｈには、内挿画像信号に基づく補間画像として第２３中間フレームを表示するための走査が、対応する位相信号に基づくゲートドライバ制御信号に従って、第２７１ラインから開始される。時刻ｔ７ｈにおける第２７１ラインの走査に続いて第２走査線群が順次走査され、時刻ｔ７ｉには第２３中間フレーム表示のための走査が完了する。
【０１８１】
上記走査駆動動作によれば、元画像の表示は、全ての走査線の走査によって行われ、一部の補間画像の表示は、元画像の表示と同様に全ての走査線の走査によって行われ、その他の補間画像の表示は、第２走査線群に含まれる走査線のみの走査によって行われる。このため、上記各実施の形態と同様に、各走査線の走査速度の大幅な上昇を抑制することができる。
【０１８２】
また、一部の補間画像の表示は元画像の表示と同様に全ての走査線の走査によって行われるため、第１走査線群によって走査される表示領域においては、従来の２倍速線順次駆動と同様の効果を得ることができ、第２走査線群によって走査される表示領域においては、従来の４倍速線順次駆動と同様の効果を得ることができる。
【０１８３】
走査速度の大幅な上昇が抑制される効果は、図２１を参照すれば明らかである。図２１は、従来の走査駆動動作と本実施の形態の走査駆動動作とを比較するための図であり、前者は図２１Ａに示され、後者は図２１Ｃに示される。比較のために図２１Ｂに例示した従来技術は３倍速線順次駆動であり、入力画像信号の１フレーム期間に相当する時間ごとに補間画像表示が行われて表示フレームレートが３倍に高速化される。これに対し、本実施の形態では入力画像信号の１フレーム期間に相当する時間ごとに補間画像表示が行われて表示フレームレートがそれ以上に高速化される。本実施の形態では、従来技術に比べてさらに高速化されているにもかかわらず、走査速度を表す角度θ７が、従来技術の走査速度を表す角度θ’０に等しい値となっていることは明らかである。したがって、高フレームレート駆動が表示パネルの応答性によって阻害される可能性を低減することができる。すなわち、高フレームレート駆動を実現するとともに動き適応的に動画像のぼけを低減して、動画像の高精細化を図ることができる。
【０１８４】
なお、本実施の形態において、元画像の表示は、入力画像信号の１フレーム期間に相当する時間において１回しか行うことができない。しかし、元画像と同様に全ての走査線の走査によって行われる補間画像の表示は、同時間において１回以上行うことができる。一部の走査線群に含まれる走査線のみの走査によって行われる補間画像の表示も、同時間において１回以上行うことができる。
【０１８５】
（実施の形態８）
以下、本発明の実施の形態８に係る画像表示装置について説明する。本実施の形態の画像表示装置は構成上、実施の形態１の画像表示装置１００と同様である。よって、実施の形態１で説明したものと同一の構成要素に言及するときには、同一の参照番号を付すことにより、その構成要素についての詳細な説明を省略する。
【０１８６】
本実施の形態は、元画像の表示期間および元画像と同じく全体領域をカバーする情報量を有する補間画像の表示期間における各フレームの走査が必ずしも第１ラインから走査されない点において、実施の形態７と相違する。
【０１８７】
図２２は、本実施の形態の走査駆動動作の一例を説明するための図である。
【０１８８】
図２２に示す例では、表示領域内の２つの区分領域の一方の区分領域（高レート領域）が他方の区分領域に比べて高いリフレッシュレートで更新されることにより、表示フレームレートが高速化される。図２２において、第１走査線群は、第１ラインから第５４０ラインまでを含む走査線の集合であり、第２走査線群は、その他の走査線、つまり第５４１ラインから第１０８０ラインまでを含む走査線の集合である。
【０１８９】
時刻ｔ８ａには、入力画像信号に基づく元画像として第１フレームを表示するための走査が、対応する位相信号に基づくゲートドライバ制御信号に従って、第２７１ラインから開始される。
【０１９０】
時刻ｔ８ａにおける第２７１ラインの走査に続いて第１走査線群および第２走査線群が順次走査され、時刻ｔ８ｂに第１０８０ラインまでが完了する。さらに第１走査線群の第１ラインから第２７０ラインが走査され、時刻ｔ８ｃにそれが完了する。すなわち、第１フレーム表示期間における全走査線の順次走査は第２７１ラインから始まり第１０８０ラインおよび第１ラインを経由して第２７０ラインまでの走査が途中で途切れることなく行われる。
【０１９１】
続いて、第１１中間フレーム、第１２中間フレームおよび第１３中間フレームを順次表示するための走査が行われる。ここで、第１１中間フレーム、第１２中間フレームおよび第１３中間フレームのベースとなる内挿画像信号は、第１フレームと第２フレームとの間の動き補償のために、第１フレームの入力画像信号と第２フレームの入力画像信号とから生成され、それら２つの入力画像信号の間に順次内挿されている。また、第１２中間フレームのベースとなる内挿画像信号は、表示領域の全体領域をカバーする情報量を有する。第１１中間フレームおよび第１３中間フレームのベースとなる内挿画像信号は、表示領域の一部領域のみをカバーする情報量を有する。
【０１９２】
時刻ｔ８ｃには、内挿画像信号に基づく補間画像として第１１中間フレームを表示するための走査が、対応する位相信号に基づくゲートドライバ制御信号に従って、第５４１ラインから開始される。時刻ｔ８ｃにおける第５４１ラインの走査に続いて第２走査線群が順次走査され、時刻ｔ８ｄには第１１中間フレーム表示のための走査が完了する。
【０１９３】
時刻ｔ８ｄには、内挿画像信号に基づく補間画像として第１２中間フレームを表示するための走査が、対応する位相信号に基づくゲートドライバ制御信号に従って、第２７１ラインから開始される。時刻ｔ８ｄにおける第２７１ラインの走査に続いて第１走査線群および第２走査線群が順次走査され、時刻ｔ８ｅに第１０８０ラインまでが完了する。さらに第１走査線群の第１ラインから第２７０ラインが走査され、時刻ｔ８ｆには第１２中間フレーム表示のための走査が完了する。
【０１９４】
時刻ｔ８ｆには、内挿画像信号に基づく補間画像として第１３中間フレームを表示するための走査が、対応する位相信号に基づくゲートドライバ制御信号に従って、第５４１ラインから開始される。時刻ｔ８ｆにおける第５４１ラインの走査に続いて第２走査線群が順次走査され、時刻ｔ８ｇには第１３中間フレーム表示のための走査が完了する。
【０１９５】
そして、時刻ｔ８ｇには、入力画像信号に基づく元画像として第２フレームを表示するための走査が、対応する位相信号に基づくゲートドライバ制御信号に従って、第２７１ラインから開始される。
【０１９６】
時刻ｔ８ｇにおける第２７１ラインの走査に続いて第１走査線群および第２走査線群が順次走査され、時刻ｔ８ｈに第１０８０ラインまでが完了する。さらに第１走査線群の第１ラインから第２７０ラインが走査され、時刻ｔ８ｉにそれが完了する。すなわち、第２フレーム表示期間における全走査線の順次走査は第２７１ラインから始まり第１０８０ラインおよび第１ラインを経由して第２７０ラインまでの走査が途中で途切れることなく行われる。
【０１９７】
続いて、第２１中間フレーム、第２２中間フレームおよび第２３中間フレームを順次表示するための走査が行われる。ここで、第２１中間フレーム、第２２中間フレームおよび第２３中間フレームのベースとなる内挿画像信号は、第２フレームと第３フレームとの間の動き補償のために、第２フレームの入力画像信号と第３フレームの入力画像信号とから生成され、それら２つの入力画像信号の間に順次内挿されている。また、第２２中間フレームのベースとなる内挿画像信号は、表示領域の全体領域をカバーする情報量を有する。第２１中間フレームおよび第２３中間フレームのベースとなる内挿画像信号は、表示領域の一部領域のみをカバーする情報量を有する。
【０１９８】
時刻ｔ８ｉには、内挿画像信号に基づく補間画像として第２１中間フレームを表示するための走査が、対応する位相信号に基づくゲートドライバ制御信号に従って、第５４１ラインから開始される。時刻ｔ８ｉにおける第５４１ラインの走査に続いて第２走査線群が順次走査され、時刻ｔ８ｊには第２１中間フレーム表示のための走査が完了する。
【０１９９】
時刻ｔ８ｊには、内挿画像信号に基づく補間画像として第２２中間フレームを表示するための走査が、対応する位相信号に基づくゲートドライバ制御信号に従って、第２７１ラインから開始される。時刻ｔ８ｊにおける第２７１ラインの走査に続いて第１走査線群および第２走査線群が順次走査され、時刻ｔ８ｋに第１０８０ラインまでが完了する。さらに第１走査線群の第１ラインから第２７０ラインが走査され、時刻ｔ８ｌには第２２中間フレーム表示のための走査が完了する。
【０２００】
時刻ｔ８ｌには、内挿画像信号に基づく補間画像として第２３中間フレームを表示するための走査が、対応する位相信号に基づくゲートドライバ制御信号に従って、第５４１ラインから開始される。時刻ｔ８ｌにおける第５４１ラインの走査に続いて第２走査線群が順次走査され、時刻ｔ８ｍには第２３中間フレーム表示のための走査が完了する。
【０２０１】
上記走査駆動動作によれば、元画像の表示は、全ての走査線の走査によって行われ、一部の補間画像の表示は、元画像の表示と同様に全ての走査線の走査によって行われ、その他の補間画像の表示は、第２走査線群に含まれる走査線のみの走査によって行われる。このため、実施の形態７と同様に、各走査線の走査速度の大幅な上昇を抑制することができる。
【０２０２】
また、上記走査駆動動作によれば、元画像の表示期間および元画像と同じく全体領域をカバーする情報量を有する補間画像の表示期間において、各フレームの走査を第２７１ラインから走査している。
【０２０３】
これにより、図に示すように、第２走査線群の走査の時間間隔Ｉ８は均一化される。具体的には時間間隔Ｉ８は約４．２ｍｓである。
【０２０４】
元画像の表示期間および元画像と同じく全体領域をカバーする情報量を有する補間画像の表示期間において、各フレームの走査を開始する適切なラインは例えば次の通り算出が可能である。
【０２０５】
全体領域のライン数をＡ、高レート領域のライン数をＢ、高レート領域における先頭のラインをＣとする。この場合、元画像および元画像と同様の全体領域をカバーする補間画像のための走査開始位置（走査開始ライン）は、Ｃ＞（Ａ−Ｂ）÷２を満たす場合には第（Ｃ−０．５×（Ａ−Ｂ））ラインと設定されることが望ましい。また、Ｃ≦（Ａ−Ｂ）÷２を満たす場合には第（Ｃ＋０．５×（Ａ＋Ｂ））ラインと設定されることが望ましい。すなわち、高レート領域に対応する走査線群のライン数および先頭ラインに基づいて、元画像および元画像と同様に全体領域をカバーする補間画像のための走査開始ラインを設定する。高レート領域が例えば動き適応的に変更された場合には、走査開始ラインは上記計算に従って再設定される。
【０２０６】
なお、演算で少数点以下の端数が発生する場合には解がＡ以下の正の整数になるよう任意に丸めることが可能である。
【０２０７】
したがって、本実施の形態によれば任意の位置に設定される第２走査線群に対して高フレームレート駆動が表示パネルの応答性によって阻害される可能性を低減することができる。すなわち、高フレームレート駆動を実現するとともに動き適応的に動画像のぼけを低減して、動画像の高精細化を図ることができる。
【０２０８】
本実施の形態における特徴、特に、元画像および元画像と同様に全体領域をカバーする補間画像のための走査開始ラインを可変設定することは、上記各実施の形態における特徴と適宜組み合わせて実施することができる。
【０２０９】
（実施の形態９）
以下、本発明の実施の形態に係る画像表示装置について説明する。本実施の形態の画像表示装置は構成上、実施の形態１の画像表示装置１００と同様である。よって、実施の形態１で説明したものと同一の構成要素に言及するときには、同一の参照番号を付すことにより、その構成要素についての詳細な説明を省略する。
【０２１０】
本実施の形態は、内挿画像信号生成部１０６が表示データ信号を生成する際に、補間画像表示のための走査を元画像表示のための走査に割り込ませて一部の走査線群の走査の時間間隔を均一化する点において、実施の形態３と類似する。しかし、本実施の形態は、一部表示領域に対しては元画像表示のための走査を行わず、前記一部表示領域に対しては補間画像表示のための走査のみを行う点において、実施の形態３と相違する。また、本実施の形態は、元画像が全体領域をカバーしないという点で、上記各実施の形態と相違する。
【０２１１】
図２３は、本実施の形態の走査駆動動作の一例を説明するための図である。
【０２１２】
図２３に示す例では、表示領域内の２つの区分領域のうち一方の区分領域（高レート領域）が他方の区分領域に比べて高いリフレッシュレートで更新されることにより、表示フレームレートが高速化される。図２３において、第２走査線群は、表示領域において内挿画像信号の情報がカバーする区分領域に対応する第８１１ラインから第１０８０ラインまでを含む走査線の集合である。第１走査線群は、表示領域におけるその他の領域に対応する第１ラインから第８１０ラインまでを含む走査線の集合である。
【０２１３】
時刻ｔ９ａには、入力画像信号に基づく元画像として第１フレームを表示するための走査が、対応する位相信号に基づくゲートドライバ制御信号に従って、第１ラインから開始される。時刻ｔ９ａにおける第１ラインの走査に続いて第１走査線群が順次走査される。そして、時刻ｔ９ｂに、第１フレーム表示のための第４０５ラインまでの走査が完了すると、第１フレーム表示のための走査が中断され、第４０６ラインから第８１０ラインまでの走査がスキップされる。
【０２１４】
時刻ｔ９ｂからは、内挿画像信号に基づく補間画像として第１１中間フレームを表示するための走査が開始される。すなわち、対応する位相信号に基づくゲートドライバ制御信号に従って、第８１１ラインからの走査が開始される。第８１１ラインの走査に続いて第２走査線群の走査が順次行われ、時刻ｔ９ｃにそれが完了すると、第１１中間フレーム表示のための走査が完了する。
【０２１５】
時刻ｔ９ｃからは、さきほど中断された第１フレーム表示のための走査が再開される。すなわち、対応する位相信号に基づくゲートドライバ制御信号に従って、さきほどスキップされた第４０６ラインから第８１０ラインまでの走査が順次行われ、時刻ｔ９ｄにそれが完了する。すなわち、第１フレーム表示期間における第１ラインから第８１０ラインまでの順次走査の途中に、第１１中間フレーム表示期間における第２走査線群の順次走査が割り込んでいる。また第２走査線群において元画像である第１フレーム表示のための走査は行われない。
【０２１６】
時刻ｔ９ｄからは、内挿画像信号に基づく補間画像として第１２中間フレームを表示するための走査が開始される。すなわち、対応する位相信号に基づくゲートドライバ制御信号に従って、第８１１ラインからの走査が開始される。第８１１ラインの走査に続いて第２走査線群の走査が順次行われ、時刻ｔ９ｅにそれが完了すると、第１２中間フレーム表示のための走査が完了する。
【０２１７】
そして、時刻ｔ９ｅには、入力画像信号に基づく元画像として第２フレームを表示するための走査が、対応する位相信号に基づくゲートドライバ制御信号に従って、第１ラインから開始される。時刻ｔ９ｅにおける第１ラインの走査に続いて第１走査線群が順次走査される。そして、時刻ｔ９ｆに、第２フレーム表示のための第４０５ラインまでの走査が完了すると、第２フレーム表示のための走査が中断され、第４０６ラインから第８１０ラインまでの走査がスキップされる。
【０２１８】
時刻ｔ９ｆからは、内挿画像信号に基づく補間画像として第２１中間フレームを表示するための走査が開始される。すなわち、対応する位相信号に基づくゲートドライバ制御信号に従って、第８１１ラインからの走査が開始される。第８１１ラインの走査に続いて第２走査線群の走査が順次行われ、時刻ｔ９ｇにそれが完了すると、第２１中間フレーム表示のための走査が完了する。
【０２１９】
時刻ｔ９ｇからは、さきほど中断された第２フレーム表示のための走査が再開される。すなわち、対応する位相信号に基づくゲートドライバ制御信号に従って、さきほどスキップされた第４０６ラインから第８１０ラインまでの走査が順次行われ、時刻ｔ９ｈにそれが完了する。すなわち、第２フレーム表示期間における第１ラインから第８１０ラインまでの順次走査の途中に、第２１中間フレーム表示期間における第２走査線群の順次走査が割り込んでいる。また第２走査線群において元画像である第２フレーム表示のための走査は行われない。
【０２２０】
時刻ｔ９ｈからは、内挿画像信号に基づく補間画像として第２２中間フレームを表示するための走査が開始される。すなわち、対応する位相信号に基づくゲートドライバ制御信号に従って、第８１１ラインからの走査が開始される。第８１１ラインの走査に続いて第２走査線群の走査が順次行われ、時刻ｔ９ｉにそれが完了すると、第２２中間フレーム表示のための走査が完了する。
【０２２１】
なお、上記走査駆動動作において元画像表示のための第２走査線群の走査を回避するために、入力画像信号は、表示領域の一部領域のみをカバーする情報量を有するように処理されてもよい。
【０２２２】
上記走査駆動動作によれば、補間画像表示が一部の走査線群である第２走査線群に含まれる走査線のみの走査によって行われる。しかも、入力画像信号の１フレーム期間に相当する時間内に、元画像のフレームをＮ回（Ｎは１以上の整数）走査するのに対して補間画像のフレームをＭ回（ＭはＮより大きい整数）走査する。これに伴い、元画像表示は、第２走査線群を除く一部の走査線群である第１走査線群に含まれる走査線のみの走査によって行われる。したがって、上記各実施の形態と同様に、各走査線の走査速度の大幅な上昇を抑制することができる。
【０２２３】
また、上記走査駆動動作によれば、補間画像表示期間における第２走査線群の走査を元画像表示期間における第１走査線群の走査に割り込ませている。
【０２２４】
各ラインにおいては走査表示される時刻から次に同ラインが走査表示される時刻までの時間間隔は等しいことが望ましい。例えば図２３において第８１１ラインに注目すると、時間間隔Ｉ９−１と時間間隔Ｉ９−２とは等しいことが望ましい。また、前記実施の形態１の図８および前記実施の形態２の図１１で説明したとおり、各補間画像は走査表示される時間間隔に応じて内挿画像信号を生成する。
【０２２５】
上記割り込みを導入して第２走査線群の走査の時間間隔を均一化することにより、実施の形態２で実現された特有の効果を本実施の形態においても実現することができる。
【０２２６】
なお、本実施の形態における特徴、特に、一部の走査線群に含まれる走査線のみの走査によって元画像表示を行うことは、上記各実施の形態における特徴と適宜組み合わせて実施することができる。
【０２２７】
（実施の形態１０）
以下、本発明の実施の形態に係る画像表示装置について説明する。本実施の形態の画像表示装置は構成上、実施の形態１の画像表示装置１００と同様である。よって、実施の形態１で説明したものと同一の構成要素に言及するときには、同一の参照番号を付すことにより、その構成要素についての詳細な説明を省略する。
【０２２８】
本実施の形態は、内挿画像信号生成部１０６が表示データ信号を生成する際に、一画像の表示のための走査を他画像の表示のための走査に割り込ませて一部の走査線群の走査の時間間隔を均一化する点において、実施の形態３と類似する。しかし、本実施の形態は、元画像表示を行わず、補間画像表示のみを行う点において、実施の形態３と相違する。
【０２２９】
図２４は、本実施の形態の走査駆動動作の一例を説明するための図である。
【０２３０】
図２４に示す例では、表示領域内の２つの区分領域のうち一方の区分領域（高レート領域）が他方の区分領域に比べて高いリフレッシュレートで更新されることにより、表示フレームレートが高速化される。図２４において、第２走査線群は、第８１１ラインから第１０８０ラインまでを含む走査線の集合であり、第１走査線群は、その他の走査線、つまり第１ラインから第８１０ラインまでを含む走査線の集合である。
【０２３１】
時刻ｔ１０ａには、内挿画像信号に基づく補間画像として第１１中間フレームを表示するための走査が、対応する位相信号に基づくゲートドライバ制御信号に従って、第１ラインから開始される。時刻ｔ１０ａにおける第１ラインの走査に続いて第１走査線群が順次走査される。そして、時刻ｔ１０ｂに、第１１中間フレーム表示のための第４０５ラインまでの走査が完了すると、第１１中間フレーム表示のための走査が中断され、第４０６ラインから第８１０ラインまでの走査がスキップされる。
【０２３２】
時刻ｔ１０ｂからは、内挿画像信号に基づく補間画像として第１２中間フレームを表示するための走査が開始される。すなわち、対応する位相信号に基づくゲートドライバ制御信号に従って、第８１１ラインからの走査が開始される。第８１１ラインの走査に続いて第２走査線群の走査が順次行われ、時刻ｔ１０ｃにそれが完了すると、第１２中間フレーム表示のための走査が完了する。
【０２３３】
時刻ｔ１０ｃからは、さきほど中断された第１１中間フレーム表示のための走査が再開される。すなわち、対応する位相信号に基づくゲートドライバ制御信号に従って、さきほどスキップされた第４０６ラインから第８１０ラインまでの走査が順次行われ、時刻ｔ１０ｄにそれが完了する。すなわち、第１１中間フレーム表示期間における第１ラインから第８１０ラインまでの順次走査の途中に、第１２中間フレーム表示期間における第２走査線群の順次走査が割り込んでいる。
【０２３４】
時刻ｔ１０ｄからは、内挿画像信号に基づく補間画像として第１３中間フレームを表示するための走査が開始される。すなわち、対応する位相信号に基づくゲートドライバ制御信号に従って、第８１１ラインからの走査が開始される。第８１１ラインの走査に続いて第２走査線群の走査が順次行われ、時刻ｔ１０ｅにそれが完了すると、第１３中間フレーム表示のための走査が完了する。
【０２３５】
そして、時刻ｔ１０ｅには、内挿画像信号に基づく補間画像として第２１中間フレームを表示するための走査が、対応する位相信号に基づくゲートドライバ制御信号に従って、第１ラインから開始される。時刻ｔ１０ｅにおける第１ラインの走査に続いて第１走査線群が順次走査される。そして、時刻ｔ１０ｆに、第２１中間フレーム表示のための第４０５ラインまでの走査が完了すると、第２１中間フレームのための走査が中断され、第４０６ラインから第８１０ラインまでの走査がスキップされる。
【０２３６】
時刻ｔ１０ｆからは、内挿画像信号に基づく補間画像として第２２中間フレームを表示するための走査が開始される。すなわち、対応する位相信号に基づくゲートドライバ制御信号に従って、第８１１ラインからの走査が開始される。第８１１ラインの走査に続いて第２走査線群の走査が順次行われ、時刻ｔ１０ｇにそれが完了すると、第２２中間フレーム表示のための走査が完了する。
【０２３７】
時刻ｔ１０ｇからは、さきほど中断された第２１中間フレーム表示のための走査が再開される。すなわち、対応する位相信号に基づくゲートドライバ制御信号に従って、さきほどスキップされた第４０６ラインから第８１０ラインまでの走査が順次行われ、時刻ｔ１０ｈにそれが完了する。すなわち、第２１中間フレーム表示期間における第１ラインから第８１０ラインまでの順次走査の途中に、第２２中間フレーム表示期間における第２走査線群の順次走査が割り込んでいる。
【０２３８】
時刻ｔ１０ｈからは、内挿画像信号に基づく補間画像として第２３中間フレームを表示するための走査が開始される。すなわち、対応する位相信号に基づくゲートドライバ制御信号に従って、第８１１ラインからの走査が開始される。第８１１ラインの走査に続いて第２走査線群の走査が順次行われ、時刻ｔ１０ｉにそれが完了すると、第２３中間フレーム表示のための走査が完了する。
【０２３９】
上記走査駆動動作によれば、特定の補間画像の表示が一部の走査線群である第２走査線群に含まれる走査線のみの走査によって行われる。しかも、入力画像信号の１フレーム期間に相当する時間内に、別の補間画像のフレームをＮ回走査するのに対して、特定の補間画像のフレームをＭ回走査する。これに伴い、別の補間画像の表示は、第２走査線群を除く一部の走査線群である第１走査線群に含まれる走査線のみの走査によって行われる。さらに、このように特定の補間画像と別の補間画像とで相補的に表示領域全体がカバーされることより一定の画質が確保されるため、元画像の表示が省かれる。したがって、上記各実施の形態と同様に、各走査線の走査速度の大幅な上昇を抑制することができる。
【０２４０】
また、上記走査駆動動作によれば、特定の補間画像の表示期間における第２走査線群の走査を別の補間画像の表示期間における第１走査線群の走査に割り込ませている。
【０２４１】
各ラインにおいては走査表示される時刻から次に同ラインが走査表示される時刻までの時間間隔は等しいことが望ましい。例えば図２４において第８１１ラインに注目すると、時間間隔Ｉ１０−１と時間間隔Ｉ１０−２とは等しいことが望ましい。また、前記実施の形態１の図８および前記実施の形態２の図１１で説明したとおり、各補間画像は走査表示される時間間隔に応じて内挿画像信号を生成する。
【０２４２】
上記割り込みを導入して第２走査線群の走査の時間間隔を均一化することにより、実施の形態２で実現された特有の効果を本実施の形態においても実現することができる。
【０２４３】
なお、本実施の形態における特徴、特に、元画像の表示を省くことは、上記各実施の形態における特徴と適宜組み合わせて実施することができる。
【０２４４】
以上、本発明の各実施の形態について説明した。
【０２４５】
なお、以上の説明は本発明の好適な実施の形態の例証であり、本発明の範囲はこれに限定されない。つまり、上記装置の構成及び動作等についての説明は例であり、本発明の範囲においてこれらの例に対する様々な変更及び追加が可能であることは明らかである。
【０２４６】
例えば、上記各実施の形態では、液晶パネルを用いる液晶表示装置を画像表示装置の例として説明したが、有機ＥＬパネルを用いる有機ＥＬ表示装置など、様々なアクティブマトリクス型表示装置にも、本願発明は適用可能である。
【０２４７】
２００９年２月１９日出願の特願２００９−０３６９２３の日本出願に含まれる明細書、図面及び要約書の開示内容は、すべて本願に援用される。
【産業上の利用可能性】
【０２４８】
本発明に係る画像表示装置および画像表示方法は、動画像の高精細化を図ることができ、動画像を表示する画像表示装置および画像表示方法として有用である。
【符号の説明】
【０２４９】
１００  画像表示装置
１０１  画像プロセッサ
１０２  表示パネル制御回路
１０３  ゲートドライバ
１０４  ソースドライバ
１０５  表示パネル
１０６  内挿画像信号生成部
１０７  表示領域
１０８−１、１０８−２、１０８−ｎ、１０８−Ｎ  走査線
１０９−１、１０９−２、１０９−ｍ、１０９−Ｍ  データ線
【手続補正２】
【補正対象書類名】特許請求の範囲
【補正対象項目名】全文
【補正方法】変更
【補正の内容】
【特許請求の範囲】
【請求項１】
入力画像信号から内挿画像信号を生成する信号処理部と、
表示領域を有し、前記表示領域に、入力画像信号に基づく元画像および内挿画像信号に基づく補間画像の少なくとも一方を含む画像を順次表示する表示部と、を有し、
前記表示部は、前記表示領域における特定の区分領域においては、前記入力画像信号の入力フレームレート以上のレートで画像を表示する前記表示領域における別の区分領域に比べて、高いレートで画像を表示する、
画像表示装置。
【請求項２】
前記特定の区分領域は、予め定められ、または、動き適応的に選択される、
請求項１記載の画像表示装置。
【請求項３】
前記特定の区分領域は、前記表示領域の下方領域を含む、
請求項１記載の画像表示装置。
【請求項４】
前記表示部は、複数の走査線を有し、
前記複数の走査線を走査することにより、前記表示領域に画像を表示させる走査部をさらに有し、
前記走査部は、別の区分領域に比べて高いレートで画像が表示される特定の区分領域である高レート領域については、同じ走査線の走査を均一時間間隔で行う、
請求項１記載の画像表示装置。
【請求項５】
前記表示部は、複数の走査線を有し、
前記複数の走査線を走査することにより、前記表示領域に画像を表示させる走査部をさらに有し、
前記走査部は、入力画像信号の１フレーム期間に相当する時間内に走査駆動動作を行い、前記走査駆動動作は、前記表示領域の一部または全体に対応する走査線群の走査を行う第１動作と、別の区分領域に比べて高いレートで画像が表示される特定の区分領域である高レート領域に対応する走査線群の走査を行う第２動作と、を含み、
前記表示領域の一部は前記高レート領域と前記高レート領域以外の区分領域とを含み、
前記走査部は、前記第１動作において、前記高レート領域に対応する走査線群の走査を、前記高レート領域以外の区分領域に対応する走査線群の走査に割り込ませる、
請求項１記載の画像表示装置。
【請求項６】
前記表示部は、複数の走査線を有し、
前記複数の走査線を走査することにより、前記表示領域に画像を表示させる走査部をさらに有し、
前記走査部は、入力画像信号の１フレーム期間に相当する時間内に走査駆動動作を行い、前記走査駆動動作は、前記表示領域の一部または全体に対応する走査線群の走査を行う第１動作と、別の区分領域に比べて高いレートで画像が表示される特定の区分領域である高レート領域に対応する走査線群の走査を行う第２動作と、を含み、
前記表示領域の一部は前記高レート領域と前記高レート領域以外の区分領域とを含み、
前記走査部は、前記第２動作を前記第１動作に割り込ませる、
請求項１記載の画像表示装置。
【請求項７】
前記信号処理部は、
先に入力された入力画像信号と後に入力された入力画像信号とから内挿画像信号を生成し、先に入力された入力画像信号と後に入力された入力画像信号とから生成された内挿画像信号を、後に入力された入力画像信号に内挿する、
請求項６記載の画像表示装置。
【請求項８】
前記表示部は、複数の走査線を有し、
前記複数の走査線を走査することにより、前記表示領域に画像を表示させる走査部をさらに有し、
前記走査部は、入力画像信号の１フレーム期間に相当する時間内に走査駆動動作を行い、前記走査駆動動作は、前記表示領域の一部または全体に対応する走査線群の走査を行う第１動作と、別の区分領域に比べて高いレートで画像が表示される特定の区分領域である高レート領域に対応する走査線群の走査を行う第２動作と、を含み、
前記表示領域の一部は前記高レート領域と前記高レート領域以外の区分領域とを含み、
前記走査部は、前記第１動作において最初に走査される走査線を、前記高レート領域に対応する走査線群に応じて設定する、
請求項１記載の画像表示装置。
【請求項９】
前記表示部は、複数の走査線を有し、
前記複数の走査線を走査することにより、前記表示領域に画像を表示させる走査部をさらに有し、
前記走査部は、入力画像信号の１フレーム期間に相当する時間内に走査駆動動作を行い、前記走査駆動動作は、前記表示領域の全体に入力画像信号に基づく元画像を表示させる第１動作と、別の区分領域に比べて高いレートで画像が表示される区分領域である高レート領域に内挿画像信号に基づく補間画像を表示させる第２動作と、を含み、
前記走査部は、前記第１動作においては、前記表示領域の全体に対応する走査線群を走査し、前記第２動作においては、前記高レート領域に対応する走査線群を走査する、
請求項１記載の画像表示装置。
【請求項１０】
前記第１動作は、前記表示領域の全体に対応する走査線群の１回の走査を含み、
前記第２動作は、前記高レート領域に対応する走査線群の１回以上の走査を含む、
請求項９記載の画像表示装置。
【請求項１１】
前記高レート領域は、相対的に高いレートで画像が表示される第１の高レート領域と、相対的に低いレートで画像が表示される第２の高レート領域と、を含む、
請求項９記載の画像表示装置。
【請求項１２】
前記表示部は、複数の走査線を有し、
前記複数の走査線を走査することにより、前記表示領域に画像を表示させる走査部をさらに有し、
前記走査部は、入力画像信号の１フレーム期間に相当する時間内に走査駆動動作を行い、前記走査駆動動作は、前記表示領域の全体に入力画像信号に基づく元画像を表示させる第１動作と、前記表示領域の全体に内挿画像信号に基づく補間画像を表示させる第２動作と、別の区分領域に比べて高いレートで画像が表示される区分領域である高レート領域に内挿画像信号に基づく補間画像を表示させる第３動作と、を含み、
前記走査部は、前記第１動作においては、前記表示領域の全体に対応する走査線群を走査し、前記第２動作においては、前記表示領域の全体に対応する走査線群を走査し、前記第３動作においては、前記高レート領域に対応する走査線群を走査する、
請求項１記載の画像表示装置。
【請求項１３】
前記表示部は、複数の走査線を有し、
前記複数の走査線を走査することにより、前記表示領域に画像を表示させる走査部をさらに有し、
前記走査部は、入力画像信号の１フレーム期間に相当する時間内に走査駆動動作を行い、前記走査駆動動作は、前記表示領域の一部に入力画像信号に基づく元画像を表示させる第１動作と、別の区分領域に比べて高いレートで画像が表示される区分領域である高レート領域に内挿画像信号に基づく補間画像を表示させる第２動作と、を含み、
前記走査部は、前記第１動作においては、前記表示領域の一部に対応する走査線群をＮ回（Ｎは１以上の整数）走査し、前記第２動作においては、前記高レート領域に対応する走査線群をＭ回（ＭはＮより大きい整数）走査し、
前記表示領域の一部は、前記高レート領域以外の区分領域を含む、
請求項１記載の画像表示装置。
【請求項１４】
前記表示部は、複数の走査線を有し、
前記複数の走査線を走査することにより、前記表示領域に画像を表示させる走査部をさらに有し、
前記走査部は、入力画像信号の１フレーム期間に相当する時間内に走査駆動動作を行い、前記走査駆動動作は、前記表示領域の一部に内挿画像信号に基づく補間画像を表示させる第１動作と、別の区分領域に比べて高いレートで画像が表示される区分領域である高レート領域に内挿画像信号に基づく補間画像を表示させる第２動作と、を含み、
前記走査部は、前記第１動作においては、前記表示領域の一部に対応する走査線群をＮ回（Ｎは１以上の整数）走査し、前記第２動作においては、前記高レート領域に対応する走査線群をＭ回（ＭはＮより大きい整数）走査し、
前記表示領域の一部は、前記高レート領域以外の区分領域を含む、
請求項１記載の画像表示装置。
【請求項１５】
表示領域を有する画像表示装置において、前記表示領域に入力画像信号に基づく元画像および内挿画像信号に基づく補間画像の少なくとも一方を含む画像を順次表示する画像表示方法であって、
前記表示領域における特定の区分領域においては、前記入力画像信号の入力フレームレート以上のレートで画像を表示する前記表示領域における別の区分領域に比べて、高いレートで画像を表示する、
画像表示方法。
【手続補正３】
【補正対象書類名】要約書
【補正対象項目名】全文
【補正方法】変更
【補正の内容】
【要約】
動画像の高精細化を図ることができる画像表示装置および画像表示方法を提供する。画像プロセッサ（１０１）は、入力画像信号から内挿画像信号を生成する。表示パネル（１０５）は、表示領域（１０７）を有し、表示領域（１０７）に入力画像信号に基づく元画像および内挿画像信号に基づく補間画像を順次表示する。また、表示パネル（１０５）は、表示領域（１０７）における特定の区分領域においては、入力画像信号の入力フレームレート以上のレートで画像を表示する表示領域（１０７）における別の区分領域に比べて、高いレートで画像を表示する。
【手続補正４】
【補正対象書類名】図面
【補正対象項目名】全図
【補正方法】変更
【補正の内容】
【図１】
2010095387.tif 000027
【図２】
2010095387.tif 000028
【図３】
2010095387.tif 000029
【図４】
2010095387.tif 000030
【図５】
2010095387.tif 000031
【図６】
2010095387.tif 000032
【図７】
2010095387.tif 000033
【図８】
2010095387.tif 000034
【図９】
2010095387.tif 000035
【図１０】
2010095387.tif 000036
【図１１】
2010095387.tif 000037
【図１２】
2010095387.tif 000038
【図１３】
2010095387.tif 000039
【図１４】
2010095387.tif 000040
【図１５】
2010095387.tif 000041
【図１６】
2010095387.tif 000042
【図１７】
2010095387.tif 000043
【図１８】
2010095387.tif 000044
【図１９】
2010095387.tif 000045
【図２０】
2010095387.tif 000046
【図２１】
2010095387.tif 000047
【図２２】
2010095387.tif 000048
【図２３】
2010095387.tif 000049
【図２４】
2010095387.tif 000050
【手続補正書】
【提出日】平成22年8月27日(2010.8.27)
【手続補正２】
【補正対象書類名】明細書
【補正対象項目名】０００１
【補正方法】変更
【補正の内容】
【０００１】
本発明は、画像表示装置に関する。
【手続補正３】
【補正対象書類名】明細書
【補正対象項目名】００１８
【補正方法】変更
【補正の内容】
【００１８】
本発明の目的は、動画像の高精細化を図ることができる画像表示装置を提供することである。
【手続補正４】
【補正対象書類名】明細書
【補正対象項目名】００１９
【補正方法】変更
【補正の内容】
【００１９】
本発明の画像表示装置は、入力画像信号から内挿画像信号を生成する信号処理部と、複数の走査線を有し、表示領域に入力画像信号に基づく元画像および前記信号処理部で生成された内挿画像信号に基づく補間画像の少なくとも一方を含む画像を順次表示する表示部と、前記表示部の複数の走査線を走査することにより表示領域に画像を表示させる走査部とを有し、前記表示部の表示領域は、前記入力画像信号の入力フレームレート以上のレートで画像を表示する高レート領域と、前記高レート領域以外の区分領域とを含み、前記走査部は、入力画像信号の１フレーム期間に相当する時間内に走査駆動動作を行い、前記走査駆動動作は、前記表示領域の一部または全体に対応する走査線群の走査を行う第１動作と、前記高レート領域に対応する走査線群の走査を行う第２動作とを含み、前記走査部は、前記第２動作を、前記第１動作に割り込ませて行う。
【手続補正５】
【補正対象書類名】明細書
【補正対象項目名】００２０
【補正方法】削除
【補正の内容】
【手続補正６】
【補正対象書類名】明細書
【補正対象項目名】０２４８
【補正方法】変更
【補正の内容】
【０２４８】
本発明に係る画像表示装置は、動画像の高精細化を図ることができ、動画像を表示する画像表示装置として有用である。
【手続補正７】
【補正対象書類名】特許請求の範囲
【補正対象項目名】全文
【補正方法】変更
【補正の内容】
【特許請求の範囲】
【請求項１】
入力画像信号から内挿画像信号を生成する信号処理部と、複数の走査線を有し、表示領域に入力画像信号に基づく元画像および前記信号処理部で生成された内挿画像信号に基づく補間画像の少なくとも一方を含む画像を順次表示する表示部と、前記表示部の複数の走査線を走査することにより表示領域に画像を表示させる走査部とを有し、
前記表示部の表示領域は、前記入力画像信号の入力フレームレート以上のレートで画像を表示する高レート領域と、前記高レート領域以外の区分領域とを含み、
前記走査部は、入力画像信号の１フレーム期間に相当する時間内に走査駆動動作を行い、前記走査駆動動作は、前記表示領域の一部または全体に対応する走査線群の走査を行う第１動作と、前記高レート領域に対応する走査線群の走査を行う第２動作とを含み、
前記走査部は、前記第２動作を、前記第１動作に割り込ませて行う、
画像表示装置。
【請求項２】
前記信号処理部は、先に入力された入力画像信号と後に入力された入力画像信号とから内挿画像信号を生成し、前記先に入力された入力画像信号と前記後に入力された入力画像信号とから生成された内挿画像信号を、前記後に入力された入力画像信号に内挿する、
請求項１記載の画像表示装置。
【請求項３】
前記走査部は、前記第１動作において最初に走査される走査線を、前記高レート領域に対応する走査線群に応じて設定する、
請求項１記載の画像表示装置。
【請求項４】
前記走査部は、前記第１動作においては、前記表示領域の全体に対応する走査線群を走査することにより、前記表示領域の全体に入力画像信号に基づく元画像を表示させ、前記第２動作においては、前記高レート領域に対応する走査線群を走査することにより、前記高レート領域に内挿画像信号に基づく補間画像を表示させる、
請求項１記載の画像表示装置。
【請求項５】
前記走査部は、前記第１動作においては、前記表示領域の全体に対応する走査線群をＮ回（Ｎは１以上の整数）走査し、前記第２動作においては、前記高レート領域に対応する走査線群をＭ回（ＭはＮより大きい整数）走査する、
請求項１記載の画像表示装置。
【請求項６】
前記高レート領域は、第１の高レート領域と、前記第１の高レート領域より低いレートで画像が表示される第２の高レート領域とを含む、
請求項１記載の画像表示装置。
【請求項７】
前記走査駆動動作は、前記第１動作および前記第２動作に加えて、第３動作を含み、
前記走査部は、前記第１動作においては、前記表示領域の全体に対応する走査線群を走査することにより、前記表示領域の全体に入力画像信号に基づく元画像を表示させ、前記第２動作においては、前記高レート領域に対応する走査線群を走査することにより、前記高レート領域に内挿画像信号に基づく補間画像を表示させ、前記第３動作においては、前記表示領域の全体に対応する走査線群を走査することにより、前記表示領域の全体に内挿画像信号に基づく補間画像を表示させる、
請求項１記載の画像表示装置。
【手続補正書】
【提出日】平成22年12月17日(2010.12.17)
【手続補正１】
【補正対象書類名】明細書
【補正対象項目名】００１９
【補正方法】変更
【補正の内容】
【００１９】
本発明の画像表示装置は、入力画像信号から内挿画像信号を生成する信号処理部と、複数の走査線を有し、表示領域に入力画像信号に基づく元画像および前記信号処理部で生成された内挿画像信号に基づく補間画像の少なくとも一方を含む画像を順次表示する表示部と、前記表示部の複数の走査線を走査することにより表示領域に画像を表示させる走査部とを有し、前記表示部の表示領域は、前記入力画像信号の入力フレームレート以上のレートで画像を表示する高レート領域と、前記高レート領域以外の区分領域とを含み、前記走査部は、入力画像信号の１フレーム期間に相当する時間内に走査駆動動作を行い、前記走査駆動動作は、前記表示領域の一部または全体に対応する走査線群の走査を行うことにより前記表示領域に入力画像信号に基づく元画像を表示する第１動作と、前記高レート領域に対応する走査線群の走査を行うことにより前記内挿画像信号に基づく補間画像を表示する第２動作とを含み、前記走査部は、前記第２動作を、前記第１動作に割り込ませて行う。
【手続補正２】
【補正対象書類名】特許請求の範囲
【補正対象項目名】全文
【補正方法】変更
【補正の内容】
【特許請求の範囲】
【請求項１】
入力画像信号から内挿画像信号を生成する信号処理部と、複数の走査線を有し、表示領域に入力画像信号に基づく元画像および前記信号処理部で生成された内挿画像信号に基づく補間画像の少なくとも一方を含む画像を順次表示する表示部と、前記表示部の複数の走査線を走査することにより表示領域に画像を表示させる走査部とを有し、
前記表示部の表示領域は、前記入力画像信号の入力フレームレート以上のレートで画像を表示する高レート領域と、前記高レート領域以外の区分領域とを含み、
前記走査部は、入力画像信号の１フレーム期間に相当する時間内に走査駆動動作を行い、前記走査駆動動作は、前記表示領域の一部または全体に対応する走査線群の走査を行うことにより前記表示領域に入力画像信号に基づく元画像を表示する第１動作と、前記高レート領域に対応する走査線群の走査を行うことにより前記内挿画像信号に基づく補間画像を表示する第２動作とを含み、
前記走査部は、前記第２動作を、前記第１動作に割り込ませて行う、
画像表示装置。
【請求項２】
前記信号処理部は、先に入力された入力画像信号と後に入力された入力画像信号とから内挿画像信号を生成し、前記先に入力された入力画像信号と前記後に入力された入力画像信号とから生成された内挿画像信号を、前記後に入力された入力画像信号に内挿する、
請求項１記載の画像表示装置。
【請求項３】
前記走査部は、前記第１動作において最初に走査される走査線を、前記高レート領域に対応する走査線群に応じて設定する、
請求項１記載の画像表示装置。
【請求項４】
前記走査部は、前記第１動作においては、前記表示領域の全体に対応する走査線群を走査することにより、前記表示領域の全体に入力画像信号に基づく元画像を表示させ、前記第２動作においては、前記高レート領域に対応する走査線群を走査することにより、前記高レート領域に内挿画像信号に基づく補間画像を表示させる、
請求項１記載の画像表示装置。
【請求項５】
前記走査部は、前記第１動作においては、前記表示領域の全体に対応する走査線群をＮ回（Ｎは１以上の整数）走査し、前記第２動作においては、前記高レート領域に対応する走査線群をＭ回（ＭはＮより大きい整数）走査する、
請求項１記載の画像表示装置。
【請求項６】
前記高レート領域は、第１の高レート領域と、前記第１の高レート領域より低いレートで画像が表示される第２の高レート領域とを含む、
請求項１記載の画像表示装置。
【請求項７】
前記走査駆動動作は、前記第１動作および前記第２動作に加えて、第３動作を含み、
前記走査部は、前記第１動作においては、前記表示領域の全体に対応する走査線群を走査することにより、前記表示領域の全体に入力画像信号に基づく元画像を表示させ、前記第２動作においては、前記高レート領域に対応する走査線群を走査することにより、前記高レート領域に内挿画像信号に基づく補間画像を表示させ、前記第３動作においては、前記表示領域の全体に対応する走査線群を走査することにより、前記表示領域の全体に内挿画像信号に基づく補間画像を表示させる、
請求項１記載の画像表示装置。
【国際調査報告】
2010095387.tif 000051
2010095387.tif 000052
2010095387.tif 000053
2010095387.tif 000054